(57)【特許請求の範囲】
【請求項１】
Ｍ個（Ｍは２以上の自然数）の発光領域が内在し、少なくとも一つの前記発光領域内に青色半導体発光素子、緑色蛍光体及び赤色蛍光体を発光要素として備える発光装置であって、
当該発光装置の主たる放射方向に各発光領域から出射される光の分光分布をφSSLＮ（
λ）（Ｎは１からＭ）とし、前記発光装置から当該放射方向に出射されるすべての光の分光分布φSSL（λ）が、
【数１】
0006666064.tif 000070
のときに、
φSSL（λ）を、以下の条件Ｉ−ＩＶ及び条件１〜３を満たすように出来る発光領域が
内在する発光装置。
条件Ｉ：
当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊nSSL、ｂ＊nSSL（ただしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊nref、ｂ＊nref（ただしｎは１から１５の自然数）とした場合に、飽和度差ΔＣnが
−４．００  ≦  ΔＣn  ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数２】
0006666064.tif 000071
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ＊nSSL）２＋（ｂ＊nSSL）２｝−√｛（ａ＊nref）２＋（ｂ
＊nref）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ＊ａ＊ｂ＊色空間における色相角をθnSSL（度）（ただしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ＊ａ＊ｂ＊色空間における色相角をθnref（度）（ただしｎは１から１５の自然数）とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
条件１：
前記発光装置から出射される光は、ＡＮＳＩ  Ｃ７８．３７７で定義される黒体放射軌跡からの距離ＤuvSSLが、−０．０２２０  ≦  ＤuvSSL  ≦  −０．００７０となる光を主たる放射方向に含む。
条件２：
前記発光装置から当該放射方向に出射される光の分光分布をφSSL（λ）、前記発光装
置から当該放射方向に出射される光の相関色温度ＴSSL（Ｋ）に応じて選択される基準の
光の分光分布をφref（λ）、前記発光装置から当該放射方向に出射される光の三刺激値
を（ＸSSL、ＹSSL、ＺSSL）、前記発光装置から当該放射方向に出射される光の相関色温
度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記
発光装置から当該放射方向に出射される光の相関色温度ＴSSL（Ｋ）に応じて選択される
基準の光の規格化分光分布Ｓref（λ）と、これら規格化分光分布の差ΔＳ（λ）をそれ
ぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg  ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg  ≦  １２０を満たす。
【数３】
0006666064.tif 000072
【数４】
0006666064.tif 000073
条件３：
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
【請求項２】
請求項１に記載の発光装置であって、
前記φSSL（λ）を、以下の条件４を満たすように出来る発光領域が内在する発光装置
。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
【請求項３】
請求項１又は２に記載の発光装置であって、
すべてのφSSLＮ（λ）（Ｎは１からＭ）が、前記条件Ｉ−ＩＶ及び条件１〜３を満た
す発光装置。
【請求項４】
請求項１〜３のいずれか１項に記載の発光装置であって、
前記Ｍ個の発光領域中の、少なくとも１つの発光領域が、他の発光領域に対して電気的に独立に駆動しうる配線となっている発光装置。
【請求項５】
請求項４に記載の発光装置であって、
Ｍ個の発光領域すべてが、他の発光領域に対して電気的に独立に駆動しうる配線となっている発光装置。
【請求項６】
請求項１〜５のいずれか１項に記載の発光装置であって、
以下の条件５を満たすことを特徴とする発光装置。
条件５：
前記光の分光分布φSSL（λ）において、前記φSSL-BM-maxを与える波長λSSL-BM-max
が、
４３０（ｎｍ）  ≦  λSSL-BM-max  ≦  ４８０（ｎｍ）
である。
【請求項７】
請求項１〜６のいずれか１項に記載の発光装置であって、
以下の条件６を満たすことを特徴とする発光装置。
条件６：
０．１８００  ≦  φSSL-BG-min／φSSL-RM-max  ≦  ０．８５００
【請求項８】
請求項１〜７のいずれか１項に記載の発光装置であって、
前記φSSL（λ）から導出される波長３８０ｎｍ以上７８０ｎｍ以下の範囲の放射効率
Ｋ（ｌｍ／Ｗ）が以下の条件７を満たすことを特徴とする発光装置。
条件７：
２１０．０  ｌｍ／Ｗ  ≦  Ｋ  ≦  ２９０．０  ｌｍ／Ｗ
【請求項９】
請求項１〜８のいずれか１項に記載の発光装置であって、
最近接している異なる発光領域全体を包絡する仮想外周上にある任意の２点がつくる最大距離Ｌが、０．４ｍｍ以上２００ｍｍ以下である発光装置。
【請求項１０】
請求項１〜９のいずれか１項に記載の発光装置であって、
前記発光装置から当該放射方向に出射される光は、相関色温度ＴSSL（Ｋ）が
２６００  Ｋ  ≦  ＴSSL  ≦  ７７００  Ｋ
を満たすように出来ることを特徴とする発光装置。
【請求項１１】
請求項１〜１０のいずれか１項に記載の発光装置であって、
前記発光領域から出射される光束量かつ／または放射束量を変化させることで、前記φSSL（λ）を、前記条件Ｉ−ＩＶ及び条件１〜３を満たすように出来る発光領域が内在す
ることを特徴とする発光装置。
【請求項１２】
請求項１〜１１のいずれか１項に記載の発光装置であって、
前記数式（１）又は（２）で表される指標Ａcg、相関色温度ＴSSL（Ｋ）、及び黒体放
射軌跡からの距離ＤuvSSLからなる群から選択される少なくとも１つが変化し得る発光装
置。
【請求項１３】
請求項１２に記載の発光装置であって、
前記数式（１）又は（２）で表される指標Ａcg、相関色温度ＴSSL（Ｋ）、及び黒体放
射軌跡からの距離ＤuvSSLからなる群から選択される少なくとも１つが変化した際に、発
光装置から主たる放射方向に出射される光束かつ／または放射束を独立に制御しうること
を特徴とする発光装置。
【請求項１４】
対象物を準備する照明対象物準備工程、および、Ｍ個（Ｍは２以上の自然数）の発光領域が内在し、少なくとも一つの発光領域内に青色半導体発光素子、緑色蛍光体及び赤色蛍光体を発光要素として備える発光装置から出射される光により対象物を照明する照明工程、を含む照明方法であって、
前記照明工程において、前記発光装置から出射される光が対象物を照明した際に、前記対象物の位置で測定した光が以下の条件Ｉ〜ＩＶ及び条件１〜３を満たすように照明する照明方法。
条件Ｉ：
前記対象物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊nSSL、ｂ＊nSSL（ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊nref、ｂ＊nref（ただしｎは１から１５の自然数）とした場合に、飽和度差ΔＣnが
−４．００  ≦  ΔＣn  ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数５】
0006666064.tif 000074
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ＊nSSL）２＋（ｂ＊nSSL）２｝−√｛（ａ＊nref）２＋（ｂ
＊nref）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
前記対象物の位置で測定した光による照明を数学的に仮定した場合の上記１５種類の修正マンセル色票のＣＩＥ  １９７６  Ｌ＊ａ＊ｂ＊色空間における色相角をθnSSL（度）（ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ＊ａ＊ｂ＊色空間における色相角をθnref（度）（ただしｎは１から１５の自然数）とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
条件１：
前記対象物の位置で測定した光のＡＮＳＩ  Ｃ７８．３７７で定義される黒体放射軌跡からの距離ＤuvSSLが、−０．０２２０  ≦  ＤuvSSL  ≦  −０．００７０である。
条件２：
前記対象物の位置で測定した光の分光分布をφSSL（λ）、前記対象物の位置で測定し
た光の相関色温度ＴSSL（Ｋ）に応じて選択される基準の光の分光分布をφref（λ）、前記対象物の位置で測定した光の三刺激値を（ＸSSL、ＹSSL、ＺSSL）、前記対象物の位置
で測定した光の相関色温度ＴSSL（Ｋ）に応じて選択される基準の光の三刺激値を（Ｘref、Ｙref、Ｚref）とし、
前記対象物の位置で測定した光の規格化分光分布ＳSSL（λ）と、前記対象物の位置で
測定した光の相関色温度ＴSSL（Ｋ）に応じて選択される基準の光の規格化分光分布Ｓref（λ）と、これら規格化分光分布の差ΔＳ（λ）をそれぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg  ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg  ≦  １２０を満たす。
【数６】
0006666064.tif 000075
【数７】
0006666064.tif 000076
条件３：
前記対象物の位置に到達している各発光要素から出射された光の分光分布をφSSLＮ（
λ）（Ｎは１からＭ）、前記対象物の位置で測定した光の分光分布φSSL（λ）が、
【数８】
0006666064.tif 000077
のときに、
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
【請求項１５】
請求項１４に記載の照明方法であって、
すべてのφSSLＮ（λ）（Ｎは１からＭ）を、前記条件１〜３及び条件Ｉ〜ＩＶを満た
すようにできる照明方法。
【請求項１６】
請求項１４又は１５に記載の照明方法であって、
Ｍ個の発光領域中の、少なくとも１つの発光領域を、他の発光領域に対して電気的に独立駆動し照明する照明方法。
【請求項１７】
請求項１６に記載の照明方法であって、
Ｍ個の発光領域すべてを、他の発光領域に対して電気的に独立駆動し照明する照明方法。
【請求項１８】
請求項１４〜１７のいずれか１項に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させること
を特徴とする照明方法。
【請求項１９】
請求項１８に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させた際に
、当該対象物における照度を独立に制御することを特徴とする照明方法。
【請求項２０】
請求項１９に記載の照明方法であって、
前記式（３）で表される飽和度差の平均ＳＡＴave、相関色温度ＴSSL（Ｋ）、及び黒体放射軌跡からの距離ＤuvSSLからなる群から選択される少なくとも１つを変化させた際に
、当該対象物における照度を不変とする照明方法。
【請求項２１】
請求項１９に記載の照明方法であって、
前記式（３）で表される飽和度差の平均ＳＡＴaveを増加させた際に、当該対象物にお
ける照度を低減する照明方法。
【請求項２２】
請求項１９に記載の照明方法であって、
相関色温度ＴSSL（Ｋ）を増加させた際に、当該対象物における照度を増加する照明方
法。
【請求項２３】
請求項１９に記載の照明方法であって、
黒体放射軌跡からの距離ＤuvSSLを減少させた際に、当該対象物における照度を減少す
る照明方法。
【請求項２４】
請求項１４〜２３のいずれか１項に記載の照明方法であって、
最近接している異なる発光領域全体を包絡する仮想外周上にある任意の２点がつくる最大距離をＬ、発光装置と照明対象物の距離をＨとした際に、
５×Ｌ≦Ｈ≦５００×Ｌ
となるように距離Ｈを設定する照明方法。
【発明の詳細な説明】
【技術分野】
【０００１】
本発明は発光領域が複数内在する発光装置であって、各発光領域から出射される光束量かつ／または放射束量を変化させることができる発光装置に関する。また、このような発光装置の設計方法、発光装置の駆動方法、および照明方法に関する。
【背景技術】
【０００２】
近年、ＧａＮ系半導体発光素子の高出力化、高効率化は目覚ましく進展している。また、半導体発光素子、もしくは、電子線を励起源とした各種蛍光体の高効率化も盛んに研究されている。これらの結果、旧来のものに比較して、現在の光源、光源を含む光源モジュール、光源モジュールを含む器具、器具を含むシステム等の発光装置は急速に省電力化している。
【０００３】
たとえば、ＧａＮ系青色発光素子を黄色蛍光体の励起光源として内在させ、かつ、当該ＧａＮ系青色発光素子のスペクトルと当該黄色蛍光体のスペクトルから、いわゆる擬似白色光源を作り、照明用光源、または、これを内在させた照明用器具、さらには、空間内で当該器具を複数配置させた照明システムとすることが広く行われている（特許文献１参照）。
【０００４】
これら形態に内在しうる照明用光源の一種であるパッケージ化されたＬＥＤ（たとえばパッケージ材中に、当該ＧａＮ系青色発光素子、黄色蛍光体、封止剤等を含む）は、６０００Ｋ程度の相関色温度（Ｃｏｒｒｅｌａｔｅｄ  Ｃｏｌｏｒ  Ｔｅｍｐｅｒａｔｕｒｅ／ＣＣＴ）領域で、パッケージＬＥＤとしての光源効率が１５０ｌｍ／Ｗを超える商品もある（非特許文献２参照）。
さらに、液晶バックライト用光源等も同様に高効率化、省電力化が進展している。
【０００５】
しかし、これらの高効率化を目指した発光装置は、色の見えに対する配慮は不十分であることが各方面から指摘されている。特に照明用途として用いた場合には、光源／器具／システム等の発光装置の高効率化とともに、物体を照らした際の「色の見え（Ｃｏｌｏｒ
ａｐｐｅａｒａｎｃｅ）」は非常に重要である。
【０００６】
これらに配慮する試みとしては、国際照明委員会（Ｃｏｍｍｉｓｓｉｏｎ  Ｉｎｔｅｒｎａｔｉｏｎａｌｅ  ｄｅ  Ｉ’Ｅｃｌａｉｒａｇｅ／ＣＩＥ）で確立された演色評価数（Ｃｏｌｏｕｒ  Ｒｅｎｄｅｒｉｎｇ  Ｉｎｄｅｘ／ＣＲＩ）（ＣＩＥ（１３．３））のスコアを向上させるべく、青色発光素子のスペクトルと黄色蛍光体のスペクトルに対して赤色蛍光体や赤色半導体発光素子のスペクトルを重畳させる試み等がなされている。例えば、赤色源を含まない場合の典型的なスペクトル（ＣＣＴ＝６８００Ｋ程度）では、平均演色評価数（Ｒa）と、鮮やかな赤色の色票に対する特殊演色評価数（Ｒ9）はそれぞれＲa＝８１、Ｒ9＝２４であるが、赤色源を含む場合にはＲa＝９８、Ｒ9＝９５と演色評価数のスコアを上げることができる（特許文献２参照）。
【０００７】
一方で、本願発明者は、照明対象物の色の見えに対する新たな実験事実を元に、人間の知覚する色の見えが、様々な演色評価指標（ｃｏｌｏｒ  ｒｅｎｄｉｔｉｏｎ  ｍｅｔｒｉｃ）のスコアによらず、屋外の高照度環境下で見たような、自然で、生き生きとした、視認性の高い、快適な、色の見え、物体の見えを実現できる照明方法、及び、照明光源、照明器具、照明システム等の発光装置全般を開示している（特許文献３、４参照）。
【０００８】
特許文献３および４によれば、発光装置が発する光の分光分布に関する指標Ａcgが−３６０以上−１０以下である範囲において、人間の知覚する色の見えが、自然で、生き生きとした、視認性の高い、快適な、色の見え、物体の見えを実現できる発光装置が実現できることが記載されている。
【先行技術文献】
【特許文献】
【０００９】
【特許文献１】特許第３５０３１３９号公報
【特許文献２】ＷＯ２０１１／０２４８１８号パンフレット
【特許文献３】特許第５２５２１０７号公報
【特許文献４】特許第５２５７５３８号公報
【非特許文献】
【００１０】
【非特許文献１】“一般蛍光灯  ミートくん”、［ｏｎｌｉｎｅ］、プリンス電機株式会社、［平成２３年５月１６日検索］、インターネット＜ＵＲＬ：http://www.prince-d.co.jp/pdct/docs/pdf/catalog_pdf/fl_nrb_ca2011.pdf＞
【非特許文献２】“LEDs MAGAZINE”、［平成２３年８月２２日検索］、インターネット＜ＵＲＬ：http://www.ledsmagazine.com/news/8/8/2＞
【発明の概要】
【発明が解決しようとする課題】
【００１１】
しかし、当該２つの特許には、分光分布から導出される放射効率Ｋ（Ｌｕｍｉｎｏｕｓ
Ｅｆｆｉｃａｃｙ  ｏｆ  Ｒａｄｉａｔｉｏｎ）（ｌｍ／Ｗ）に関しては詳細開示があるものの、実光源としての効率、すなわち光源効率η（Ｌｕｍｉｎｏｕｓ  Ｅｆｆｉｃａｃｙ  ｏｆ  ａ  Ｓｏｕｒｃｅ）（ｌｍ／Ｗ）に関しては記載がない。実際のＬＥＤ光源においては、前者同様に後者も重要であって、それぞれに独立した効率の指標として扱うのが普通である。前者（放射効率Ｋ）は分光視感効率Ｖ（λ）との関係における光源の分光分布の「形状のみ」に依存する効率であって、理想時の効率を考察するには非常に有用な指標である。一方、後者（光源効率η）は、発光装置に投入された電力がどの程度光束に変換されるかを示す量であって、放射効率とは異なる観点でも検討が必要である。
本発明者は、上記のような課題を解決するために、特願２０１４−１５９７８４において、その光源効率を改善した発光装置、また当該発光装置の設計指針に到達している。
【００１２】
上記、本発明者がすでに見出している要件を満たす光源は、「自然で、生き生きとした、視認性の高い、快適な、色の見え、物体の見え」を実現しつつ、その光源効率を改善できる。
しかし、年齢、性別、国などによって、最適と考えられる照明の嗜好は少しずつ異なっており、また、どのような空間をどのような目的で照明するかによっても最適な照明は異なる。さらに、生まれ育った生活環境、文化の異なる被験者間では、最適と考える照明の嗜好差も大きくなる場合もある。
本発明は、屋外で見たような、自然で、生き生きとした、視認性の高い、快適な、色の見え、物体の見えを実現可能な発光装置であって、かつ光源効率が改善され、さらには各種照明に対する要請を満たすべく、照明された対象物の色の見えを変化させうる発光装置、この設計方法を提供することを目的とする。さらに、本発明においては、当該発光装置の駆動方法、当該装置による照明方法を提供することを目的とする。
【課題を解決するための手段】
【００１３】
上記目的を達成するため、本発明の第一の実施態様は以下の発光装置に関する。
［１］Ｍ個（Ｍは２以上の自然数）の発光領域が内在し、少なくとも一つの前記発光領域内に青色半導体発光素子、緑色蛍光体及び赤色蛍光体を発光要素として備える発光装置で
あって、
当該発光装置の主たる放射方向に各発光領域から出射される光の分光分布をφSSLＮ（
λ）（Ｎは１からＭ）とし、前記発光装置から当該放射方向に出射されるすべての光の分光分布φSSL（λ）が、
【数１】
0006666064.tif 000002
のときに、
前記φSSL（λ）を、以下の条件１−４を満たすように出来る発光領域が内在する発光
装置。
条件１：
前記発光装置から出射される光は、ＡＮＳＩ  Ｃ７８．３７７で定義される黒体放射軌跡からの距離ＤuvSSLが、−０．０２２０  ≦  ＤuvSSL  ≦  −０．００７０となる光を主たる放射方向に含む。
条件２：
前記発光装置から当該放射方向に出射される光の分光分布をφSSL（λ）、前記発光装
置から当該放射方向に出射される光の相関色温度ＴSSL（Ｋ）に応じて選択される基準の
光の分光分布をφref（λ）、前記発光装置から当該放射方向に出射される光の三刺激値
を（ＸSSL、ＹSSL、ＺSSL）、前記発光装置から当該放射方向に出射される光の相関色温
度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記
発光装置から当該放射方向に出射される光の相関色温度ＴSSL（Ｋ）に応じて選択される
基準の光の規格化分光分布Ｓref（λ）と、これら規格化分光分布の差ΔＳ（λ）をそれ
ぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg ≦  １２０を満たす。
【数２】
0006666064.tif 000003
【数３】
0006666064.tif 000004
条件３：
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
［２］［１］記載の発光装置であって、すべてのφSSLＮ（λ）（Ｎは１からＭ）が、前
記条件１−４を満たす発光装置。
［３］［１］または［２］に記載の発光装置であって、前記Ｍ個の発光領域中の、少なくとも１つの発光領域が、他の発光領域に対して電気的に独立に駆動しうる配線となっている発光装置。
［４］［３］記載の発光装置であって、Ｍ個の発光領域すべてが、他の発光領域に対して電気的に独立に駆動しうる配線となっている発光装置。
［５］［１］〜［４］のいずれかに記載の発光装置であって、以下の条件５を満たすことを特徴とする発光装置。
条件５：
前記光の分光分布φSSL（λ）において、前記φSSL-BM-maxを与える波長λSSL-BM-max
が、
４３０（ｎｍ）  ≦  λSSL-BM-max  ≦  ４８０（ｎｍ）
である。
［６］［１］〜［５］のいずれかに記載の発光装置であって、以下の条件６を満たすことを特徴とする発光装置。
条件６：
０．１８００  ≦  φSSL-BG-min／φSSL-RM-max  ≦  ０．８５００
［７］［１］〜［６］のいずれかに記載の発光装置であって、前記φSSL（λ）から導出
される波長３８０ｎｍ以上７８０ｎｍ以下の範囲の放射効率Ｋ（ｌｍ／Ｗ）が以下の条件７を満たすことを特徴とする発光装置。
条件７：
２１０．０  ｌｍ／Ｗ  ≦  Ｋ  ≦  ２９０．０  ｌｍ／Ｗ
［８］［１］〜［７］のいずれかに記載の発光装置であって、前記数式（１）又は（２）で表される指標Ａcg、相関色温度ＴSSL（Ｋ）、及び黒体放射軌跡からの距離ＤuvSSLからなる群から選択される少なくとも１つが変化し得る発光装置。
［９］［８］記載の発光装置であって、前記数式（１）又は（２）で表される指標Ａcg、相関色温度ＴSSL（Ｋ）、及び黒体放射軌跡からの距離ＤuvSSLからなる群から選択される少なくとも１つが変化した際に、発光装置から主たる放射方向に出射される光束かつ／または放射束を独立に制御しうることを特徴とする発光装置。
［１０］［１］〜［９］のいずれかに記載の発光装置であって、最近接している異なる発光領域全体を包絡する仮想外周上にある任意の２点がつくる最大距離Ｌが、０．４ｍｍ以上２００ｍｍ以下である発光装置。
［１１］［１］〜［１０］のいずれかに記載の発光装置であって、
前記発光領域から出射される光束量かつ／または放射束量を変化させることで、φSSL
（λ）が以下の条件Ｉ−ＩＶを更に満たすように出来る発光領域が内在する発光装置。
条件Ｉ：
当該放射方向に出射される光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１から
１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数４】
0006666064.tif 000005
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ*ａ*ｂ*色空間における色相角をθnSSL（度）（た
だしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間における色相角をθnref（度）（ただしｎは１から１５の自然数）とし
た場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
［１２］［１］〜［１１］のいずれかに記載の発光装置であって、
前記発光装置から当該放射方向に出射される光は、相関色温度ＴSSL（Ｋ）が
２６００  Ｋ  ≦  ＴSSL  ≦  ７７００  Ｋ
を満たすように出来ることを特徴とする発光装置。
［１３］［１］〜［１２］のいずれかに記載の発光装置であって、
前記発光領域から出射される光束量かつ／または放射束量を変化させることで、前記φSSL（λ）を、前記条件１−４を満たすように出来る発光領域が内在することを特徴とす
る発光装置。
［１４］Ｍ個（Ｍは２以上の自然数）の発光領域が内在し、少なくとも一つの前記発光領域内に青色半導体発光素子、緑色蛍光体及び赤色蛍光体を発光要素として備える発光装置の設計方法であって、
当該発光装置の主たる放射方向に各発光領域から出射される光の分光分布をφSSLＮ（
λ）（Ｎは１からＭ）とし、前記発光装置から当該放射方向に出射されるすべての光の分光分布φSSL（λ）が、
【数５】
0006666064.tif 000006
のときに、
前記φSSL（λ）を、以下の条件１−４を満たすようにできる構成となるように発光領
域を設計する、発光装置の設計方法。
条件１：
前記光の分光分布φSSL（λ）は、ＡＮＳＩ  Ｃ７８．３７７で定義される黒体放射軌
跡からの距離ＤuvSSLが、
−０．０２２０  ≦  ＤuvSSL  ≦  −０．００７０
である。
条件２：
前記発光装置から当該放射方向に出射される光の分光分布をφSSL（λ）、前記発光装
置から当該放射方向に出射される光の相関色温度ＴSSL（Ｋ）に応じて選択される基準の
光の分光分布をφref（λ）、前記発光装置から当該放射方向に出射される光の三刺激値
を（ＸSSL、ＹSSL、ＺSSL）、前記発光装置から当該放射方向に出射される光の相関色温
度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記
発光装置から当該放射方向に出射される光の相関色温度ＴSSL（Ｋ）に応じて選択される
基準の光の規格化分光分布Ｓref（λ）と、これら規格化分光分布の差ΔＳ（λ）をそれ
ぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg ≦  １２０を満たす。
【数６】
0006666064.tif 000007
【数７】
0006666064.tif 000008
条件３：
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
［１５］［１４］記載の発光装置の設計方法であって、すべてのφSSLＮ（λ）（Ｎは１
からＭ）が、前記条件１−４を満たす発光装置の設計方法。
［１６］［１４］または［１５］に記載の発光装置の設計方法であって、前記Ｍ個の発光領域中の、少なくとも１つの発光領域が、他の発光領域に対して電気的に独立に駆動しうる配線となっている発光装置の設計方法。
［１７］［１６］記載の発光装置の設計方法であって、Ｍ個の発光領域すべてが、他の発光領域に対して電気的に独立に駆動しうる配線となっている発光装置の設計方法。
［１８］［１４］〜［１７］のいずれかに記載の発光装置の設計方法であって、以下の条件５を満たすことを特徴とする発光装置の設計方法。
条件５：
前記光の分光分布φSSL（λ）において、前記φSSL-BM-maxを与える波長λSSL-BM-max
が、
４３０（ｎｍ）  ≦  λSSL-BM-max  ≦  ４８０（ｎｍ）
である。
［１９］［１４］〜［１８］のいずれかに記載の発光装置の設計方法であって、以下の条件６を満たすことを特徴とする発光装置の設計方法。
条件６：
０．１８００  ≦  φSSL-BG-min／φSSL-RM-max  ≦  ０．８５００
［２０］［１４］〜［１９］のいずれかに記載の発光装置の設計方法であって、前記φSSL（λ）から導出される波長３８０ｎｍ以上７８０ｎｍ以下の範囲の放射効率Ｋ（ｌｍ／
Ｗ）が以下の条件７を満たすことを特徴とする発光装置の設計方法。
条件７：
２１０．０  ｌｍ／Ｗ  ≦  Ｋ  ≦  ２９０．０  ｌｍ／Ｗ
［２１］［１４］〜［２０］のいずれかに記載の発光装置の設計方法であって、前記数式（１）又は（２）で表される指標Ａcg、相関色温度ＴSSL（Ｋ）、及び黒体放射軌跡から
の距離ＤuvSSLからなる群から選択される少なくとも１つが変化し得る発光装置の設計方
法。
［２２］［２１］記載の発光装置の設計方法であって、前記数式（１）又は（２）で表さ
れる指標Ａcg、相関色温度ＴSSL（Ｋ）、及び黒体放射軌跡からの距離ＤuvSSLからなる群から選択される少なくとも１つが変化した際に、発光装置から主たる放射方向に出射される光束かつ／または放射束を独立に制御しうることを特徴とする発光装置の設計方法。
［２３］［１４］〜［２２］のいずれかに記載の発光装置の設計方法であって、最近接している異なる発光領域全体を包絡する仮想外周上にある任意の２点がつくる最大距離Ｌが、０．４ｍｍ以上２００ｍｍ以下である発光装置の設計方法。
［２４］［１４］〜［２３］のいずれかに記載の発光装置の設計方法であって、
前記発光領域から出射される光束量かつ／または放射束量を変化させることでφSSL（
λ）を、更に以下の条件Ｉ−ＩＶを満たすようにできる発光装置の設計方法。
条件Ｉ：
当該放射方向に出射される光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
当該放射方向に出射される光の相関色温度Ｔ（Ｋ）に応じて選択される基準の光での照明を数学的に仮定した場合の当該１５種類の修正マンセル色票のＣＩＥ  １９７６  Ｌ*
ａ*ｂ*色空間におけるａ*値、ｂ*値をそれぞれａ*nref、ｂ*nref（ただしｎは１から１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数８】
0006666064.tif 000009
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ*ａ*ｂ*色空間における色相角をθnSSL（度）（た
だしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間における色相角をθnref（度）（ただしｎは１から１５の自然数）とし
た場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
［２５］［１４］〜［２４］のいずれかに記載の発光装置の設計方法であって、
前記発光装置から当該放射方向に出射される光は、相関色温度ＴSSL（Ｋ）が
２６００  Ｋ  ≦  ＴSSL  ≦  ７７００  Ｋ
を満たすように出来ることを特徴とする発光装置の設計方法。
［２６］［１４］〜［２５］５のいずれかに記載の発光装置の設計方法であって、
前記発光領域から出射される光束量かつ／または放射束量を変化させることで、前記φSSL（λ）を、前記条件１−４を満たすようにできる構成となるように発光領域を設計す
ることを特徴とする発光装置の設計方法。
［２７］Ｍ個（Ｍは２以上の自然数）の発光領域が内在し、少なくとも一つの前記発光領域内に青色半導体発光素子、緑色蛍光体及び赤色蛍光体を発光要素として備える発光装置の駆動方法であって、
当該発光装置の主たる放射方向に各発光領域から出射される光の分光分布をφSSLＮ（
λ）（Ｎは１からＭ）とし、前記発光装置から当該放射方向に出射されるすべての光の分光分布φSSL（λ）が、
【数９】
0006666064.tif 000010
のときに、
φSSL（λ）を、以下の条件１−４を満たすものとなるように、前記各発光領域に給電
する発光装置の駆動方法。
条件１：
前記光の分光分布φSSL（λ）は、ＡＮＳＩ  Ｃ７８．３７７で定義される黒体放射軌
跡からの距離ＤuvSSLが、
−０．０２２０  ≦  ＤuvSSL  ≦  −０．００７０
である。
条件２：
前記発光装置から当該放射方向に出射される光の分光分布をφSSL（λ）、前記発光装
置から当該放射方向に出射される光の相関色温度ＴSSL（Ｋ）に応じて選択される基準の
光の分光分布をφref（λ）、前記発光装置から当該放射方向に出射される光の三刺激値
を（ＸSSL、ＹSSL、ＺSSL）、前記発光装置から当該放射方向に出射される光の相関色温
度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記
発光装置から当該放射方向に出射される光の相関色温度ＴSSL（Ｋ）に応じて選択される
基準の光の規格化分光分布Ｓref（λ）と、これら規格化分光分布の差ΔＳ（λ）をそれ
ぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg ≦  １２０を満たす。
【数１０】
0006666064.tif 000011
【数１１】
0006666064.tif 000012
条件３：
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
［２８］［２７］記載の発光装置の駆動方法であって、すべてのφSSLＮ（λ）（Ｎは１
からＭ）を、前記条件１−４を満たすものとなるように発光領域に給電する発光装置の駆動方法。
［２９］［２７］または［２８］に記載の発光装置の駆動方法であって、Ｍ個の発光領域中の、少なくとも１つの発光領域を、他の発光領域に対して電気的に独立に駆動する発光装置の駆動方法。
［３０］［２７］〜［２９］のいずれかに記載の発光装置の駆動方法であって、Ｍ個の発光領域すべてを、他の発光領域に対して電気的に独立に駆動する発光装置の駆動方法。
［３１］［２７］〜［３０］のいずれかに記載の発光装置の駆動方法であって、以下の条件５を満たすことを特徴とする発光装置の駆動方法。
条件５：
前記光の分光分布φSSL（λ）において、前記φSSL-BM-maxを与える波長λSSL-BM-max
が、
４３０（ｎｍ）  ≦  λSSL-BM-max  ≦  ４８０（ｎｍ）
である。
［３２］［２７］〜［３１］のいずれかに記載の発光装置の駆動方法であって、以下の条
件６を満たすことを特徴とする発光装置の駆動方法。
条件６：
０．１８００  ≦  φSSL-BG-min／φSSL-RM-max  ≦  ０．８５００
［３３］［２７］〜［３２］のいずれかに記載の発光装置の駆動方法であって、前記φSSL（λ）から導出される波長３８０ｎｍ以上７８０ｎｍ以下の範囲の放射効率Ｋ（ｌｍ／
Ｗ）が以下の条件７を満たすことを特徴とする発光装置の駆動方法。
条件７：
２１０．０  ｌｍ／Ｗ  ≦  Ｋ  ≦  ２９０．０  ｌｍ／Ｗ
［３４］［２７］〜［３３］のいずれかに記載の発光装置の駆動方法であって、前記数式（１）又は（２）で表される指標Ａcg、相関色温度ＴSSL（Ｋ）、及び黒体放射軌跡から
の距離ＤuvSSLからなる群から選択される少なくとも１つを変化させる発光装置の駆動方
法。
［３５］［３４］に記載の発光装置の駆動方法であって、前記数式（１）又は（２）で表される指標Ａcg、相関色温度ＴSSL（Ｋ）、及び黒体放射軌跡からの距離ＤuvSSLからなる群から選択される少なくとも１つを変化させた際に、発光装置から主たる放射方向に出射される光束かつ／または放射束を不変とする発光装置の駆動方法。
［３６］［３４］に記載の発光装置の駆動方法であって、前記数式（１）又は（２）で表される指標Ａcgを減少させた際に、発光装置から主たる放射方向に出射される光束かつ／または放射束を低減させる発光装置の駆動方法。
［３７］［３４］に記載の発光装置の駆動方法であって相関色温度ＴSSL（Ｋ）を増加さ
せた際に、発光装置から主たる放射方向に出射される光束かつ／または放射束を増加させる発光装置の駆動方法。
［３８］［３４］に記載の発光装置の駆動方法であって黒体放射軌跡からの距離ＤuvSSL
を減少させた際に、発光装置から主たる放射方向に出射される光束かつ／または放射束を減少させる発光装置の駆動方法。
［３９］［２７］〜［３８］のいずれか１項に記載の発光装置の駆動方法であって、
φSSL（λ）を、更に以下の条件Ｉ−ＩＶを満たすものとなるように給電する、発光装
置の駆動方法。
条件Ｉ：
当該放射方向に出射される光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１から
１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数１２】
0006666064.tif 000013
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ*ａ*ｂ*色空間における色相角をθnSSL（度）（た
だしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間における色相角をθnref（度）（ただしｎは１から１５の自然数）とし
た場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
［４０］対象物を準備する照明対象物準備工程、および、Ｍ個（Ｍは２以上の自然数）の発光領域が内在し、少なくとも一つの発光領域内に青色半導体発光素子、緑色蛍光体及び赤色蛍光体を発光要素として備える発光装置から出射される光により対象物を照明する照明工程、を含む照明方法であって、
前記照明工程において、前記発光装置から出射される光が対象物を照明した際に、前記対象物の位置で測定した光が以下の条件１及び条件Ｉ〜ＩＶを満たすように照明する照明方法。
条件１：
前記対象物の位置で測定した光のＡＮＳＩ  Ｃ７８．３７７で定義される黒体放射軌跡からの距離ＤuvSSLが、−０．０２２０  ≦  ＤuvSSL  ≦  −０．００７０である。
条件Ｉ：
前記対象物の位置で測定した光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１
から１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数１３】
0006666064.tif 000014
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
前記対象物の位置で測定した光による照明を数学的に仮定した場合の上記１５種類の修正マンセル色票のＣＩＥ  １９７６  Ｌ*ａ*ｂ*色空間における色相角をθnSSL（度）（
ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ*ａ*ｂ*色空間における色相角をθnref（度）（ただしｎは１から１５の自然数）
とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
［４１］［４０］記載の照明方法であって、前記対象物の位置に到達している各発光要素から出射された光の分光分布をφSSLＮ（λ）（Ｎは１からＭ）、前記対象物の位置で測
定した光の分光分布φSSL（λ）が、
【数１４】
0006666064.tif 000015
のときに、
すべてのφSSLＮ（λ）（Ｎは１からＭ）を、前記条件１及び条件Ｉ〜ＩＶを満たすよ
うにできる照明方法。
［４２］［４０］または［４１］に記載の照明方法であって、Ｍ個の発光領域中の、少なくとも１つの発光領域を、他の発光領域に対して電気的に独立駆動し照明する照明方法。［４３］［４２］に記載の照明方法であって、Ｍ個の発光領域すべてを、他の発光領域に対して電気的に独立駆動し照明する照明方法。
［４４］［４０］〜［４３］のいずれかに記載の照明方法であって、前記式（３）で表される飽和度差の平均ＳＡＴave、相関色温度ＴSSL（Ｋ）、及び黒体放射軌跡からの距離ＤuvSSLからなる群から選択される少なくとも１つを変化させることを特徴とする照明方法
。
［４５］［４４］に記載の照明方法であって、前記式（３）で表される飽和度差の平均ＳＡＴave、相関色温度ＴSSL（Ｋ）、及び黒体放射軌跡からの距離ＤuvSSLからなる群から
選択される少なくとも１つを変化させた際に、当該対象物における照度を独立に制御することを特徴とする照明方法。
［４６］［４５］に記載の照明方法であって、前記式（３）で表される飽和度差の平均ＳＡＴave、相関色温度ＴSSL（Ｋ）、及び黒体放射軌跡からの距離ＤuvSSLからなる群から
選択される少なくとも１つを変化させた際に、当該対象物における照度を不変とする照明方法。
［４７］［４５］に記載の照明方法であって、前記式（３）で表される飽和度差の平均ＳＡＴaveを増加させた際に、当該対象物における照度を低減する照明方法。
［４８］［４５］に記載の照明方法であって、相関色温度ＴSSL（Ｋ）を増加させた際に
、当該対象物における照度を増加する照明方法。
［４９］［４５］に記載の照明方法であって、黒体放射軌跡からの距離ＤuvSSLを減少さ
せた際に、当該対象物における照度を減少する照明方法。
［５０］［４０］〜［４９］のいずれかに記載の照明方法であって、最近接している異なる発光領域全体を包絡する仮想外周上にある任意の２点がつくる最大距離をＬ、発光装置と照明対象物の距離をＨとした際に、
５×Ｌ≦Ｈ≦５００×Ｌ
となるように距離Ｈを設定する照明方法。
【発明の効果】
【００１４】
本発明によれば、「自然で、生き生きとした、視認性の高い、快適な、色の見え、物体の見えを実現できる発光装置」において、良好な色の見えと高い光源効率の両立を実現できる。
また、本発明により実現する利便さは、以下の通りである。
すなわち、年齢、性別、国などによって、また、どのような空間をどのような目的で照明するかによって、最適な照明は異なるが、本発明の発光装置、また本発明の発光装置の駆動方法を用いると、より最適と考えられる照明条件を、可変範囲から容易に選択することができる。
【図面の簡単な説明】
【００１５】
【図１】分光分布がφSSL（λ）である一実施態様において、パラメータφSSL-BM-max、λSSL-BM-max、φSSL-BG-min、λSSL-BG-min、φSSL-RM-max、λSSL-RM-max、φSSL-RL-max、およびλSSL-RL-maxの関係を表す図である。
【図２】パラメータＡcgの積分範囲を示す図である（ＣＣＴが５０００Ｋ以上の場合）。
【図３】パラメータＡcgの積分範囲を示す図である（ＣＣＴが５０００Ｋ未満の場合）。
【図４】ピーク波長４１０ｎｍの半導体発光素子を内包し、狭帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１）。
【図５】ピーク波長４１０ｎｍの半導体発光素子を内包し、狭帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例２）。
【図６】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（参考実験例１）。
【図７】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例１）。
【図８】ピーク波長４６０ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例９）。
【図９】ピーク波長４６０ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例１８）。
【図１０】ピーク波長４５２．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例２０）。
【図１１】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例４０）。
【図１２】ピーク波長４５２．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例４７）。
【図１３】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例４９）。
【図１４】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（実験例５０）。
【図１５】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例３）。
【図１６】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例４）。
【図１７】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例５）。
【図１８】ピーク波長４５７．５ｎｍの半導体発光素子を内包し、黄色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例７）。
【図１９】ピーク波長４５５ｎｍの半導体発光素子を内包し、狭帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１０）。
【図２０】ピーク波長４４７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１５）。
【図２１】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１６）。
【図２２】ピーク波長４５０ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１８）。
【図２３】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例１９）。
【図２４】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例２２）。
【図２５】ピーク波長４５７．５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例２３）。
【図２６】ピーク波長４６５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例２６）。
【図２７】ピーク波長４６５ｎｍの半導体発光素子を内包し、広帯域緑色蛍光体と赤色蛍光体を備えたパッケージＬＥＤから出射され、１５種類の修正マンセル色票を照明したと仮定した分光分布と、当該ＬＥＤで照明された場合と、基準の光で照明された場合の当該１５種類の修正マンセル色票のａ*値とｂ*色とを共にプロットしたＣＩＥＬＡＢ色空間を示す図である（比較実験例２７）。
【図２８】実施例１と比較例で用いるパッケージＬＥＤの発光領域の配置を示す図である。
【図２９】実施例１において、発光領域１１と発光領域１２の放射束比を３：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図３０】実施例１において、発光領域１１と発光領域１２の放射束比を２：１にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図３１】実施例１において、発光領域１１と発光領域１２の放射束比を１．５：１．５にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図３２】実施例１において、発光領域１１と発光領域１２の放射束比を１：２にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図３３】実施例１において、発光領域１１と発光領域１２の放射束比を０：３にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図３４】実施例１における駆動点ＡからＥまでの色度をＣＩＥ１９７６ｕ’ｖ’色度図上に示したものである。なお、図面上の二点鎖線は、本発明における条件１を満たすＤuvの範囲である。
【図３５】実施例２で用いるパッケージＬＥＤの発光領域の配置を示す図である。
【図３６】実施例２において、発光領域２１と発光領域２２と発光領域２３の放射束比を３：０：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図３７】実施例２において、発光領域２１と発光領域２２と発光領域２３の放射束比を０：３：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図３８】実施例２において、発光領域２１と発光領域２２と発光領域２３の放射束比を０：０：３にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図３９】実施例２において、発光領域２１と発光領域２２と発光領域２３の放射束比を１：１：１にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図４０】実施例２における駆動点ＡからＤまでの色度をＣＩＥ１９７６ｕ’ｖ’色度図上に示したものである。なお、図面上の二点鎖線は、本発明における条件１を満たすＤuvの範囲である。
【図４１】実施例３で用いる照明システムの発光領域の配置を示す図である。
【図４２】実施例３において、発光領域３１と発光領域３２の放射束比を９０：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図４３】実施例３において、発光領域３１と発光領域３２の放射束比を７０：２０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図４４】実施例３において、発光領域３１と発光領域３２の放射束比を４５：４５にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図４５】実施例３において、発光領域３１と発光領域３２の放射束比を３０：６０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図４６】実施例３において、発光領域３１と発光領域３２の放射束比を０：９０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図４７】実施例３における駆動点ＡからＥまでの色度をＣＩＥ１９７６ｕ’ｖ’色度図上に示したものである。なお、図面上の二点鎖線は、本発明における条件１を満たすＤuvの範囲である。
【図４８】実施例４において、発光領域３１と発光領域３２の放射束比を９０：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図４９】実施例４において、発光領域３１と発光領域３２の放射束比を７０：２０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図５０】実施例４において、発光領域３１と発光領域３２の放射束比を４９：４１にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図５１】実施例４において、発光領域３１と発光領域３２の放射束比を３０：６０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図５２】実施例４において、発光領域３１と発光領域３２の放射束比を０：９０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図５３】実施例４における駆動点ＡからＥまでの色度をＣＩＥ１９７６ｕ’ｖ’色度図上に示したものである。なお、図面上の二点鎖線は、本発明における条件１を満たすＤuvの範囲である。
【図５４】実施例５で用いる発光装置（１対のパッケージＬＥＤ）の発光領域の配置を示す図である。
【図５５】実施例５において、発光領域４１と発光領域４２の放射束比を９：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図５６】実施例５において、発光領域４１と発光領域４２の放射束比を７：２にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図５７】実施例５において、発光領域４１と発光領域４２の放射束比を４．５：４．５にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図５８】実施例５において、発光領域４１と発光領域４２の放射束比を２：７にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図５９】実施例５において、発光領域４１と発光領域４２の放射束比を０：９にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図６０】実施例５における駆動点ＡからＥまでの色度をＣＩＥ１９７６ｕ’ｖ’色度図上に示したものである。なお、図面上の二点鎖線は、本発明における条件１を満たすＤuvの範囲である。
【図６１】実施例６で用いるパッケージＬＥＤの発光領域の配置を示す図である。
【図６２】実施例６において、発光領域５１と発光領域５２の放射束比を１６：０にした場合、の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図６３】実施例６において、発光領域５１と発光領域５２の放射束比を４：１２にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図６４】実施例６において、発光領域５１と発光領域５２の放射束比を３：１３にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図６５】実施例６において、発光領域５１と発光領域５２の放射束比を１：１５にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図６６】実施例６において、発光領域５１と発光領域５２の放射束比を０：１６にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図６７】実施例６における駆動点ＡからＥまでの色度をＣＩＥ１９７６ｕ’ｖ’色度図上に示したものである。なお、図面上の二点鎖線は、本発明における条件１を満たすＤuvの範囲である。
【図６８】比較例において、発光領域１１と発光領域１２の放射束比を３：０にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ａ）。
【図６９】比較例において、発光領域１１と発光領域１２の放射束比を２：１にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｂ）。
【図７０】比較例において、発光領域１１と発光領域１２の放射束比を１．５：１．５にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｃ）。
【図７１】比較例において、発光領域１１と発光領域１２の放射束比を１：２にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｄ）。
【図７２】比較例において、発光領域１１と発光領域１２の放射束比を０：３にした場合の分光分布、及び当該分光分布で照明した場合（実線）と、当該分光分布に対応する計算用基準光で照明した場合（点線）をそれぞれ仮定した、当該１５種類の修正マンセル色票のａ*値とｂ*値とを共にプロットしたＣＩＥＬＡＢ色空間を示す図である（駆動点Ｅ）。
【図７３】比較例における駆動点ＡからＥまでの色度をＣＩＥ１９７６ｕ’ｖ’色度図上に示したものである。なお、図面上の二点鎖線は、本発明における条件１を満たすＤuvの範囲である。
【図７４】本発明の発光装置が備える発光領域を示す図である。
【発明を実施するための形態】
【００１６】
以下、本発明を詳細に説明するが、本発明は以下の実施の形態に限定されるものではなく、その要旨の範囲内であれば種々に変更して実施することができる。
なお、本発明の第一乃至第三の実施態様では、発光装置が放射する光のうち「主たる放射方向」の光により発明を特定するものである。そのため、本発明の要件を満たす「主たる放射方向」の光を含む放射を行うことができる発光装置は、本発明の範囲に属するものである。
また、本発明の第四の実施態様における照明方法は、該照明方法に用いる発光装置から出射された光が対象物を照明した場合において、当該対象物が照明されている位置における光により、発明を特定するものである。そのため、本発明の要件を満たす「対象物が照明されている位置」における光を出射できる発光装置による照明方法は、本発明の範囲に属するものである。
【００１７】
ここで、本発明の第一乃至第三の実施態様における「主たる放射方向（radiant direction）」とは、発光装置の使用状況に即して、適した範囲を有し、かつ、適した向きへ光
が放射されている方向を示す。
例えば、発光装置の光度（luminous intensity）もしくは輝度(luminance)が最大もし
くは極大となる方向でありうる。
また、発光装置の光度もしくは輝度が最大もしくは極大となる方向を含む有限の範囲を持った方向でありうる。
また、発光装置の放射強度（radiant intensity）あるいは放射輝度（radiance）が最
大もしくは極大となる方向でありうる。
また、発光装置の放射強度あるいは放射輝度が最大もしくは極大となる方向を含む有限の範囲を持った方向でありうる。
【００１８】
以下、具体的に例示する。
発光装置が単体発光ダイオード（ＬＥＤ）、単体パッケージＬＥＤ，単体ＬＥＤモジュール、単体ＬＥＤ電球、蛍光ランプと半導体発光素子の単体複合ランプ、白熱電球と半導体発光素子の単体複合ランプ等である場合には、主たる放射方向は各発光装置の鉛直方向、鉛直方向を含む有限の立体角内、例えば最大でπ（ｓｒ）、最小でπ／１００（ｓｒ）でありうる。
発光装置が前記パッケージＬＥＤ等にレンズ、反射機構等を付与したＬＥＤ照明器具、蛍光ランプと半導体発光素子が内在する照明器具であって、いわゆる、直接型照明用途、半直接型照明用途、全般拡散照明用途、直接／間接型照明用途、半間接型照明用途、間接型照明用途に応用可能な配光特性を有する場合には、主たる放射方向は、各発光装置の鉛直方向、鉛直方向を含む有限の立体角内、例えば最大でπ（ｓｒ）、最小でπ／１００（ｓｒ）でありうる。また、発光装置の光度もしくは輝度が最大もしくは極大となる方向でありうる。また、発光装置の光度もしくは輝度が最大もしくは極大となる方向を含む有限の立体角内、例えば最大でπ（ｓｒ）、最小でπ／１００（ｓｒ）でありうる。また、発光装置の放射強度あるいは放射輝度が最大もしくは極大となる方向でありうる。また、発光装置の放射強度あるいは放射輝度が最大もしくは極大となる方向を含む有限の立体角内、例えば最大でπ（ｓｒ）、最小でπ／１００（ｓｒ）でありうる。
発光装置が、前記ＬＥＤ照明器具や蛍光ランプが内在する照明器具を複数搭載した照明システムである場合は、主たる放射方向は、各発光装置の平面的中心の鉛直方向、当該鉛直方向を含む有限の立体角内、例えば最大でπ（ｓｒ）、最小でπ／１００（ｓｒ）でありうる。また、発光装置の光度もしくは輝度が最大もしくは極大となる方向でありうる。また、発光装置の光度もしくは輝度が最大もしくは極大となる方向を含む有限の立体角内、例えば最大でπ（ｓｒ）、最小でπ／１００（ｓｒ）でありうる。また、発光装置の放射強度あるいは放射輝度が最大もしくは極大となる方向でありうる。また、発光装置の放射強度あるいは放射輝度が最大もしくは極大となる方向を含む有限の立体角内、例えば最大でπ（ｓｒ）、最小でπ／１００（ｓｒ）でありうる。
発光装置から当該主たる放射方向に出射された光の分光分布を計測するためには、計測点における照度が実用上の照度（後述の通り１５０ｌｘ以上５０００ｌｘ以下）となる距離で計測することが好ましい。
【００１９】
本明細書においては、数学的な色の見えを予想する際に計算上用いるＣＩＥで定義された基準の光を、基準の光、計算用基準の光、計算用基準光などと記載する場合がある。一方、視覚的な実比較で用いる実験用の基準の光、すなわちタングステンフィラメントが内在する白熱電球光などは、基準の光、実験用基準の光、実験用基準光と記載する場合がある。また、基準の光に近接した色の見えとなると予想される高Ｒaかつ高Ｒiである光、たとえばＬＥＤ光源であって、比較視覚実験で実験用基準光の代替光として用いる光は、基準の光、実験用疑似基準の光、実験用擬似基準光と記載する場合がある。また、数学的にまた実験的に検討対象とした光を、基準の光に対して、試験光と記載する場合がある。
【００２０】
本発明の第一の実施態様に係る発光装置は、Ｍ個（Ｍは２以上の自然数）の発光領域が内在する。本明細書においては、製造工程上の一般的ばらつきを許容した上で等価な分光分布の光を出射する発光領域を、同種の発光領域と表現する。すなわち、発光領域が物理的に分離し、離間して配置されていても、製造工程上の一般的ばらつきを許容した上で等価な分光分布の光を出射する場合には同種の発光領域である。つまりは、本発明の第一の実施態様に係る発光装置は、分光分布がそれぞれ異なる光を出射する、２種以上の発光領域が内在するものである。
また、複数種類の発光領域のうち少なくとも一つの発光領域に、青色半導体発光素子、緑色蛍光体、及び赤色蛍光体を発光要素として備える。少なくとも一つの発光領域に青色半導体発光素子、緑色蛍光体、及び赤色蛍光体を発光要素として備えていれば、各発光領域が備える発光要素に制限はない。半導体発光素子、蛍光体以外の発光要素としては、投
入された種々のエネルギーを電磁放射のエネルギーに変換し、その電磁放射エネルギー中に３８０ｎｍから７８０ｎｍの可視光を含むものであればよい。例えば、電気エネルギーを変換しうる熱フィラメント、蛍光管、高圧ナトリウムランプ、レーザ、二次高調波発生（ＳＨＧ）源等を例示することができる。
本発明の第一の実施態様に係る発光装置は、発光要素である青色半導体発光素子、緑色蛍光体、及び赤色蛍光体を備える発光領域を含め、複数の発光領域が内在すれば、それ以外の構成は特段限定されない。発光領域としては、単体の半導体発光素子に通電機構としてのリード線等を付与したものでも、放熱機構等をさらに付与し蛍光体等と一体にしたパッケージ化ＬＥＤ等でもよい。
また、発光装置としては、１以上のパッケージ化ＬＥＤにさらに堅牢な放熱機構を付与し、一般的には複数のパッケージＬＥＤを搭載したＬＥＤモジュールでもよい。さらには、パッケージＬＥＤ等にレンズ、光反射機構等を付与したＬＥＤ照明器具であってもよい。さらに、ＬＥＤ照明器具等を多数支持し、対象物を照明できるように仕上げた照明システムであってもよい。本実施態様に係る発光装置とは、これらをすべて含んだものである。
【００２１】
本発明の第一の実施態様に係る発光装置では、各発光領域から出射される光の分光分布をφSSLＮ（λ）（Ｎは１からＭ）とし、前記発光装置から当該放射方向に出射されるす
べての光の分光分布φSSL（λ）を、
【数１５】
0006666064.tif 000016
とする。このことを図７４により説明する。
図７４に記載の発光装置１００は、本発明の第一の実施態様に係る発光装置の一態様である。発光装置１００は、上記式においてＭ＝５の場合を示しており、発光領域１〜発光領域５の、５つの（すなわち５種類の）発光領域が内在する。各発光領域は青色半導体発光素子、緑色蛍光体、及び赤色蛍光体を搭載したパッケージ化ＬＥＤ６を発光要素として備える。
発光領域１から出射される光の分光分布をφSSL１（λ）、発光領域２から出射される
光の分光分布をφSSL２（λ）、発光領域３から出射される光の分光分布をφSSL３（λ）、発光領域４から出射される光の分光分布をφSSL４（λ）、発光領域５から出射される
光の分光分布をφSSL５（λ）と表すと、発光装置から当該放射方向に出射されるすべて
の光の分光分布φSSL（λ）は、
【数１６】
0006666064.tif 000017
と表される。すなわちＮが１からＭの場合、
【数１７】
0006666064.tif 000018
と表すことができる。
【００２２】
本発明では、光源効率が改善され、かつ、屋外で見たような、自然で、生き生きとした、視認性の高い、快適な、色の見え、物体の見えを実現しつつ、色の見えを可変とすることができる。具体的には、上記φSSL（λ）が、各発光領域から出射される光束量かつ／
または放射束量を変化させることで、特定の条件を満たし得る発光領域が内在する発光装置に関する。
以下、本発明に関して詳細に説明をする。
【００２３】
本発明者は、一般の室内照度環境下にあっても、屋外の高照度環境下で見たように、自然で、生き生きとした、視認性の高い、快適な、色の見え、物体の見えを実現できるスペクトルあるいは分光分布に共通する放射計測学的特性（ｒａｄｉｏｍｅｔｒｉｃ  ｐｒｏｐｅｒｔｙ）、測光学的特性（ｐｈｏｔｏｍｅｔｒｉｃ  ｐｒｏｐｅｒｔｙ）を見出した。さらに、当該スペクトルあるいは分光分布を有する光による照明を仮定した場合の特定の分光反射特性を有する色票の色の見えが、計算用基準光による照明を仮定した場合と比較して、どのように変化する場合（あるいは変化しない場合）に前記目的が実現可能かを、測色学（ｃｏｌｏｒｉｍｅｔｒｙ）的観点から見出し、その全体として発明に到達した。加えて、上記の発明について、光源効率の観点から改良を加え、高い光源効率を有する発光装置に到達した。更に、複数の発光領域が内在する場合に、色の見えを可変とすることができることをも見出した。
【００２４】
＜発光要素単体の発光と、発光装置の発光＞
本実施態様に係る発光装置は、複数の発光領域を有するものであり、例えば半導体発光素子と蛍光体を内包するパッケージ化ＬＥＤ、あるいは、さらにパッケージ化ＬＥＤを内包するＬＥＤ電球、さらにはこのような発光装置を集積化した発光モジュール、発光システム等でありうる。ここで、本実施態様に係る発光装置を構成し、自発光あるいは他から励起された結果として発光可能な部材／材料を発光要素と記載する。よって、本実施態様では、半導体発光素子、蛍光体等は発光要素であり得る。
【００２５】
さて、本実施態様に係る発光装置から主たる放射方向に出射される光は、発光要素の発光の重ね合わせが基礎になるものの、様々な要因によって、必ずしも単純な重ね合わせとはならない。例えば、発光要素間の光の相互吸収等は大きな要因である。また、本実施態様に係る発光装置に内包可能なレンズ／フィルター等が有する分光透過特性によって、単純な発光要素の分光分布の重ね合わせから発光装置の分光分布が大きく変化する場合もある。加えて、発光要素近傍にある発光装置構成部材、例えば反射膜等の分光反射特性によって、単純な発光要素の分光分布の重ね合わせから発光装置の分光分布が変化してしまう場合もある。
さらに、広く用いられる発光要素単体での測定環境と、発光装置の一般的測定環境の「差」によって、発光要素の分光分布の重ね合わせから、発光装置の分光分布が単純には導出できないことも考慮する必要がある。
【００２６】
そこで、本実施態様に係る発光装置内の発光要素を規定する場合には以下の通りとした。
紫色半導体発光素子は、単体のパルス電流駆動時のピーク波長λCHIP-VM-maxで特徴付
けた。
青色半導体発光素子は、発光素子単体のパルス電流駆動時のドミナント波長λCHIP-BM-domで特徴付けた。
蛍光体材料は、材料単体で光励起した際の発光ピーク波長（緑色蛍光体に対してはλPHOS-GM-max、赤色蛍光体に対してはλPHOS-RM-maxと記載）と、その発光分光分布の半値全幅（緑色蛍光体に対してはＷPHOS-GM-fwhm、赤色蛍光体に対してはＷPHOS-RM-fwhmと記載）で特徴付けた。
【００２７】
一方、本実施態様に係る発光装置そのものの分光分布φSSL（λ）を特徴付ける際には
、連続通電時の特性を基礎とし以下の様な指標で特徴付けた。
具体的には、４３０ｎｍ以上４９５ｎｍ以下の範囲における分光強度の最大値φSSL-BM-max、これを与える波長λSSL-BM-max、
４６５ｎｍ以上５２５ｎｍ以下の範囲における分光強度の最小値φSSL-BG-min、これを与える波長λSSL-BG-min、
５９０ｎｍ以上７８０ｎｍ以下の範囲における分光強度の最大値λSSL-RM-max、これを与える波長λSSL-RM-max、
さらには後述する指標Ａcgの定義で用いられる３８０ｎｍ以上７８０ｎｍ以下の範囲で分光分布φSSL（λ）から導出される規格化分光分布ＳSSL（λ）の最長波長極大値φSSL-RL-maxを与えるλSSL-RL-max、によって特徴付けた。この関係を図１に示す。
よって、例えば、λCHIP-BM-domはλSSL-BM-maxと異なるのが一般的であり、λPHOS-RM-maxもλSSL-RM-maxと異なるのが一般的である。一方で、λSSL-RL-maxは、λSSL-RM-maxと同じ値をとることがしばしば発生する。
【００２８】
＜指標Ａcg＞
指標Ａcgは、特許第５２５２１０７号と特許第５２５７５３８号に開示されている通り、以下で定義される。
本実施態様に係る発光装置からの主たる放射方向に出射される光を測定した場合における異なる色刺激となる計算用基準光と試験光の分光分布をそれぞれφref（λ）、φSSL（λ）とし、等色関数をｘ（λ）、ｙ（λ）、ｚ（λ）、計算用基準光と試験光に対応する三刺激値をそれぞれ（Ｘref、Ｙref、Ｚref）、（ＸSSL、ＹSSL、ＺSSL）とする。ここで、計算用基準光と試験光に関して、ｋを定数として、以下が成立する。
Ｙref＝ｋ∫φref（λ）・ｙ（λ）ｄλ
ＹSSL＝ｋ∫φSSL（λ）・ｙ（λ）ｄλ
ここで、計算用基準光と試験光の分光分布をそれぞれのＹで規格化した規格化分光分布を
Ｓref（λ）＝φref（λ）／Ｙref
ＳSSL（λ）＝φSSL（λ）／ＹSSL
と定義し、これら規格化基準光分光分布と規格化試験光分光分布の差を
ΔＳ（λ）＝Ｓref（λ）−ＳSSL（λ）
とする。ここで、指標Ａcgは以下で導出する。
【００２９】
【数１８】
0006666064.tif 000019
【００３０】
なお、ここで各積分の上下限波長は、それぞれ
Λ１＝３８０ｎｍ
Λ２＝４９５ｎｍ
Λ３＝５９０ｎｍ
である。
【００３１】
また、Λ４は、以下の２つの場合に分けて定義される。まず、規格化試験光分光分ＳSSL（λ）において、３８０ｎｍから７８０ｎｍ内で、最長波長極大値を与える波長をλSSL-RL-max（ｎｍ）、その規格化分光強度をＳSSL（λSSL-RL-max）とした際に、λSSL-RL-maxよりも長波長側にあり、強度がＳSSL（λSSL-RL-max）／２となる波長がΛ４である。
もし、そのような波長が７８０ｎｍまでの範囲内に存在しない場合は、Λ４は７８０ｎｍ
である。
【００３２】
＜狭帯域／広帯域＞
本実施態様に係る狭帯域発光要素とは、特許第５２５２１０７号と特許第５２５７５３８号記載と同一の定義であって、発光要素の半値全幅が、短波長領域（３８０ｎｍから４９５ｎｍ）、中間波長領域（４９５ｎｍから５９０ｎｍ）、長波長領域（５９０ｎｍから７８０ｎｍ）のそれぞれの領域幅である１１５ｎｍ、９５ｎｍ、１９０ｎｍに対して、２／３以下であるものをいう。
逆に、本実施態様に係る広帯域発光要素とは、発光要素の半値全幅が、短波長領域（３８０ｎｍから４９５ｎｍ）、中間波長領域（４９５ｎｍから５９０ｎｍ）、長波長領域（５９０ｎｍから７８０ｎｍ）のそれぞれの領域幅である１１５ｎｍ、９５ｎｍ、１９０ｎｍに対して、２／３よりも広いものをいう。よって、おおよそ、短波長領域においては約７７ｎｍ以上、中間波長領域においては約６４ｎｍ以上、長波長領域においては約１２７ｎｍ以上の半値全幅を有する発光要素が広帯域発光要素である。
【００３３】
＜光源の色度表記＞
本実施態様に係る発光装置の色度点の明示は以下の通りとした。発光装置から主たる放射方向に出射された光が有する分光分布から導出される色度は、例えばＣＩＥ  １９３１（ｘ、ｙ）色度図やＣＩＥ  １９７６（ｕ’、ｖ’）色度図で議論可能である。しかし、色度図上の位置は相関色温度ＣＣＴと偏差Ｄuvで記述すると見通しがよいため、本実施態様では特に（ｕ’、（２／３）ｖ’）色度図（ＣＩＥ  １９６０（ｕ、ｖ）色度図と同義）を用いた。
ここで、本実施態様に係る偏差Ｄuvは、ＡＮＳＩ  Ｃ７８．３７７で定義されている量であって、（ｕ’、（２／３）ｖ’）色度図における黒体放射軌跡に対して最近接となる距離を絶対値として示している。また、正符号は発光装置の色度点が黒体放射軌跡の上方（ｖ’が大きい側）に位置し、負符号は発光装置の色度点が黒体放射軌跡の下方（ｖ’が小さい側）に位置することを意味する。
【００３４】
＜φSSL-BG-min／φSSL-BM-maxおよびφSSL-BG-min／φSSL-RM-max＞
φSSL-BG-minは、主として、青色半導体発光素子の発光に由来する分光放射束の長波長側テール（分光放射束強度が低下する裾野部分）と、中間波長領域を担う発光要素の発光に由来する分光放射束の短波長側テール（分光放射束強度が低下する裾野部分）とが重なる部分に現れる。換言すると、短波長領域と中間波長領域にまたがる４６５ｎｍ以上５２５ｎｍ以下の範囲にφSSL（λ）形状の凹部として発生しがちである。
後述する、数学的に導出される特定１５修正マンセル色票の色の見えに関して、その飽和度を比較的均等に向上させようとすると、φSSL-BG-minを４３０ｎｍ以上４９５ｎｍ以下の範囲における分光強度の最大値で規格化したφSSL-BG-min／φSSL-BM-max、および、φSSL-BG-minを５９０ｎｍ以上７８０ｎｍ以下の範囲における分光強度の最大値で規格化したφSSL-BG-min／φSSL-RM-maxを慎重に制御する必要がある。すなわち、本実施態様の発光装置においては、φSSL-BG-min／φSSL-BM-maxおよびφSSL-BG-min／φSSL-RM-maxには、後述するように最適範囲が存在する。
【００３５】
＜基準の光、実験用基準の光、試験光＞
本実施態様においては、数学的な色の見えを予想する際に計算上用いるＣＩＥで定義された基準の光を、基準の光、計算用基準の光、計算用基準光などと記載した。一方、視覚的な実比較で用いる実験用の基準の光、すなわちタングステンフィラメントを有する白熱電球光などは、基準の光、実験用基準の光、実験用基準光と記載した。また、基準の光に近接した色の見えとなると予想される高Ｒaかつ高Ｒiである光、たとえば紫半導体発光素子を内包し、青色／緑色／赤色蛍光体を含むＬＥＤ光源も、基準の光、実験用基準の光、実験用基準光と記載した。また、基準の光に対して、数学的にまた実験的に検討対象とし
た光を試験光と記載する場合がある。
【００３６】
＜照明対象物の色の見えの定量化手法＞
分光分布から、その光で照明された物体の色の見えを定量評価するには、数学的な分光反射特性が明らかな色票を定義し、計算用基準光での照明を仮定した場合と、試験光での照明を仮定した場合を比較し、当該色票の「色の見えの差」を指標とするのがよい。
【００３７】
一般には、ＣＲＩで使用される試験色が選択肢となりうるが、平均演色評価数等を導出する際に使用しているＲ1からＲ8の色票は中彩度な色票であって、高彩度な色の飽和度を議論するには適さない。また、Ｒ9からＲ12は高彩度な色票であるが、全色相角範囲の詳
細な議論にはサンプル数が足りない。
【００３８】
そこで、修正マンセル表色系におけるマンセル色相環の中で、最も高彩度な最外周に位置する色票から、色相別に１５種類の色票を選択した。これらは、米国ＮＩＳＴ（Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ）から提案されている新たな演色評価指標のひとつであるＣＱＳ（Ｃｏｌｏｒ  Ｑｕａｌｉｔｙ  Ｓｃａｌｅ）（バージョン７．４及び７．５）で用いる色票と同じである。以下に本実施態様で用いた１５種類の色票を列記する。また冒頭には、便宜上色票に与えた、番号を記載した。なお、本明細書中においては、これら番号をｎと代表させる場合があり、たとえばｎ＝３は、「５ＰＢ  ４／１２」の意味である。ｎは１から１５の自然数である。
【００３９】
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
【００４０】
本実施態様においては、各種指標の導出の観点では、計算用基準光での照明を仮定した場合と試験光での照明を仮定した場合とで、これら１５種類の色票の色の見えが、どのように変化した場合（あるいは変化しなかった場合）に、一般の室内照度環境下にあっても、屋外の高照度環境下で見たように、自然で、生き生きとした、視認性の高い、快適な、色の見え、物体の見えとなるかを定量化し、発光装置が有すべき真の演色性として抽出した。
【００４１】
また、分光分布から数学的に導出される色の見えを定量評価するためには、色空間の選択、色順応式の選択も重要である。本実施態様では、現在ＣＩＥによって推奨されている均等色空間であるＣＩＥ  １９７６  Ｌ*ａ*ｂ*（ＣＩＥＬＡＢ）を用いた。さらに、色
順応計算には、ＣＭＣＣＡＴ２０００（Ｃｏｌｏｕｒ  Ｍｅａｓｕｒｅｍｅｎｔ  Ｃｏｍｉｔｔｅｅ’ｓ    Ｃｈｒｏｍａｔｉｃ  Ａｄａｐｔａｔｉｏｎ  Ｔｒａｎｓｆｏｒｍ  
ｏｆ  ２０００）を採用した。
【００４２】
なお、ＣＩＥＬＡＢ色空間は三次元色空間であるが、本実施態様に係るＣＩＥＬＡＢ色空間においては、主に彩度と色相に注目した事から、明度を割愛し、ａ*、ｂ*軸のみを二次元でプロットした。なお、本実施態様における実施例／比較例等の説明で用いるＣＩＥＬＡＢ色空間では、図中点線で結んだ点は計算用基準光での照明を仮定した結果であって、実線はそれぞれの試験光での照明を仮定した結果である。
【００４３】
さらに具体的には、以下のようにして色の見えに関わる定量化を行った。先ず、本実施態様に係る発光装置が試験光を主たる放射方向に出射する場合における当該試験光（本実施態様の発光装置に係る）のＣＩＥ  １９７６  Ｌ*ａ*ｂ*色空間における当該１５種類
の色票のａ*値、ｂ*値をそれぞれａ*nSSL、ｂ*nSSL（ただしｎは１から１５の自然数）、当該１５種類の色票の色相角をそれぞれθnSSL（度）（ただしｎは１から１５の自然数）とした。さらに、上記試験光の相関色温度ＴSSLに応じて選択される計算用基準の光（５
０００Ｋ未満は黒体放射の光、５０００Ｋ以上においてはＣＩＥ昼光）による照明を数学的に仮定した場合のＣＩＥ  １９７６  Ｌ*ａ*ｂ*色空間における当該１５種類の色票の
ａ*値、ｂ*値をそれぞれａ*nref、ｂ*nref（ただしｎは１から１５の自然数）、当該１５種類の色票の色相角をそれぞれθnref（度）（ただしｎは１から１５の自然数）とした。ここで、当該２つの光で照明された場合の当該１５種類の修正マンセル色票のそれぞれの色相角差Δｈn（度）（ただしｎは１から１５の自然数）の絶対値｜Δｈn｜は
｜Δｈn｜＝｜θnSSL−θnref｜
である。
【００４４】
このように、本実施態様で特別に選択した当該１５種類の修正マンセル色票に関わる数学的に予想される色相角差を定義するのは、試験光と実験用基準光あるいは実験用擬似基準光を用いて視覚実験を行うに当たり、さまざまな物体、あるいは物体の色の見えを全体として評価し、自然で、生き生きとした、視認性の高い、快適な、色の見え、物体の見えを実現する手段として、これらが重要な指標になると考えたからである。
【００４５】
加えて、試験光と計算用基準光の２つの光で照明された場合を仮定した当該１５種類の修正マンセル色票の飽和度差ΔＣn（ただしｎは１から１５の自然数）は
ΔＣn＝√｛（ａ*nSSL）2＋（ｂ*nSSL）2｝−√｛（ａ*nref）2＋（ｂ*nref）2｝
とした。また、当該１５種類の修正マンセル色票の飽和度差の平均値ＳＡＴaveは式（３
）によって表すこととした。
【数１９】
0006666064.tif 000020
さらに、当該１５種類の修正マンセル色票の飽和度差の最大値をΔＣmax、飽和度差の
最小値をΔＣminとした場合に、最大飽和度差と最小飽和度差の間の差（最大最小飽和度
差間差）は
｜ΔＣmax−ΔＣmin｜
とした。
【００４６】
このように、本実施態様で特別に選択した当該１５種類の修正マンセル色票に関わる数学的に予想される飽和度差に関わる種々の特性を定義するのは、試験光と実験用基準光あるいは実験用擬似基準光を用いて視覚実験を行うに当たり、さまざまな物体、あるいは物体の色の見えを全体として評価し、自然で、生き生きとした、視認性の高い、快適な、色
の見え、物体の見えを実現する手段として、これらが重要な指標になると考えたからである。
【００４７】
＜放射効率Ｋ（ｌｍ／Ｗ）と光源効率η（ｌｍ／Ｗ）＞
さらに、本実施態様に係る発光装置から出射された主たる放射方向の光を測定した場合における試験光分光分布φSSL（λ）を評価するに当たり、放射効率  Ｋ  （Ｌｕｍｉｎ
ｏｕｓ  Ｅｆｆｉｃａｃｙ  ｏｆ  ｒａｄｉａｔｉｏｎ）（ｌｍ／Ｗ）は、広く使用されている以下の定義を踏襲した。
【００４８】
【数２０】
0006666064.tif 000021
【００４９】
上記式において、
Ｋm：最大視感度（ｌｍ／Ｗ）
Ｖ（λ）：分光視感効率
λ：波長（ｎｍ）
である。
【００５０】
よって、本実施態様に係る発光装置から出射された主たる放射方向の光を測定した場合における試験光分光分布φSSL（λ）の放射効率Ｋ（ｌｍ／Ｗ）は、分光分布がその形状
として有する効率であると言える。
【００５１】
一方、光源効率η（ｌｍ／Ｗ）は、本実施態様に係る発光装置に投入された電力がどの程度光束に変換されるかを示す量である。
【００５２】
さらに換言／付記すれば、発光装置から出射された主たる放射方向の光を測定した場合における試験光分光分布φSSL（λ）の放射効率Ｋ（ｌｍ／Ｗ）は、分光分布自体がその
形状として有する効率であって、発光装置を構成するすべての材料特性に関する効率（例えば半導体発光素子の内部量子効率、光取り出し効率、蛍光体の内部量子効率、外部量子効率、封止剤の透光特性等々の効率）が１００％であった際に、光源効率η（ｌｍ／Ｗ）と等しくなる量であるとも言える。
【００５３】
＜光源効率に係る発明の着想＞
本発明者は、指標Ａcgが−３６０以上−１０以下の範囲外、特に−１０よりも大きな値を有する場合に、良好な色の見えと高い光源効率の両立が可能かどうかを、以下の通りに、数学的に、また実験的に検討した。
【００５４】
指標Ａcgは色刺激となる放射に関わる可視域を大きく短波長領域（紫等も含む青領域で３８０ｎｍ以上４９５ｎｍ未満）、中間波長領域（黄色等も含む緑色領域で４９５ｎｍ以上５９０ｎｍ未満）、長波長領域（橙色等も含む赤領域で５９０ｎｍ以上７８０ｎｍ以下）に分割し、数学的な規格化基準光分光分布に比較して、規格化試験光分光分布内の適切な位置に、適切な強度で、分光分布の凹凸が存在するかどうかを判断する指標である。図２と図３に例示するように、長波長領域の積分範囲は、最長波長極大値の位置によって異なる。また、試験光の相関色温度ＴSSLによって計算用基準光の選択は異なる。図２の場
合は図中実線で示された試験光のＣＣＴが５０００Ｋ以上なので、基準の光は図中点線で示されるようにＣＩＥ昼光（ＣＩＥ  ｄａｙｌｉｇｈｔ）が選択されている。図３の場合は図中実線で示された試験光のＣＣＴが５０００Ｋ未満なので、基準の光は図中点線で示
されるように黒体放射の光が選択されている。なお、図中網掛け部分は短波長領域、中間波長領域、長波長領域の積分範囲を模式的に示したものである。
【００５５】
さて、特許第５２５２１０７号と特許第５２５７５３８号に開示されている通り、「自然で、生き生きとした、視認性の高い、快適な、色の見え、物体の見えを実現できる発光装置」が実現できる要件の一つは、指標Ａcgが−３６０以上−１０以下の範囲にあることであって、これらは、次のような意味を有すると解することが出来る。
【００５６】
短波長領域においては、数学的な規格化基準光分光分布よりも規格化試験光分光分布の分光強度が強い場合に、指標Ａcgの第一項（ΔＳ（λ）の積分）はマイナスの値をとりやすい。
中間波長領域においては、逆に、規格化基準光分光分布よりも規格化試験光分光分布の分光強度が弱い場合に、指標Ａcgの第二項（−ΔＳ（λ）の積分）はマイナスの値をとりやすい。
さらに、長波長領域においては、規格化基準光分光分布よりも規格化試験光分光分布の分光強度が強い場合に、指標Ａcgの第三項（ΔＳ（λ）の積分）はマイナスの値をとりやすい指標となっている。
すなわち、このような傾向にある場合に「自然で、生き生きとした、視認性の高い、快適な、色の見え、物体の見えを実現できる発光装置」が実現できる要件の中の一つが満たされると解することが出来る。
【００５７】
なお、前記のように、計算用基準光は試験光のＣＣＴによって変わる。すなわち、計算用基準光は試験光のＣＣＴが５０００Ｋ未満の際には黒体放射の光が用いられ、試験光のＣＣＴが５０００Ｋ以上の際には定義されているＣＩＥ昼光（ＣＩＥ  ｄａｙｌｉｇｈｔ）が用いられる。指標Ａcgの値の導出においては、φref（λ）は、数学的に定義されて
いる黒体放射の光かＣＩＥ昼光を用い、一方、φSSL（λ）はシミュレーションした関数
、あるいは実験で発光装置を試作し、その主たる放射方向に出射された光を実測した値を用いた。
【００５８】
一方、光源として、光源効率を向上させようとすると、分光視感効率Ｖ（λ）の形状から考えても、特許第５２５２１０７号と特許第５２５７５３８号に開示の分光分布と本質的に異なる形状とすることが要請される。
【００５９】
指標Ａcgの第一項（３８０ｎｍから４９５ｎｍまでのΔＳ（λ）の波長積分）と第三項（５９０ｎｍからΛ４あるいは７８０ｎｍまでのΔＳ（λ）の波長積分）は、規格化基準光分光分布よりも規格化試験光分光分布の分光強度が過剰には強くない、換言すると、ΔＳ（λ）の波長積分が過剰なマイナス値を取らず、適切な範囲となることが望まれる。なぜならば、この領域のＶ（λ）は相対的に小さな値を有するため、過剰に強い放射が当該領域に存在しても、光束を向上させることへの寄与度が小さくなる。加えて、光源効率を向上させようとすると、指標Ａcgの第二項（４９５ｎｍから５９０ｎｍまでの−ΔＳ（λ）の波長積分）が、規格化基準光分光分布よりも規格化試験光分光分布のスペクトル強度が過剰に弱くない、換言すると−ΔＳ（λ）の波長積分が過剰なマイナス値を取らず、適切な範囲となることが望まれる。なぜならば、この領域のＶ（λ）は相対的に大きな値を有するため、過剰に弱い放射が当該領域に存在すると、光束を向上させることへの寄与度が小さくなるからである。
【００６０】
そこで、本発明者は、上記思想に基づいて、特許第５２５２１０７号と特許第５２５７５３８号開示の内容とまったく異なる分光分布によって、光源効率がより高く、かつ、照明対象物の色の見えに優れた光源が実現可能かどうかを検証し、本実施態様に係る発光装置に到達している。具体的な手法としては、以下である。
【００６１】
まず中間波長領域で発光する発光要素として、特許第５２５２１０７号と特許第５２５７５３８号に好ましい場合として開示されている狭帯域発光要素と異なる、広帯域発光要素を選択した。このようにすることによって、中間波長領域における「規格化基準光分光分布と比較した規格化試験光分光分布の過度の凹凸」が低減し、指標Ａcgの第二項（４９５ｎｍから５９０ｎｍまでの−ΔＳ（λ）の波長積分）において、規格化基準光分光分布よりも規格化試験光分光分布のスペクトル強度が過剰に弱くならないようにすることが出来ると考えた。
【００６２】
さらに、ＬＥＤ発光装置内の蛍光体励起光源の選択に際しても、短波長領域における「規格化基準光分光分布と比較した規格化試験光分光分布の過度の凹凸」を低減させ、指標Ａcgの第一項（３８０ｎｍから４９５ｎｍまでのΔＳ（λ）の波長積分）を過剰なマイナス値としないようにした。すなわち、規格化基準光分光分布よりも規格化試験光分光分布のスペクトル強度が過剰に強くないようにするために、規格化基準光分光分布の分光強度が相対的に高い領域に蛍光体励起光源の発光波長を有するようにした。具体的には、蛍光体励起光源としては紫色半導体発光素子ではなく、青色半導体発光素子を選択した。
【００６３】
＜実験方法とそのまとめ＞
本実施態様に係る発光装置を完成させるための実験とそのまとめは以下の様に行った。
発光装置としては３．５ｍｍ×３．５ｍｍ角の小型パッケージ中に、各種半導体発光素子、各種蛍光体、封止材等を内包させたパッケージＬＥＤを準備した。また当該パッケージＬＥＤを内包させたＬＥＤ灯具も試作した。
【００６４】
試作した各種発光装置を公平に比較するために、装置毎に変更した各種半導体発光素子、各種蛍光体とその配合を除いて、当該小型パッケージ材質、半導体発光素子の搭載位置／方法、ＬＥＤ灯具形状／材質等は全光源で同種とした。また、ＬＥＤ灯具においては、内包するパッケージＬＥＤの分光放射特性を極力保存すべく、搭載レンズは３５０ｎｍから８００ｎｍ程度まで透過特性が平坦な材質を用いた。
【００６５】
このような条件下で、各発光装置の放射計測学的特性（ｒａｄｉｏｍｅｔｒｉｃ  ｐｒｏｐｅｒｔｙ）、測光学的特性（ｐｈｏｔｏｍｅｔｒｉｃ  ｐｒｏｐｅｒｔｙ）を測定した。さらに、各発光装置の分光分布を有する光による照明を仮定した場合の前記１５種類の修正マンセル色票の色の見えと、計算用基準光による照明を仮定した場合のそれを比較して、どのように変化するか（あるいは変化しないか）を、測色学（ｃｏｌｏｒｉｍｅｔｒｙ）的観点から数学的に導出し、前述の様な指標で色の見えを定量評価した。
【００６６】
さらに、本実施態様の実験においては、被験者に色の見えの優劣を判断してもらう、比較視覚実験も行った。比較視覚実験においては、ＡＮＳＩ  Ｃ７８．３７７を参考に、表１に示した色温度グループ毎に実験用基準光を準備して、同一の照明対象物を試験光と実験用基準光とでそれぞれ独立に照明し、どちらの光で照明した場合の色の見えが優れているかをランク−５、ランク−４、ランク−３、ランク−２、ランク−１、ランク０、ランク＋１、ランク＋２、ランク＋３、ランク＋４、ランク＋５の１１ランクに分類してもらった。
【００６７】
【表１】
0006666064.tif 000022
【００６８】
ここで、実験用基準光としては、黒体軌跡の極力近傍に色度座標を有する発光装置を準備した。実験用基準光を発する発光装置は、例えば比較実験例１に示すように、単体の発光ピーク波長４１０ｎｍｍの紫色半導体発光素子、青色蛍光体としてＳＢＣＡ蛍光体、狭帯域緑色蛍光体として光励起時のピーク波長５４５ｎｍ、半値全幅５５ｎｍのβ−ＳｉＡｌＯＮ蛍光体、赤色蛍光体として光励起時のピーク波長６４５ｎｍ、半値全幅９９ｎｍのＣＡＳＯＮ蛍光体を用いて構成し、数学的な基準の光に近接した色の見えとなると考えられる高Ｒaかつ高Ｒiである光を準備した。例えば比較実験例１に示した分光放射特性は、比較視覚実時にＣＣＴ毎に分けたグループＥの実験用基準光の例である。計算されたＣＣＴは４１１６Ｋ、Ｄuvは−０．００１７、Ｒaは９８．０であった。なお、他のＣＣＴグ
ループにおいても、同様に、黒体軌跡の極力近傍に色度座標を有し、照明対象物を照明した際に、数学的な基準の光に近接した色の見えとなると予想される高Ｒaかつ高Ｒiである光を発する発光装置を準備した。
【００６９】
比較視覚実験を行う際には、発光装置を代えることによって発生する照度変化を抑制するために、照明対象物の位置における照度がほぼ等しくなるになるように、照明対象物と発光装置の距離を調整する、駆動用電源を変更しＬＥＤ灯具への注入電流量を調整するなどした。
また、比較視覚実験時の照度は、約１００ｌｘから約７０００ｌｘの範囲とした。
【００７０】
また、比較視覚実験時には、以下の照明対象物などを準備した。ここでは、紫色、青紫色、青色、青緑色、緑色、黄緑色、黄色、黄赤色、赤色、赤紫色等の全色相に渡る有彩色対象物を準備するように配慮した。さらに、白色物、黒色物などの無彩色の対象物も準備した。また、静物、花、食品、衣料品、印刷物等、多数多種類なものを準備した。また、実験においては被験者（日本人）自身の肌も観察対象とした。なお、以下の物体名称前に一部付記した色名称は、通常の環境下でそのように見えるという意味で、厳密な色の表現ではない。
【００７１】
白色セラミック皿、ホワイトアスパラ、ホワイトマッシュルーム、白プリザーブドフラワー、白色ハンカチ、白Ｙシャツ、米飯
紫色プリザーブドフラワー青紫布製ハンカチ、ブルージーンズ、青色プリザーブドフラワー、青緑タオル
緑色パプリカ、レタス、千切りキャベツ、ブロッコリー、緑ライム、緑色りんご
黄色バナナ、黄色パプリカ、黄緑色レモン、黄色プリザーブドフラワー、卵焼き
橙色オレンジ、橙色パプリカ、にんじん
赤色トマト、赤色りんご、赤色パプリカ、赤色ウインナー、赤プリザーブドフラワー
黒プリザーブドフラワー、
ピンク色ネクタイ、ピンクプリザーブドフラワー、
小豆色ネクタイ、コロッケ、とんかつ、ごぼう、クッキー、チョコレート、
落花生、木製器
被験者（日本人）自身の肌
新聞紙、白背景上の黒文字を含むカラー印刷物（多色ずり）、文庫本、週刊誌
シルバー（文字盤白）腕時計
カラーチェッカー（Ｘ―ｒｉｔｅ社製  Ｃｏｌｏｒ  ｃｈｅｃｋｅｒ  ｃｌａｓｓｉｃ  １８色の有彩色と６種類の無彩色（白１、灰色４、黒１）を含む計２４色の色票）
【００７２】
なお、カラーチェッカー中の各色票の名称とマンセル表記は、以下の通りである。
Name              Munsell Notation
Dark skin          3.05 YR  3.69/3.20
Light skin         2.2  YR  6.47/4.10 
Blue sky           4.3  PB  4.95/5.55 
Foliage            6.65 GY  4.19/4.15
Blue flower        9.65 PB  5.47/6.70
Bluish green       2.5  BG  7/6 
Orange             5    YR  6/11
Purplish blue      7.5  PB  4/10.7
Moderate red       2.5   R  5/10 
Purple             5     P  3/7
Yellow green       5    GY  7.08/9.1
Orange yellow      10   YR  7/10.5 
Blue               7.5  PB  2.90/12.75
Green              0.1   G  5.38/9.65
Red                5     R  4/12 
Yellow             5     Y  8/11.1 
Magenta            2.5  RP  5/12
Cyan               5     B  5/8
White                    N  9.5/ 
Neutral            8     N  8/ 
Neutral            6.5   N  6.5/ 
Neutral            5     N  5/ 
Neutral            3.5   N  3.5/ 
Black                    N  2/ 
【００７３】
比較視覚実験を行った際のランク分けは、被験者のランク分け結果を元に統計的に処理し、以下の通りとした。実験用基準の光と同一あるいは同程度か、変化が感じられない場合をランク０とした。また、「自然で、生き生きとした、視認性の高い、快適な、色の見え、物体の見えが実現でき」、若干好ましい場合はランク＋１、好ましい場合はランク＋２、より好ましい場合はランク＋３、非常に好ましい場合はランク＋４、格段に好ましい場合はランク＋５とした。逆に、「自然で、生き生きとした、視認性の高い、快適な、色の見え、物体の見えが実現できない」場合は、その程度によって、若干好ましくない場合はランク−１、好ましくない場合はランク−２、より好ましくない場合はランク−３、非常に好ましくない場合はランク−４、格段に好ましくない場合はランク−５とした。
【００７４】
ランク判断をする上で、被験者に対しては、以下の観点で照明対象物を観察し、総合的に点数化するように指示した。すなわち、実験用基準光で照明した場合と比較して各発光装置で照明した場合に、Ａ）白黒の様な「無彩色の見え」が好ましく知覚されるかどうか、Ｂ）白背景上の黒文字を含む印刷物、新聞等に記載されている文字が読みやすいかどうか、Ｃ）被験者自身の肌色等を含む、各種色相を有する「有彩色の色の見え」が好ましく知覚されるかどうか、Ｄ）近似した色相を有する対象物（例えば、２つの異なる個体としての赤パプリカ）の色を識別しやすいかどうか、Ｅ）同じ照度でありながら明るく感じられるかどうか（明るさ感が向上するか）である。
【００７５】
なお、以下示す表２から表１５にまとめた各種指標において、「発光要素」と記載された欄は前述のとおりに発光要素単体の特性を示しており、「発光装置」と記載された欄は、パッケージＬＥＤとして測定した結果である。「色の見え」と記載された欄は、パッケージＬＥＤの分光分布より計算で求めた結果であって、「比較視覚実験結果」と記載された欄は、当該パッケージＬＥＤを内包するＬＥＤ灯具を用いた比較視覚実験時の照明対象物の色の見えに関するランク分けの結果である。
【００７６】
以下、実験例と比較実験例を用いて、光源効率の改善に係る発明を詳細に説明するが、本発明の範囲が実験例のみに限定されないことはいうまでもない。
【００７７】
＜概要説明＞
先ず、表２に示す４種の発光装置を例に本実施態様の概要と効果を説明する。
【００７８】
【表２−１】
0006666064.tif 000023
【００７９】
【表２−２】
0006666064.tif 000024
【００８０】
比較実験例１は、照明対象物を照明した際に、基準の光に近接した色の見えとなり、平均演色評価数（Ｒa）がきわめて高く、特殊演色評価数（Ｒi）も高い実験用基準光を放射する発光装置であって、Ａcgは＋６４．１であった。この光源は、蛍光体励起光源として紫色半導体発光素子を用い、かつ、緑色蛍光体として狭帯域のβ−ＳｉＡｌＯＮ（蛍光体単体の光励起時の発光強度最大値を与える波長が５４５ｎｍで、その半値全幅が５５ｎｍ）を用いて実現したものである。
なお、本明細書で記載するＳＢＣＡ蛍光体、β−ＳｉＡｌＯＮ蛍光体、ＣＡＳＯＮ蛍光体の詳細は、特許第５２５２１０７号と特許第５２５７５３８号に開示されている材料と同じである。
【００８１】
比較実験例２は、特許第５２５２１０７号と特許第５２５７５３８号に開示されている光を放射する発光装置であって、Ａcgは−４４．９であった。この発光装置も、比較実験例１同様に、蛍光体励起光源として紫色半導体発光素子を用い、かつ、緑色蛍光体として狭帯域のβ−ＳｉＡｌＯＮ（蛍光体単体の光励起時の発光強度最大値を与える波長が５４５ｎｍで、その半値全幅が５５ｎｍ）を用いて実現したものである。
【００８２】
参考実験例１も、特許第５２５２１０７号と特許第５２５７５３８号の範疇となる光を放射する発光装置であって、Ａcgは−５８．７であった。しかし、この発光装置は、蛍光体励起光源として青色半導体発光素子を用い、かつ、緑色蛍光体として広帯域のＣＳＭＳ（蛍光体単体の光励起時の発光強度最大値を与える波長が５１４ｎｍで、その半値全幅が１０６ｎｍ）を用いて実現したものである。
【００８３】
一方、実験例１は、特許第５２５２１０７号と特許第５２５７５３８号にも開示されていない光を放射する新規な発光装置であって、Ａcgは＋１０．４であった。この光源は、蛍光体励起光源として青色半導体発光素子を用い、かつ、緑色蛍光体として広帯域のＣＳＯ（蛍光体単体の光励起時の発光強度最大値を与える波長が５２０ｎｍで、その半値全幅が９６ｎｍ）を用いて実現したものである。
【００８４】
なお、これら四発光装置は、比較のために、全て近接した相関色温度（約３８００〜４２００Ｋ）としている。また、実験用基準光として準備した比較実験例１の発光装置を除き、ＤuvSSLも近接した値（約−０．０１００〜−０．０１２５）とした。
【００８５】
その他、各光源の詳細な構成材料、その特徴、発光装置としての特性は表２にまとめた。表２には、特定１５種類の修正マンセル色票において、基準の光で照明した場合と、それぞれの試験光で照明した場合との色の見えの差を数学的に導出した結果も示している。さらに、実験用基準光として準備した比較実験例１の発光装置を基準にして、残り３種の発光装置によって、実際の色の見えがどのようになるか、比較視覚実験を行った結果も示している。
【００８６】
比較実験例１の発光装置、比較実験例２の発光装置、参考実験例１の発光装置、実験例１の発光装置それぞれの分光放射束特性は図４から図７に示した。また、図４から図７には、特定１５種類の修正マンセル色票において、基準の光で照明した場合と、それぞれの試験光で照明した場合との色の見えをａ*値とｂ*値とを共にプロットしたＣＩＥＬＡＢ色空間も示した。なお、ＣＩＥＬＡＢ色空間において基準の光で照明した場合は点線で、それぞれの試験光で照明した場合は実線で示した。
【００８７】
ここで、表２、図５から図７等から、以下のことが分かる。
比較実験例２の発光装置は、指標Ａcgが−４４．９で、発光装置としての光源効率ηは４５．９（ｌｍ／Ｗ）であった。また、数学的には、図５からも各色相の飽和度が比較的均等に向上することが分かり、実際に、比較視覚実験でも、色の見えは比較実験例１の発光装置よりも良好と判断され、ランク４であった。
【００８８】
さらに、参考実験例１の発光装置は指標Ａcgが−５８．７で、発光装置としての光源効率ηは４８．０（ｌｍ／Ｗ）であった。また、数学的には、図６からも各色相の飽和度が比較的均等に向上することが分かり、実際に、色の見えは比較実験例１の発光装置よりも良好と判断され、ランク４であった。
【００８９】
これに対して、実験例１に示した発光装置は、指標Ａcgが＋１０．４であった。発光装置としての光源効率ηは５４．４（ｌｍ／Ｗ）と、いずれの発光装置よりも相対的に高かった。また、数学的には、図７からも各色相の飽和度が比較的均等に向上することが分かり、実際に、色の見えは比較実験例１の発光装置よりも良好であると判断され、ランク５であった。
【００９０】
すなわち、実験例１の発光装置の結果は、特許第５２５２１０７号と特許第５２５７５３８号記載の発光装置の範囲外、特に指標Ａcgが−１０よりも大きな値を有する場合であっても、「自然で、生き生きとした、視認性の高い、快適な、色の見え、物体の見えを実現できる発光装置」が実現可能な場合がある事を具体的に例示していると言える。さらに、そのような場合にこそ、発光装置の光源効率ηを向上させ得ることも分かる。
【００９１】
＜詳細説明１＞
次に、実験例／比較実験例をさらに例示して、本実施態様に係る光源効率の改善を詳細に説明する。
表３から表７は、本実施態様の実験例を示している。これらは、表番号順に、比較視覚実験の総合的ランク分類でそれぞれランク＋１からランク＋５となった発光装置の結果である。また、１つのランクに分類された発光装置は、低ＴSSLから高ＴSSLの順に並べた。さらに、図８から図１４は、それぞれのランクから例として抽出した発光装置が発する光の分光分布とＣＩＥＬＡＢ色空間を例示したものである。
【００９２】
【表３−１】
0006666064.tif 000025
【００９３】
【表３−２】
0006666064.tif 000026
【００９４】
【表４−１】
0006666064.tif 000027
【００９５】
【表４−２】
0006666064.tif 000028
【００９６】
【表５−１】
0006666064.tif 000029
【００９７】
【表５−２】
0006666064.tif 000030
【００９８】
【表５−３】
0006666064.tif 000031
【００９９】
【表５−４】
0006666064.tif 000032
【０１００】
【表６−１】
0006666064.tif 000033
【０１０１】
【表６−２】
0006666064.tif 000034
【０１０２】
【表７−１】
0006666064.tif 000035
【０１０３】
【表７−２】
0006666064.tif 000036
【０１０４】
これら実験例／比較実験例の結果を詳細に検討したところ、発光装置によって照明した色の見えが、比較視覚実験でランク＋１以上と判断されるためには、発光装置は以下の発光要素を内包していたことが分かる。
条件α：青色半導体発光素子
条件β：広帯域緑色蛍光体
条件γ：赤色蛍光体
【０１０５】
一方、発光装置によって照明した色の見えが、比較視覚実験でランク＋１以上と判断されるためには、発光装置の分光分布φSSL（λ）から導出される各指標は、以下の特徴を
全て有していたことが分かる。
条件１：  −１０．０  ＜  Ａcg ≦  １２０．０
条件２：  −０．０２２０  ≦  ＤuvSSL  ≦  −０．００７０
条件３：  ０．２２５０  ≦  φSSL-BG-min／φSSL-BM-max  ≦  ０．７０００
条件４：  ６０５（ｎｍ）  ≦  λSSL-RM-max  ≦  ６５３（ｎｍ）
【０１０６】
さらに、比較視覚実験でランク＋１以上と判断された発光装置の分光分布φSSL（λ）
は、以下の特徴も有し得ることが分かる。
条件５：  ４３０（ｎｍ）  ≦  λSSL-BM-max  ≦  ４８０（ｎｍ）
条件６：  ０．１８００  ≦  φSSL-BG-min／φSSL-RM-max  ≦  ０．８５００
【０１０７】
加えて、比較視覚実験でランク＋１以上と判断された発光装置の分光分布φSSL（λ）
から導出される放射効率Ｋ（ｌｍ／Ｗ）と相関色温度ＴSSL（Ｋ）は、以下の特徴を有し
得ることも分かる。
条件７：  ２１０．０  ｌｍ／Ｗ  ≦  Ｋ  ≦  ２９０．０  ｌｍ／Ｗ
条件８：  ２６００  Ｋ  ≦  ＴSSL  ≦  ７７００  Ｋ
【０１０８】
さらに加えて、比較視覚実験でランク＋１以上と判断された発光装置のφSSL（λ）は
３８０ｎｍ以上４０５ｎｍ以下の範囲において発光要素由来の実効強度を有さない特徴を有し得ることもわかる。
【０１０９】
さらに、比較視覚実験でランク＋１以上と判断された発光装置のφSSL（λ）は発光要
素として、狭帯域緑色蛍光体、黄色蛍光体を含まないという特徴を有し得ることもわかる
。
【０１１０】
一方、発光装置によって照明した色の見えが、比較視覚実験でランク＋１以上と判断された発光装置の分光分布φSSL（λ）から導出された「色の見え」に関する各指標は、ｎ
を１から１５の自然数として、以下の特徴をすべて有していたことが分かる。
条件Ｉ  −４．００  ≦  ΔＣn ≦  ８．００
条件ＩＩ：  ０．５０  ≦  ＳＡＴave  ≦  ４．００
条件ＩＩＩ：  ２．００  ≦  ｜ΔＣmax−ΔＣmin｜  ≦  １０．００
条件ＩＶ：  ０．００  度  ≦  ｜Δｈn｜  ≦  １２．５０  度
【０１１１】
これらを満たした発光装置の分光分布φSSL（λ）による色の見えを計算した結果、す
なわち、図７から図１４を見ると以下が分かる。
基準の光で当該１５種類の修正マンセル色票を照明した場合を仮定した色の見えと、各発光装置の分光分布φSSL（λ）で照明した場合を比較すると、いずれの発光装置におい
ても、(1)その色相角差が小さく、かつ、(2)１５種類いずれの色相においても飽和度は比較的均等に向上しており、かつ、(3)その飽和度向上の度合いが適切な範囲内にある、事
が分かる。このような特徴がまさに実際に照明対象物を照明した場合には、「自然で、生き生きとした、視認性の高い、快適な、色の見え、物体の見え」を誘発すると考えられ、かつ、数学的には条件Ｉから条件ＩＶに対応していると言える。
【０１１２】
さらに具体的に色の見えの効果を記載すれば、本実施態様の発光装置を照明に用いた場合には、基準の光で照明した場合と比較して、Ａ）白黒の様な「無彩色の見え」が好ましく知覚され、Ｂ）白背景上の黒文字を含む印刷物、新聞等に記載されている文字が読みやすく知覚され、Ｃ）被験者自身の肌色等を含む、各種色相を有する「有彩色の色の見え」が好ましく知覚され、Ｄ）近似した色相を有する対象物の色を識別しやすく知覚され、Ｅ）同じ照度でありながら明るく感じられる効果がある事が確認された。
【０１１３】
さらに条件αに記載した青色半導体発光素子の選択に関して、ランク＋１からランク＋５に分類された結果に照らして、その特徴は以下であると考えられる。
当該青色発光素子の、素子単体パルス駆動時のドミナント波長λCHIP-BM-domは、４４
５ｎｍ以上４７５ｎｍ以下を選択可能であって、
実験例全体の結果より、４４７．５ｎｍ以上４７０ｎｍ以下を選択することが若干好ましく、
ランク＋４から＋５の結果より、４５２．５ｎｍ以上４７０ｎｍ以下を選択することが非常に好ましく、
ランク＋５の結果より、４５７．５ｎｍ近傍を選択することが格段に好ましい。なお、近傍とは±２．５ｎｍを意味する。
【０１１４】
さらに条件βに記載した広帯域緑色蛍光体の選択に関して、ランク＋１からランク＋５に分類された結果に照らして、その特徴は以下であると考えられる。
当該広帯域緑色蛍光体の、蛍光体単体の光励起時の発光強度最大値を与える波長λPHOS-GM-maxは５１１ｎｍ以上５４３ｎｍ以下であり、その半値全幅ＷPHOS-GM-fwhmは９０ｎ
ｍ以上１１０ｎｍ以下を選択可能であって、
実験例全体の結果より、蛍光体単体の光励起時の発光強度最大値を与える波長λPHOS-GM-maxは５１４ｎｍ以上５４０ｎｍ以下であり、その半値全幅ＷPHOS-GM-fwhmは９６ｎｍ
以上１０８ｎｍ以下を選択することが若干好ましく、
ランク＋２から＋５の結果より、蛍光体単体の光励起時の発光強度最大値を与える波長λPHOS-GM-maxは５２０ｎｍ以上５４０ｎｍ以下であり、その半値全幅ＷPHOS-GM-fwhmは
９６ｎｍ以上１０８ｎｍ以下を選択することが好ましく、
ランク＋５の結果より、蛍光体単体の光励起時の発光強度最大値を与える波長λPHOS-G
M-maxは５２０ｎｍ以上５３０ｎｍ以下であり、その半値全幅ＷPHOS-GM-fwhmは９６ｎｍ
以上１０４ｎｍ以下を選択することが格段に好ましい。
さらに、全体の傾向から、蛍光体単体の光励起時の発光強度最大値を与える波長λPHOS-GM-maxは５２１ｎｍ以上５２９ｎｍ以下であり、その半値全幅ＷPHOS-GM-fwhmは９７ｎ
ｍ以上１０３ｎｍ以下を選択することがさらに格段に好ましいと考えられる。これらの傾向は、本実施態様の発光装置においては、分光分布φSSL（λ）の適切な位置に適切な大
きさの凹凸を有するようにするために必要と考えられる傾向である。
【０１１５】
さらに、具体的な蛍光体材料としては、ランク＋１からランク＋５に分類された結果に照らして、その特徴は以下であると考えられる。
当該緑色蛍光体は、材料単体で光励起した際に緑色発光し、かつ、前記光学特性を満足するものであれば、特に限定されないが、ＬｕＡＧ蛍光体、ＣＳＯ蛍光体、Ｇ−ＹＡＧ蛍光体、ＣＳＭＳ蛍光体、ＢＳＳ蛍光体、ＢＳＯＮ蛍光体等を例示可能であって、
実験例全体の結果より、ＬｕＡＧ蛍光体、ＣＳＯ蛍光体、Ｇ−ＹＡＧ蛍光体、ＣＳＭＳ蛍光体を選択することが若干好ましく、
ランク＋２から＋５の結果より、ＬｕＡＧ蛍光体、ＣＳＯ蛍光体、Ｇ−ＹＡＧ蛍光体を選択することが好ましく、
ランク＋５の結果より、ＬｕＡＧ蛍光体、ＣＳＯ蛍光体を選択することが格段に好ましい。
【０１１６】
さらに条件γに記載した赤色蛍光体の選択に関して、ランク＋１からランク＋５に分類された結果に照らして、その特徴は以下であると考えられる。
当該赤色蛍光体の、蛍光体単体の光励起時の発光強度最大値を与える波長λPHOS-RM-maxは６２２ｎｍ以上６６３ｎｍ以下であり、その半値全幅ＷPHOS-RM-fwhmが８０ｎｍ以上
１０５ｎｍ以下を選択可能であって、
実験例全体の結果より、蛍光体単体の光励起時の発光強度最大値を与える波長λPHOS-RM-maxは６２５ｎｍ以上６６０ｎｍ以下であり、その半値全幅ＷPHOS-RM-fwhmが８７ｎｍ
以上９９ｎｍ以下を選択することが若干好ましく、
ランク＋４から＋５の結果より、蛍光体単体の光励起時の発光強度最大値を与える波長λPHOS-RM-maxは６４５ｎｍ以上６６０ｎｍ以下であり、その半値全幅ＷPHOS-RM-fwhmが
８８ｎｍ以上９９ｎｍ以下を選択することが非常に好ましく、
ランク＋５の結果より、蛍光体単体の光励起時の発光強度最大値を与える波長λPHOS-RM-maxは６４５ｎｍ以上６６０ｎｍ以下であり、その半値全幅ＷPHOS-RM-fwhmが８８ｎｍ
以上８９ｎｍ以下を選択することが格段に好ましい。
加えて、全体の傾向から、蛍光体単体の光励起時の発光強度最大値を与える波長λPHOS-RM-maxは、６３２ｎｍ以上６６０ｎｍ以下であり、その半値全幅ＷPHOS-RM-fwhmが８８
ｎｍ以上９９ｎｍ以下を選択することは好ましいと考え得る。
【０１１７】
さらに、具体的な蛍光体材料としては、ランク＋１からランク＋５に分類された結果に照らして、その特徴は以下であると考えられる。
当該赤色蛍光体は、材料単体で光励起した際に赤色発光し、かつ、前記光学特性を満足するものであれば、特に限定されないが、ＣＡＳＮ蛍光体、ＣＡＳＯＮ蛍光体、ＳＣＡＳＮ蛍光体を例示可能であって、
実験例全体の結果よりＣＡＳＮ蛍光体、ＣＡＳＯＮ蛍光体、ＳＣＡＳＮ蛍光体を選択することが若干好ましく、
ランク＋４から＋５の結果よりＣＡＳＮ蛍光体、ＣＡＳＯＮ蛍光体を選択することが非常に好ましく、
ランク＋５の結果よりＣＡＳＮ蛍光体を選択することが格段に好ましい。
【０１１８】
さらに条件１に記載した指標Ａcgの選択に関して、ランク＋１からランク＋５に分類さ
れた結果に照らして、その特徴は以下であると考えられる。
当該指標は、−１０．０より大きく１２０．０以下を選択可能であって、
実験例全体の結果より、−４．６以上１１６．３以下を選択することが若干好ましく、
ランク＋３から＋５の結果より、−４．６以上８７．７以下を選択することがより好ましく、
ランク＋４から＋５の結果より、−４．６以上７０．９以下を選択することが非常に好ましく、
ランク＋５の結果より、−１．５以上２６．０以下を選択することが格段に好ましい。
【０１１９】
さらに条件２に記載したＤuvSSLの選択に関して、ランク＋１からランク＋５に分類さ
れた結果に照らして、その特徴は以下であると考えられる。
当該距離ＤuvSSLは、−０．０２２０以上−０．００７０以下を選択可能であって、
実験例全体の結果より、−０．０２１２以上−０．００７１以下を選択することが若干好ましく、
ランク＋３から＋５の結果より、−０．０１８４以上−０．００８４以下を選択することがより好ましく、
ランク＋４から＋５の結果より、−０．０１６１以上−０．００８４以下を選択することが非常に好ましく、
ランク＋５の結果より、−０．０１４５以上−０．００８５以下を選択することが格段に好ましい。
なお、全体の傾向からＤuvSSLは、−０．０１４５以上−０．００９０以下を選択する
ことがさらに格段に好ましく、−０．０１４０以上−０．０１００未満を選択することがよりさらに格段に好ましく、−０．０１３５以上−０．０１２０未満を選択することがなおよりさらに格段に好ましいと考え得る。
【０１２０】
さらに、条件３に記載した値φSSL-BG-min／φSSL-BM-maxの選択に関して、ランク＋１からランク＋５に分類された結果に照らして、その特徴は以下であると考えられる。
当該値φSSL-BG-min／φSSL-BM-maxは、０．２２５０以上０．７０００以下を選択可能であって、
実験例全体の結果より、０．２２７８以上０．６６０２以下を選択することが若干好ましく、
ランク＋４から＋５の結果より、０．２４２７以上０．６２２５以下を選択することが非常に好ましく、
ランク＋５の結果より、０．２４２７以上０．５９０６以下を選択することが格段に好ましい。
【０１２１】
さらに、条件４に記載した波長λSSL-RM-maxの選択に関して、ランク＋１からランク＋５に分類された結果に照らして、その特徴は以下であると考えられる。
当該波長λSSL-RM-maxは、６０５ｎｍ以上６５３ｎｍ以下を選択可能であって、
実験例全体の結果より、６０６ｎｍ以上６５２ｎｍ以下を選択することが若干好ましく、
ランク＋３から＋５の結果より、６０７ｎｍ以上６４７ｎｍ以下を選択することがより好ましく、
ランク＋４から＋５の結果より、６２２ｎｍ以上６４７ｎｍを選択することが非常に好ましい。また、ここまでの傾向から、λSSL-RM-maxは６２５ｎｍ以上６４７ｎｍ以下を選択する事がさらに非常に好ましいと考え得る。
加えて、ランク＋５の結果より、６３０ｎｍ以上６４７ｎｍ以下を選択することが格段に好ましい。
さらに、全体の傾向から、λSSL-RM-maxは６３１ｎｍ以上６４７ｎｍ以下を選択する事がさらに格段に好ましいと考え得る。
これらの傾向は、本実施態様の発光装置においては、分光分布φSSL（λ）の適切な位
置に適切な大きさの凹凸を有するようにするために必要と考えられる傾向である。
【０１２２】
さらに、条件５に記載した波長λSSL-BM-maxの選択に関して、ランク＋１からランク＋５に分類された結果に照らして、その特徴は以下であると考えられる。
当該波長λSSL-BM-maxは、４３０ｎｍ以上４８０ｎｍ以下を選択可能であって、
実験例全体の結果より、４４０ｎｍ以上４６０ｎｍ以下を選択することが若干好ましく、
ランク＋４から＋５の結果より、４４７ｎｍ以上４６０ｎｍを選択することが非常に好ましく、
ランク＋５の結果より、４５０ｎｍ以上４５７ｎｍ以下を選択することが格段に好ましい。
さらに、全体の傾向から、λSSL-BM-maxは４５１ｎｍ以上４５６ｎｍ以下を選択する事がさらに格段に好ましいと考え得る。
これらの傾向は、本実施態様の発光装置においては、分光分布φSSL（λ）の適切な位
置に適切な大きさの凹凸を有するようにするために必要と考えられる傾向である。
【０１２３】
さらに、条件６に記載した値φSSL-BG-min／φSSL-RM-maxの選択に関して、ランク＋１からランク＋５に分類された結果に照らして、その特徴は以下であると考えられる。
当該値φSSL-BG-min／φSSL-RM-maxは、０．１８００以上０．８５００以下を選択可能であって、
実験例全体の結果より、０．１９１７以上０．８３２６以下を選択することが若干好ましく、
ランク＋３から＋５の結果より、０．１９１７以上０．６２０７以下を選択することがより好ましく、
ランク＋４から＋５の結果より、０．１９１７以上０．６２０２以下を選択することが非常に好ましく、
ランク＋５の結果より、０．１９１７以上０．５８４０以下を選択することが格段に好ましい。
また、全体の傾向から、φSSL-BG-min／φSSL-RM-maxは、０．１９１７以上０．７３００以下を選択することは好ましいと考え得る。
これらの傾向は、本実施態様の発光装置においては、分光分布φSSL（λ）の適切な位
置に適切な大きさの凹凸を有するようにするために必要と考えられる傾向である。
【０１２４】
さらに、条件７に記載した放射効率Ｋ（ｌｍ／Ｗ）の選択に関して、ランク＋１からランク＋５に分類された結果に照らして、その特徴は以下であると考えられる。
当該放射効率Ｋ（ｌｍ／Ｗ）は、２１０．０（ｌｍ／Ｗ）以上２９０．０（ｌｍ／Ｗ）以下を選択可能であって、
実験例全体の結果より、２１２．２（ｌｍ／Ｗ）以上２８６．９（ｌｍ／Ｗ）以下を選択することが若干好ましく、
ランク＋２から＋５の結果より、２１２．２（ｌｍ／Ｗ）以上２８２．３（ｌｍ／Ｗ）以下を選択することが好ましく、
ランク＋４から＋５の結果より、２１２．２（ｌｍ／Ｗ）以上２６１．１（ｌｍ／Ｗ）以下を選択することが非常に好ましく、
ランク＋５の結果より、２１２．２（ｌｍ／Ｗ）以上２５６．４（ｌｍ／Ｗ）以下を選択することが格段に好ましい。
【０１２５】
さらに、条件８に記載した相関色温度ＴSSL（Ｋ）の選択に関して、ランク＋１からラ
ンク＋５に分類された結果に照らして、その特徴は以下であると考えられる。
当該相関色温度ＴSSL（Ｋ）は、２６００（Ｋ）以上７７００（Ｋ）以下を選択可能で
あって、
実験例全体の結果より、２６４４（Ｋ）以上７６１３（Ｋ）以下を選択することが若干好ましく、
ランク＋４から＋５の結果より、２６４４（Ｋ）以上６７９７（Ｋ）以下を選択することが非常に好ましい。
【０１２６】
さらに、条件Ｉに記載した飽和度差ΔＣnの選択に関して、ランク＋１からランク＋５
に分類された結果に照らして、その特徴は以下であると考えられる。
当該飽和度差ΔＣnは、−４．００以上８．００以下を選択可能であって、
実験例全体の結果より、−３．４９以上７．１１以下を選択することが若干好ましく、
ランク＋２から＋５の結果より、−３．３３以上７．１１以下を選択することが好ましく、
ランク＋４から＋５の結果より、−１．７３以上６．７４以下を選択することが非常に好ましく、
ランク＋５の結果より、−０．９３以上６．７４以下を選択することが格段に好ましい。
【０１２７】
さらに、条件ＩＩに記載したＳＡＴaveの選択に関して、ランク＋１からランク＋５に
分類された結果に照らして、その特徴は以下であると考えられる。
当該ＳＡＴaveは、０．５０以上４．００以下を選択可能であって、
実験例全体の結果より、０．５３以上３．７６以下を選択することが若干好ましく、
ランク＋２から＋５の結果より、１．０４以上３．７６以下を選択することが好ましく、
ランク＋３から＋５の結果より、１．１１以上３．７６以下を選択することがより好ましく、
ランク＋４から＋５の結果より、１．４０以上３．７６以下を選択することが非常に好ましく、
ランク＋５の結果より、１．６６以上３．７６以下を選択することが格段に好ましい。
【０１２８】
さらに、条件ＩＩＩに記載した、飽和度差の最大値と飽和度差の最小値との間の差｜ΔＣmax−ΔＣmin｜の選択に関して、ランク＋１からランク＋５に分類された結果に照らして、その特徴は以下であると考えられる。
当該差｜ΔＣmax−ΔＣmin｜は、２．００以上１０．００以下を選択可能であって、
実験例全体の結果より、３．２２以上９．５２以下を選択することが若干好ましく、
ランク＋４から＋５の結果より、４．１２以上７．２０以下を選択することが非常に好ましく、
ランク＋５の結果より、４．６６以上７．１０以下を選択することが格段に好ましい。
【０１２９】
さらに、条件ＩＶに記載した色相角差の絶対値｜Δｈn｜の選択に関して、ランク＋１
からランク＋５に分類された結果に照らして、その特徴は以下であると考えられる。
当該色相角差の絶対値｜Δｈn｜は、０．００以上１２．５０以下を選択可能であって
、
実験例全体の結果より、０．００以上１２．４３以下を選択することが若干好ましく、
ランク＋２から＋５の結果より、０．０１以上１２．４３以下を選択することが好ましく、
ランク＋３から＋５の結果より、０．０２以上１２．４３以下を選択することがより好ましく、
ランク＋４から＋５の結果より、０．０２以上９．２５以下を選択することが非常に好ましい。
【０１３０】
なお、色相角差の絶対値｜Δｈn｜は０である事が望まれると考えられる事から、その
値の下限を変えて、理想的には
０．００以上１２．４３以下を選択することがより好ましく、
０．００以上９．２５以下を選択することが非常に好ましく、さらには、
０．００以上７．００以下を選択することがより非常に好ましく、
０．００以上５．００以下を選択することがさらに非常に好ましいと考えられる。
【０１３１】
色の見えに関して、「自然で、生き生きとした、視認性の高い、快適な、色の見え、物体の見えを実現できる」発光装置によって実現される色の見えは、以上の検討から、条件Ｉから条件ＩＶを同時に満足していると定量化されることも分かる。
【０１３２】
＜詳細説明２＞
なお、実験例１から実験例５２記載の発光装置から出射された光は、それぞれ実験用基準光を発する発光装置による色の見えよりも優れていることは比較視覚実験で確認された。同時に、光源効率ηが大幅に向上したことも以下の通り確認された。表８は、表２で示した比較実験例２、参考実験例１のＡcg値と光源効率ηをまとめたものである。
【０１３３】
【表８】
0006666064.tif 000037
【０１３４】
一方、表９は、表３から表７に示した実験例から、ＴSSLが３８００Ｋから４２００Ｋ
、ＤuvSSLが−０．０１２５以上−０．０１００以下に該当する発光装置を全て抽出し、
極力公正に比較実験例２、参考実験例１と比較できるようにしたものである。表９には、実験例１、２、３、１９、２１，２３、４１、４２から導出した値をまとめている。表８によれば、Ａcgの平均値は−５１．８で、ηの平均値は４７．０（ｌｍ／Ｗ）であったが、表９ではＡcgの平均値＋５１．４で、ηの平均値は６５．５（ｌｍ／Ｗ）であった。
表８に示した発光装置と、表９に示した発光装置では、平均的に見て照明対象物の色の見えの差異は大きくない。ここにおいて、表８に示した従来の発光装置に比較して、表９に示した本実施態様の発光装置の光源効率は、約３９％増となった事が分かる。
【０１３５】
【表９】
0006666064.tif 000038
【０１３６】
＜詳細説明３＞
表１０から表１５は本実施態様の比較実験例（ランク−１からランク−５）を、それぞれ次の観点でまとめたものである。さらに、図１５から図２７は、それぞれの表から分光分布とＣＩＥＬＡＢ色空間を例示したものである。
【０１３７】
【表１０−１】
0006666064.tif 000039
【０１３８】
【表１０−２】
0006666064.tif 000040
【０１３９】
【表１１−１】
0006666064.tif 000041
【０１４０】
【表１１−２】
0006666064.tif 000042
【０１４１】
【表１２−１】
0006666064.tif 000043
【０１４２】
【表１２−２】
0006666064.tif 000044
【０１４３】
【表１３−１】
0006666064.tif 000045
【０１４４】
【表１３−２】
0006666064.tif 000046
【０１４５】
【表１４−１】
0006666064.tif 000047
【０１４６】
【表１４−２】
0006666064.tif 000048
【０１４７】
【表１５−１】
0006666064.tif 000049
【０１４８】
【表１５−２】
0006666064.tif 000050
【０１４９】
表１０は、適切な青色半導体発光素子、適切な広帯域緑色蛍光体、適切な赤色蛍光体を用いているものの、「ＤuvSSLが−０．０２２０より小さく、かつ、Ａcgが−１０以下で
ある場合」を例示している。
【０１５０】
表１１は、適切な青色半導体発光素子、適切な赤色蛍光体を用いており、Ａcgも適切な範囲であるものの、「中間波長領域の発光要素として黄色蛍光体を用いたために、その結果としてφSSL-BG-min／φSSL-BM-maxが０．２２５より小さくなってしまっている場合」を例示している。
【０１５１】
表１２は、適切な青色半導体発光素子、適切な赤色蛍光体を用いており、ＤuvSSLも、
Ａcgも適切な範囲であるものの、「中間波長領域の発光要素として狭帯域緑色蛍光体を用いたために、その結果としてφSSL-BG-min／φSSL-BM-maxが０．２２５より小さくなってしまっている場合」を例示している。
【０１５２】
表１３は、適切な青色半導体発光素子、適切な広帯域緑色蛍光体、適切な赤色蛍光体を用いており、Ａcgも適切な範囲であるものの、「分光分布を特徴付けるＤuvSSL、φSSL-BG-min／φSSL-BM-max、λSSL-RM-maxのいずいれかが適切でない場合」を例示している。
【０１５３】
表１４は、適切な青色半導体発光素子、適切な広帯域緑色蛍光体、適切な赤色蛍光体を用いているものの、「ＤuvSSLが−０．００７より大きく、かつ、Ａcgが＋１２０より大
きい場合」を例示している。
【０１５４】
表１５は、適切な青色半導体発光素子、適切な広帯域緑色蛍光体、適切な赤色蛍光体を用いており、Ａcgも適切な範囲であるものの、「φSSL-BG-min／φSSL-BM-maxが０．７０００より大きく、かつ、ＤuvSSLが−０．００７より大きい場合」を例示している。
【０１５５】
これらの結果を見ると発光装置としての分光分布φSSLは、条件１、条件２、条件３、
条件４のすべてを満たさないと、「自然で、生き生きとした、視認性の高い、快適な、色の見え、物体の見え」と「光源効率向上」を両立した発光装置が実現出来ないことが分かる。さらに、その分光分布φSSLが条件１、条件２、条件３、条件４の少なくとも１つを
満たさない発光装置は、色の見えに関する条件Ｉから条件ＩＶの少なくとも１つを満たさず、同時に、比較視覚実験において、ランク−１からランク−５のいずれかに分類されたことも分かる。
【０１５６】
さらに、発光装置を構成する発光要素に関しては、狭帯域緑色蛍光体、黄色蛍光体を用いた場合には、「自然で、生き生きとした、視認性の高い、快適な、色の見え、物体の見え」と「光源効率向上」を両立した発光装置が実現出来なかった。これらは、色の見えに関する条件Ｉから条件ＩＶの少なくとも１つを満たさず、同時に、比較視覚実験において、ランク−４に分類されたことも分かる。
【０１５７】
さらに、詳細にみると以下の通りである。
表１０に示された「ＤuvSSLが−０．０２２０より小さく、かつ、Ａcgが−１０以下で
ある場合」に相当する比較実験例３、比較実験例４、比較実験例５においては、分光分布とＣＩＥＬＡＢプロットをそれぞれ図１５、図１６、図１７に例示した。これらには、それぞれ以下の問題があった。
比較実験例３（図１５参照）においては、比較視覚実験においては「過剰にけばけばしく見えて」しまった。これらは図１５に示したＣＩＥＬＡＢプロットに示される飽和度向上度合いが過剰であったことに相当していると考えられる。さらに、この本質は、ＤuvSSLもＡcgも過剰に負値であったためと考えられる。
比較実験例４（図１６参照）、比較実験例５（図１７参照）においては、比較視覚実験で、「一部の色は鮮やかに見えるものの、一部色はくすんで見えて」しまった。これらは、図１６、図１７に示したＣＩＥＬＡＢプロットの飽和度向上度合いが、各色票で比較的不均等で、一部色相においては基準の光よりも非飽和傾向となることと一致していると考えられる。また、一部色票においては、色相角が過剰に変化してしまい、色そのものの変化が大きすぎる事も、このような印象に含まれていると考えられる。
【０１５８】
一方、表１１に示された「中間波長領域の発光要素として黄色蛍光体を用いたために、その結果としてφSSL-BG-min／φSSL-BM-maxが０．２２５より小さくなってしまっている場合」と、表１２に示された「中間波長領域の発光要素として狭帯域緑色蛍光体を用いたために、その結果としてφSSL-BG-min／φSSL-BM-maxが０．２２５より小さくなってしまっている場合」に関しては、比較実験例７と比較実験例１０の分光分布とＣＩＥＬＡＢプロットをそれぞれ図１８と図１９に示した。これらには、それぞれ以下の問題があった。
これらの比較視覚実験においては「一部色は過剰にけばけばしく、一部色は過剰にくすんで見え、その差によって色の見えにかなり違和感が生じて」しまった。これらは、図１８と図１９に示されたＣＬＥＬＡＢプロットと一致する傾向である。さらに、この本質は、比較実験例７（図１８参照）と比較実験例１０（図１９参照）の通り、青色半導体発光素子に由来する分光分布と、それぞれの中間波長領域における発光を担う蛍光体由来の分光分布との間に出来る「４６５ｎｍ以上５２５ｎｍ以下程度の分光強度が弱い領域」において、その分光強度の低さが過剰であったために、照明対象物の色相によっては、基準の光よりも飽和度が上がり、一方、別の色相では、飽和度が下がることが起きたためと考えられる。また、一部色票においては、色相角が過剰に変化してしまい、色そのものの変化が大きすぎる事も、このような印象に含まれていると考えられる。
逆に、広帯域緑色蛍光体を発光要素として用いると、これらの問題を容易に解決できる事から好ましいと考えられる。
【０１５９】
「φSSL-BG-min／φSSL-BM-maxの値が０．２２５０よりも過剰に小さい場合」に相当する、表１１に示された比較実験例６（図なし、φSSL-BG-min／φSSL-BM-max＝０．１０３３）、表１２に示された比較実験例１０（図１９、φSSL-BG-min／φSSL-BM-max＝０．０９７８）、表１３に示された比較実験例１５（図２０、φSSL-BG-min／φSSL-BM-max＝０．１１０５）、および比較実験例１８（図２２、φSSL-BG-min／φSSL-BM-max＝０．１７６１）においては、たとえ条件１（Ａcg値）、条件２（ＤuvSSL値）、条件４（λSSL-RM-max値）が満たされたとしても、数学的に導出される特定１５修正マンセル色票の色の見
えは、一部が過剰な飽和度傾向となり、また一部が過剰に非飽和傾向となってしまった。また、これらの発光装置を用いて比較視覚実験を行った際のランクは−４となってしまっ
た。
【０１６０】
なお、これらφSSL-BG-min／φSSL-BM-maxが過剰に小さい状況を回避するための手段としては、以下の様な方策が考えられる。まず、第一の手段としては、広帯域緑色蛍光体を使用することが可能である。広帯域緑色蛍光体を使用した場合、このようにすると比較実験例６、比較実験例１０に示されるφSSL-BG-min／φSSL-BM-maxが過剰に小さい状況は回避可能である。
【０１６１】
さらにφSSL-BG-min／φSSL-BM-maxが過剰に小さい状況を回避する第二の手段としては、広帯域緑色蛍光体を使用した上で、さらに、適切な波長を有する青色半導体発光素子を使用する事が考えられる。本実施態様においては、実験例から、４４５．０ｎｍ以上４７５．０ｎｍ以下のパルス駆動時ドミナント波長を有する青色半導体発光素子を選択可能であって、より好ましくは４４７．５ｎｍ以上４７０．０ｎｍ以下のパルス駆動時ドミナント波長を有する青色半導体発光素子を選択可能であって、格段に好ましくは４５７．５ｎｍ±２．５ｎｍのパルス駆動時ドミナント波長を有する青色半導体発光素子を選択可能である。
【０１６２】
なお、φSSL-BG-min／φSSL-BM-maxを過剰に小さくしないためには、λCHIP-BM-domは
、さらに長波長化とするのが好ましいとも考え得るが、これは正しくない。λCHIP-BM-domの好ましい範囲は上記の通りである。これは以下の理由による。
先ず、青色半導体発光素子は、主にサファイア基板上、Ｓｉ基板上、ＳｉＣ基板上、ＧａＮ基板上にエピタキシャル成長されたＡｌＧａＩｎＮ系半導体発光素子であるが、これらの内部量子効率は量子井戸層のＩｎ組成、すなわちλCHIP-BM-domに依存する。ここで
、例えばＩｎＧａＮ量子井戸層を考える。４６５ｎｍ以上５２５ｎｍ以下に十分な分光強度を有する量子井戸層のＩｎ組成は、最も内部量子効率が高くなる条件と比較すると、これを低減してしまうほどの高濃度となるため、「色の見えと発光装置の光源効率の両立」を図る観点から好ましくない。
さらに、色の見えに関して考えると、λCHIP-BM-domが過剰に長波長化し、φSSL（λ）の短波長領域の適切部分に発光要素由来の分光強度が存在しなくなると、数学的に導出される特定１５修正マンセル色票の色の見えは、一部が過剰な飽和傾向となり、また一部が過剰に非飽和傾向となってしまう。具体的には、φSSL-BG-min／φSSL-BM-maxが過剰に小さくなった場合とは異なる色票で、飽和／非飽和の傾向が発生してしまう。よって、φSSL-BG-min／φSSL-BM-maxを過剰に小さくしないために、λCHIP-BM-domを過剰に長波長化
とするのは好ましくない。
【０１６３】
さらにφSSL-BG-min／φSSL-BM-maxが過剰に小さな状況を回避する第三の手段としては、以下が考えられる。具体的には、４４５．０ｎｍ以上４７５．０ｎｍ以下のパルス駆動時ドミナント波長を有する青色半導体発光素子を用いて第一のλCHIP-BM-domを設定し、
かつ、中間波長領域の発光要素として黄色蛍光体あるいは狭帯域緑色蛍光体等を使用した場合では、短波長領域と中間波長領域にまたがる４６５ｎｍ以上５２５ｎｍ以下の範囲で、発光要素をさらに追加する事が考えうる。このためには、４６５ｎｍ以上５２５ｎｍ以下の領域にその分光分布の中心が存在する第二のλCHIP-BM-domを有するＡｌＧａＩｎＮ
系青色半導体発光素子、第二のλCHIP-BM-domを有するＧａＰ基板上のＧａＰによる黄緑
色発光素子（ピーク波長が５３０ｎｍから５７０ｎｍ程度）などを選択し、追加可能である。さらに、ここに広帯域緑色蛍光体を混在させることも可能である。
しかしながら、本実施態様の発光装置においては、照明対象物の色の見えとともに光源効率の向上も重要であって、過度に発光要素を増やす事は、相互吸収、ストークス損失の増大など光源効率の低下につながる場合もある事から必ずしも好ましくない。この観点では、中間波長領域の発光要素としては、黄色蛍光体あるいは狭帯域緑色蛍光体等を使用して、さらに他の発光要素を加える事は好ましくない。すなわち、本実施態様の発光装置に
おいては、黄色蛍光体あるいは狭帯域緑色蛍光体等を使用する事は可能ではあるが、必ずしも好ましくなく、中間波長領域の発光要素としては、広帯域緑色蛍光体を用いる事が好ましい。
【０１６４】
表１３に示された「分光分布を特徴付ける、ＤuvSSL、φSSL-BG-min／φSSL-BM-max、
λSSL-RM-maxのいずいれかが適切でない場合」に相当する比較実験例１５、比較実験例１６、比較実験例１８においては、分光分布とＣＩＥＬＡＢプロットをそれぞれ図２０、図２１、図２２に例示した。これらには、それぞれ以下の問題があった。
比較実験例１５（図２０参照）と、比較実験例１８（図２２参照）においては、比較視覚実験においては「一部色は過剰にけばけばしく、一部色は過剰にくすんで見え、その差によって色の見えにかなり違和感が生じて」しまった。これらは図２０と図２２に示したＣＩＥＬＡＢプロットに示される飽和度変化の度合いが、照明対象物の色相によっては基準の光よりも飽和度が上がり、一方、別の色相では飽和度が下がることと一致していると考えられる。この本質は、φSSL-BG-min／φSSL-BM-maxが過剰に小さい値であったためと考えられる。
【０１６５】
比較実験例１６（図２１参照）においては、比較視覚実験で、「一部の色は鮮やかに見えるものの、一部色はくすんで見えて」しまった。これらは、図２１に示したＣＩＥＬＡＢプロットの飽和度向上度合いが比較的不均等で、一部色相においては基準の光よりも非飽和傾向となることと一致していると考えられる。この本質はλSSL-RM-maxが適切な範囲よりも短波長側となっていたためであると考えられる。また、一部色票においては、色相角が過剰に変化してしまい、色そのものの変化が大きすぎる事も、このような印象に含まれていると考えられる。
【０１６６】
表１４に示された、「ＤuvSSLが−０．００７より大きく、かつ、Ａcgが＋１２０より
大きい場合」に相当する比較実験例１９、比較実験例２２、比較実験例２３においては、分光分布とＣＩＥＬＡＢプロットをそれぞれ図２３、図２４、図２５に例示した。これらには、それぞれ以下の問題があった。
【０１６７】
比較実験例１９（図２３参照）と、比較実験例２２（図２４参照）においては、比較視覚実験においては「全体にくすんで見えた」と判断された。これらは図２３、図２４に示したＣＩＥＬＡＢプロットに示される飽和度変化の度合いが、照明対象物の色相によらずに、全体に非飽和傾向となったことと一致していると考えられる。この本質は、ＤuvSSL
とＡcgが過剰に大きな値であったためと考えられる。一方、比較実験例２３（図２５参照）においては、比較視覚実験においては「色の見えの改善が感じられなかった。一部色では色の見えが劣っていた。」と判断された。これらは図２５に示したＣＩＥＬＡＢプロットに示される飽和度変化の度合いが小さく、基準の光と同程度である事と一致していると考えられる。この本質は、ＤuvSSLとＡcgが過剰に大きな値であったためと考えられる。
【０１６８】
表１５に示された、「φSSL-BG-min／φSSL-BM-maxが０．７０００より大きく、かつ、ＤuvSSLが−０．００７より大きい場合」に相当する比較実験例２６、比較実験例２７に
おいては、分光分布とＣＩＥＬＡＢプロットをそれぞれ図２６、図２７に例示した。これらには、それぞれ以下の問題があった。
【０１６９】
比較実験例２６（図２６参照）と、比較実験例２７（図２７参照）においては、比較視覚実験においては、それぞれ「全体にくすんで見えた」、「一部色は鮮やかに見えるものの、一部色はくすんで見えた」と判断された。これらは図２６に示したＣＩＥＬＡＢプロットに示される飽和度変化の度合いが、照明対象物の色相によらずに、おおまかには非飽和傾向となったこと、図２７においては、飽和度向上度合いが比較的不均等で、一部色相においては基準の光よりも非飽和傾向となったことと一致していると考えられる。この本
質は、φSSL-BG-min／φSSL-BM-maxが過剰に大きく、かつ、ＤuvSSLが過剰に大きいかっ
たためと考えられる。比較視覚実験上のランクは、比較実験例２６、比較実験例２７においては、それぞれ−５、−２と低くなってしまっている。よって、「色の見えと発光装置の光源効率の両立」を図る本実施態様の発光装置を実現するためには、φSSL-BG-min／φSSL-BM-maxを十二分に制御する必要がある。比較実験例２６、比較実験例２７では、分光分布内の４６５ｎｍ以上５２５ｎｍ以下の領域に適切な大きさの凹凸が形成されず、凹凸が小さすぎた事が問題であったと考えられる。
なお、同様に、φSSL-BG-min／φSSL-RM-maxも十二分に制御する必要がある。これらφSSL-BG-min／φSSL-BM-maxとφSSL-BG-min／φSSL-RM-maxの適切な範囲は、総じて言えば、本実施態様の効果を発現するために、発光装置の分光分布φSSL（λ）内の適切な位置
に、適切な大きさの凹凸を有するようにする事が肝要である事を示している。
【０１７０】
［実施例  複数の発光領域を有する発光装置での検討］
以下、実施例により本発明を更に詳細に説明する。
実施例では、複数の発光領域を有する発光装置を想定し、各発光領域の放射束量（光束量）を調節することで、発光装置の色の見えがどのように変化するかの検討を行った。すなわち、各発光領域及び発光装置から主たる放射方向に出射された光の指標Ａcg、ＣＣＴ（Ｋ）、ＤuvSSL、放射効率Ｋ（ｌｍ／Ｗ）、λSSL-BM-max、φSSL-BG-min／φSSL-BM-max、λSSL-RM-max、φSSL-BG-min／φSSL-RM-maxなどの数値の特徴を抽出した。同時に、
計算用基準光で照明した場合を仮定した当該１５色票の色の見えと、実測した試験光分光分布で照明した場合を仮定した当該１５色票の色の見えの間の差に関しても、｜Δｈn｜
、ＳＡＴave、ΔＣn、｜ΔＣmax−ΔＣmin｜を指標としてまとめた。なお、｜Δｈn｜、
ΔＣnは、ｎを選択すると値が変化するが、ここでは最大値と最小値を示した。これらの
値も表１６〜２２に合わせて記載した。
【０１７１】
具体的には、各発光領域から主たる放射方向に出射される光束量かつ／または放射束量を変化させることで、各発光領域から主たる放射方向に出射される光の分光分布の和であるφSSL（λ）がどのように変化するか検討した。
【０１７２】
実施例１
図２８に記載のように、計２個の発光部が存在する５ｍｍ直径の樹脂パッケージ１０を準備する。ここで発光領域１１中には、青色半導体発光素子（ドミナント波長４５２．５ｎｍ）、緑色蛍光体（ＬｕＡＧ、ピーク波長５３０ｎｍ、半値全幅１０４ｎｍ）、赤色蛍光体（ＣＡＳＮ、ピーク波長６４５ｎｍ、半値全幅８９ｎｍ）を搭載し、封止する。また、発光領域１の青色半導体発光素子は、１つの独立した回路構成となるようにパッケージＬＥＤの配線を構成し、電源に結合する。一方、発光領域１２中には、異なる調整をした青色半導体発光素子（ドミナント波長４５２．５ｎｍ）、緑色蛍光体（ＬｕＡＧ、ピーク波長５３０ｎｍ、半値全幅１０４ｎｍ）、赤色蛍光体（ＣＡＳＮ、ピーク波長６４５ｎｍ、半値全幅８９ｎｍ）を搭載し、封止する。また、発光領域２の青色半導体発光素子は、１つの独立した回路構成となるようにパッケージＬＥＤの配線を構成し、別の独立した電源に結合する。このように、発光領域１１と発光領域１２は、それぞれ独立に電流注入できるようにする。
次に、発光領域１１と発光領域１２を有する当該パッケージＬＥＤ１０の各発光領域に注入する電流値を適宜調整すると、例えば、当該パッケージＬＥＤの軸上に放射される図２９〜図３３に示す５種類の分光分布が実現される。図２９は発光領域１１のみに電流を注入し、発光領域１１と発光領域１２の放射束比を３：０にする場合であって、図３３は、逆に、発光領域１２のみに電流を注入し、発光領域１１と発光領域１２の放射束比を０：３にする場合である。さらに、発光領域１１と発光領域１２の放射束比を、２：１にする場合を図３０に、１．５：１．５にする場合を図３１に、１：２にする場合を図３２に示す。このように、パッケージＬＥＤ１０の各領域に注入する電流を変化させることで、
パッケージＬＥＤ本体から軸上に放射される放射束を変化させることができる。また各図に示したＣＩＥＬＡＢプロットは、＃０１から＃１５の１５種類の修正マンセル色票を照明対象物とした場合を数学的に仮定し、当該パッケージＬＥＤで照明した場合と、当該パッケージＬＥＤの相関色温度から導出される基準の光で照明した場合のａ*値、ｂ*値をそれぞれプロットしたものである。なお、ここでは、発光装置としての放射束に対して、発光領域１１の放射束寄与が大きい順に駆動点Ａから駆動点Ｅまでの駆動点名を与えてある。図３４はこれら駆動点ＡからＥまでの色度点をＣＩＥ  １９７６  ｕ’ｖ’色度図上に示したものである。一方、それぞれの駆動点において、予想される測光学的特性、測色学的特性は、表１６にまとめる。
【０１７３】
【表１６−１】
0006666064.tif 000051
【０１７４】
【表１６−２】
0006666064.tif 000052
【０１７５】
これら図２９から図３３の分光分布、図２９から図３３のＣＩＥＬＡＢプロット、図３４のＣＩＥ  １９７６  ｕ’ｖ’色度図、さらに表１６−１及び１６−２から、以下のことが分かる。
駆動点Ａから駆動点Ｅとさらにはその間においては、屋外で見たような、自然で、生き生きとした、視認性の高い、快適な、色の見え、物体の見えと高い光源効率の両立が可能と考えられる。よって、たとえば、駆動点Ａと駆動点Ｅの間では、このような色の見えを実現しつつ、パッケージＬＥＤとしての相関色温度を３２０７Ｋから４２０４Ｋまで可変でき、ＤuvSSLも−０．００７２から−０．０１５５まで可変できる。さらに当該１５種
類の修正マンセル色票の平均飽和度も１．９５から２．３２まで可変となる。このようにすると、良好な色の見えと高い光源効率の両立が可能な領域において、発光装置の利用者の年齢、性別などによって、また、照明する空間、目的等に合わせて、より最適と考えられる照明条件を、可変範囲から容易に選択することができる。
この際には、さらに、次のような駆動制御をすることも可能である。
第一に、指標Ａcg、相関色温度ＴSSL（Ｋ）、及び黒体放射軌跡からの距離ＤuvSSLの少なくとも１つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
第二に、指標Ａcgを適切な範囲で減少させる際に、発光装置としての光束かつ／または放射束を下げて、照明対象物の照度を低下させる制御を行うこともできる。また、第三に、ＤuvSSLを適切な範囲で下げる場合にも、発光装置としての光束かつ／または放射束を
下げて、照明対象物の照度を下げる制御もできる。これら第二、第三の場合は、一般に明るさ感が増す場合が多いので、照度を下げてエネルギー消費を抑制することも可能であって、好ましい。
第四に、当該相関色温度を上げる際には、発光装置としての光束かつ／または放射束を上げて、照明対象物の照度を上げるような制御もできる。一般の照明環境下では、低色温度領域では相対的に低照度環境において心地良いと判断されることが多く、また、高色温度領域では、相対的に高照度環境において心地良いと判断されることが多い。このような心理的効果は、クルーゾフ効果として知られているが、この様な効果を取り込んだ制御を行うことも可能であって、相関色温度を上げる際には、発光装置としての光束かつ／または放射束を上げて、照明対象物の照度を上げるような制御が好ましい。
【０１７６】
実施例２
図３５に記載のように、直径７ｍｍの発光部が計６個の小発光部に分割されているセラミックパッケージ２０を準備する。ここで発光領域２１中には、青色半導体発光素子（ドミナント波長４６３ｎｍ）、緑色蛍光体（ＬｕＡＧ、ピーク波長５３０ｎｍ、半値全幅１０４ｎｍ）、赤色蛍光体（ＣＡＳＮ、ピーク波長６４５ｎｍ、半値全幅８９ｎｍ）を搭載、封止し、等価な発光領域を形成する。また、複数の発光領域２１の半導体発光素子は直列に接続され１つの独立した電源に結合する。一方、発光領域２２には、異なる調整をした青色半導体発光素子（ドミナント波長４５３ｎｍ）、緑色蛍光体（ＬｕＡＧ、ピーク波長５３０ｎｍ、半値全幅１０４ｎｍ）、赤色蛍光体（ＣＡＳＮ、ピーク波長６４５ｎｍ、半値全幅８９ｎｍ）を搭載、封止し、等価な発光領域を形成する。また、複数の発光領域２２の半導体発光素子は直列に接続され別の独立した電源に結合する。さらに、発光領域２３には、発光領域２１、発光領域２２のいずれとも異なる調整をした青色半導体発光素子（ドミナント波長４５５ｎｍ）、緑色蛍光体（ＬｕＡＧ、ピーク波長５３０ｎｍ、半値全幅１０４ｎｍ）、赤色蛍光体を搭載（ＣＡＳＮ、ピーク波長６４５ｎｍ、半値全幅８９ｎｍ）、封止し、等価な発光領域を形成する。また、複数の発光領域２３の半導体発光素子は直列に接続され別の独立した電源に結合する。ここで、発光領域２１、発光領域２２、発光領域２３は、それぞれ独立に電流注入できるようにする。
次に、発光領域２１、発光領域２２、発光領域２３を有する当該パッケージＬＥＤの各
発光領域に注入する電流値を適宜調整すると、例えば、当該パッケージＬＥＤの軸上に放射される図３６〜図３９に示す４種類の分光分布が実現される。図３６は、発光領域２１のみに電流を注入し、発光領域２１、発光領域２２、発光領域２３の放射束比を３：０：０にする場合である。図３７は、発光領域２２のみに電流を注入し、発光領域２１、発光領域２２、発光領域２３の放射束比を０：３：０にする場合である。図３８は、発光領域２３のみに電流を注入し、発光領域２１、発光領域２２、発光領域２３の放射束比を０：０：３にする場合である。最後に、図３９は、発光領域２１、発光領域２２、発光領域２３の全ての発光領域に電流を注入し、それぞれの放射束比を１：１：１にする場合である。このように、図３５に示したパッケージＬＥＤ２０の各領域に注入する電流を変化させることで、パッケージＬＥＤ本体から軸上に放射される放射束を変化させることができる。また各図に示したＣＩＥＬＡＢプロットは、＃０１から＃１５の１５種類の修正マンセル色票を照明対象物とした場合を数学的に仮定し、当該パッケージＬＥＤで照明した場合と、当該パッケージＬＥＤの相関色温度から導出される基準の光で照明した場合のａ*値
、ｂ*値をそれぞれプロットしたものである。なお、ここでは、発光装置としての放射束
に対して、駆動点Ａから駆動点Ｄまでの駆動点名を与えてある。図４０はこれら駆動点ＡからＤまでの色度点をＣＩＥ  １９７６  ｕ’ｖ’色度図上に示したものである。一方、それぞれの駆動点において、予想される測光学的特性、測色学的特性は、表１７にまとめる。
【０１７７】
【表１７−１】
0006666064.tif 000053
【０１７８】
【表１７−２】
0006666064.tif 000054
【０１７９】
これら図３６から図３９の分光分布、図３６から図３９のＣＩＥＬＡＢプロット、図４０のＣＩＥ  １９７６  ｕ’ｖ’色度図、さらに表１７−１及び１７−２から、以下のことが分かる。
駆動点Ａ乃至駆動点Ｃは屋外で見たような、自然で、生き生きとした、視認性の高い、快適な、色の見え、物体の見えと高い光源効率の両立が可能と考えられる。加えて、駆動点Ａ乃至駆動点Ｃで囲まれた範囲に存在する駆動点Ｄにおいても、屋外で見たような、自然で、生き生きとした、視認性の高い、快適な、色の見え、物体の見えと高い光源効率の両立が可能と考えられる。よって、たとえば、駆動点Ａ、駆動点Ｂ、駆動点Ｃにより囲まれた範囲内、さらにはその範囲内の近傍では、このような色の見えを実現しつつ、パッケージＬＥＤとしての相関色温度を２９３４Ｋから３９２６Ｋまで可変でき、ＤuvSSLも−
０．０１０４から−０．００７３まで可変できる。さらに当該１５種類の修正マンセル色票の平均飽和度も０．９４から１．９１まで可変となる。このようにすると、良好な色の見えと高い光源効率の両立が実現可能な領域において、発光装置の利用者の年齢、性別などによって、また、照明する空間、目的等に合わせて、より最適と考えられる照明条件を、可変範囲から容易に選択することができる。
特に、本実施例においては、異なる色調整をされた３種発光領域が１つの発光装置内にあるため、異なる色調整をされた２種発光領域が１つの発光装置内にある場合と比較して、その可変範囲を広く確保可能なため、好ましい。
この際には、さらに、次のような駆動制御をすることも可能である。
第一に、指標Ａcg、相関色温度ＴSSL（Ｋ）、及び黒体放射軌跡からの距離ＤuvSSLの少なくとも１つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
第二に、指標Ａcgを適切な範囲で減少させる際に、発光装置としての光束かつ／または放射束を下げて、照明対象物の照度を低下させる制御を行うこともできる。また、第三に、ＤuvSSLを適切な範囲で下げる場合にも、発光装置としての光束かつ／または放射束を
下げて、照明対象物の照度を下げる制御もできる。これら第二、第三の場合は、一般に明るさ感が増す場合が多いので、照度を下げてエネルギー消費を抑制することも可能であって、好ましい。
第四に、当該相関色温度を上げる際には、発光装置としての光束かつ／または放射束を
上げて、照明対象物の照度を上げるような制御もできる。一般の照明環境下では、低色温度領域では相対的に低照度環境において心地良いと判断されることが多く、また、高色温度領域では、相対的に高照度環境において心地良いと判断されることが多い。このような心理的効果は、クルーゾフ効果として知られているが、この様な効果を取り込んだ制御を行うことも可能であって、相関色温度を上げる際には、発光装置としての光束かつ／または放射束を上げて、照明対象物の照度を上げるような制御が好ましい。
【０１８０】
実施例３
図４１に記載のように、計９０個（９×１０）の発光部であるＬＥＤ電球が天井に埋め込まれている照明システムである発光装置を準備する。ここで図中実線斜線部分は発光領域３１として同等のＬＥＤバルブを搭載し、等価な発光領域を形成する。また、図中点線斜線部分は発光領域３２として同等のＬＥＤバルブを搭載し、等価な発光領域を形成する。ここで複数の発光領域３１に搭載されたＬＥＤ電球は並列に接続され１つの独立した電源に結合する。一方、複数の発光領域３２に搭載されたＬＥＤ電球は並列に接続され別の独立した電源に結合する。発光領域３１と発光領域３２は、それぞれ独立に駆動できるようにする。なお、発光領域３１を形成するＬＥＤ電球は青色半導体発光素子（ドミナント波長４４６ｎｍ）、黄色蛍光体（ＹＡＧ、ピーク波長５４５ｎｍ、半値全幅１０８ｎｍ）、赤色蛍光体（ＳＣＡＳＮ、ピーク波長６４０ｎｍ、半値全幅９０ｎｍ）を含み、発光領域３２を形成するＬＥＤ電球は、異なる調整をした青色半導体発光素子（ドミナント波長４５０ｎｍ）、緑色蛍光体（ＬｕＡＧ、ピーク波長５３０ｎｍ、半値全幅１０４ｎｍ）、赤色蛍光体（ＣＡＳＮ、ピーク波長６４５ｎｍ、半値全幅８９ｎｍ）を含むものとできる。
次に、発光領域３１と発光領域３２を構成するＬＥＤ電球の放射束をそれぞれ独立した電源に搭載されている調光コントローラーを用いて適宜調整すると、例えば、照明システム中心軸上に放射される図４２〜図４６に示す５種類の分光分布が実現される。図４２は発光領域３１を構成するＬＥＤ電球のみを駆動し、発光領域３１と発光領域３２の放射束比を９０：０にする場合であって、図４６は、逆に、発光領域３２を構成するＬＥＤ電球のみを駆動し、発光領域３１と発光領域３２の放射束比を０：９０にする場合である。さらに、発光領域３１を構成するＬＥＤ電球と発光領域３２を構成するＬＥＤ電球の放射束比を、７０：２０にする場合を図４３に、４５：４５にする場合を図４４に、３０：６０にする場合を図４５に示す。このように、各発光領域を構成するＬＥＤ電球の駆動条件を変化させることで、照明システム中心軸上に放射される放射束を変化させることができる。
また各図に示したＣＩＥＬＡＢプロットは、＃０１から＃１５の１５種類の修正マンセル色票を照明対象物とした場合を数学的に仮定し、当該照明システムである発光装置で照明した場合と、当該照明システムである発光装置の相関色温度から導出される基準の光で照明した場合のａ*値、ｂ*値をそれぞれプロットしたものである。なお、ここでは、照明システム（発光装置）としての放射束に対して、発光領域３１を構成するＬＥＤ電球の放射束寄与が大きい順に駆動点Ａから駆動点Ｅまでの駆動点名を与えてある。図４７はこれら駆動点ＡからＥまでの色度点をＣＩＥ  １９７６  ｕ’ｖ’色度図上に示したものである。一方、それぞれの駆動点において、予想される測光学的特性、測色学的特性は、表１８にまとめる。
【０１８１】
【表１８−１】
0006666064.tif 000055
【０１８２】
【表１８−２】
0006666064.tif 000056
【０１８３】
これら図４２から図４６の分光分布、図４２から図４６のＣＩＥＬＡＢプロット、図４７のＣＩＥ  １９７６  ｕ’ｖ’色度図、さらに表１８−１及び１８−２から、以下のことが分かる。
駆動点Ａ、駆動点ＢにおいてはφSSL-BG-min／φSSL-BM-max、λSSL-RM-max、の少なくともいずれかが本発明の適切な範囲に入らないが、駆動点Ｃ、駆動点Ｄ、駆動点Ｅさらにはその間、並びに近傍においては、屋外で見たような、自然で、生き生きとした、視認性の高い、快適な、色の見え、物体の見えと高い光源効率の両立が可能と考えられる。よって、たとえば、駆動点Ｃと駆動点Ｅの間では、このような色の見えを実現しつつ、照明システムとしての相関色温度を３１４６Ｋから３５４４Ｋまで可変でき、ＤuvSSLも−０．
０１２１から−０．０１１６まで可変できる。さらに当該１５種類の修正マンセル色票の
平均飽和度も１．６５から２．１７まで可変となる。このようにすると、良好な色の見えと高い光源効率の両立が可能な領域において、発光装置の利用者の年齢、性別などによって、また、照明する空間、目的等に合わせて、より最適と考えられる照明条件を、可変範囲から容易に選択することができる。
この際には、さらに、次のような駆動制御をすることも可能である。
第一に、指標Ａcg、相関色温度ＴSSL（Ｋ）、及び黒体放射軌跡からの距離ＤuvSSLの少なくとも１つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
第二に、指標Ａcgを適切な範囲で減少させる際に、発光装置としての光束かつ／または放射束を下げて、照明対象物の照度を低下させる制御を行うこともできる。また、第三に、ＤuvSSLを適切な範囲で下げる場合にも、発光装置としての光束かつ／または放射束を
下げて、照明対象物の照度を下げる制御もできる。これら第二、第三の場合は、一般に明るさ感が増す場合が多いので、照度を下げてエネルギー消費を抑制することも可能であって、好ましい。
第四に、当該相関色温度を上げる際には、発光装置としての光束かつ／または放射束を上げて、照明対象物の照度を上げるような制御もできる。一般の照明環境下では、低色温度領域では相対的に低照度環境において心地良いと判断されることが多く、また、高色温度領域では、相対的に高照度環境において心地良いと判断されることが多い。このような心理的効果は、クルーゾフ効果として知られているが、この様な効果を取り込んだ制御を行うことも可能であって、相関色温度を上げる際には、発光装置としての光束かつ／または放射束を上げて、照明対象物の照度を上げるような制御が好ましい。
【０１８４】
実施例４
実施例３と同様に、図４１に記載のように、計９０個（９×１０）の発光部であるＬＥＤ電球が天井に埋め込まれている照明システムである発光装置を準備する。発光領域３１を形成するＬＥＤ電球は青色半導体発光素子及び黄色蛍光体を発光要素としてを含む市販品ＬＥＤ電球であり、発光領域３２を形成するＬＥＤ電球は、紫色半導体発光素子（ドミナント波長４０８ｎｍ）、青色蛍光体（ＳＢＣＡ、ピーク波長４５５ｎｍ、半値全幅５４ｎｍ）、緑色蛍光体（β−ＳｉＡｌＯＮ、ピーク波長５４５ｎｍ、半値全幅５５ｎｍ）、赤色蛍光体（ＣＡＳＯＮ、ピーク波長６４５ｎｍ、半値全幅９９ｎｍ）を含むものとできる。
次に、発光領域３１と発光領域３２を構成するＬＥＤ電球の放射束をそれぞれ独立した電源に搭載されている調光コントローラーを用いて適宜調整すると、例えば、照明システム中心軸上に放射される図４８〜図５２に示す５種類の分光分布が実現される。図４８は発光領域３１を構成するＬＥＤ電球のみを駆動し、発光領域３１と発光領域３２の放射束比を９０：０にする場合であって、図５２は、逆に、発光領域３２を構成するＬＥＤ電球のみを駆動し、発光領域３１と発光領域３２の放射束比を０：９０にする場合である。さらに、発光領域３１を構成するＬＥＤ電球と発光領域３２を構成するＬＥＤ電球の放射束比を、７０：２０にする場合を図４９に、４９：４１にする場合を図５０に、３０：６０にする場合を図５１に示す。このように、各発光領域を構成するＬＥＤ電球の駆動条件を変化させることで、照明システム中心軸上に放射される放射束を変化させることができる。
また各図に示したＣＩＥＬＡＢプロットは、＃０１から＃１５の１５種類の修正マンセル色票を照明対象物とした場合を数学的に仮定し、当該照明システムである発光装置で照明した場合と、当該照明システムである発光装置の相関色温度から導出される基準の光で照明した場合のａ*値、ｂ*値をそれぞれプロットしたものである。なお、ここでは、照明システム（発光装置）としての放射束に対して、発光領域３１を構成するＬＥＤ電球の放射束寄与が大きい順に駆動点Ａから駆動点Ｅまでの駆動点名を与えてある。図５３はこれ
ら駆動点ＡからＥまでの色度点をＣＩＥ  １９７６  ｕ’ｖ’色度図上に示したものである。一方、それぞれの駆動点において、予想される測光学的特性、測色学的特性は、表１９にまとめる。
【０１８５】
【表１９−１】
0006666064.tif 000057
【０１８６】
【表１９−２】
0006666064.tif 000058
【０１８７】
これら図４８から図５２の分光分布、図４８から図５２のＣＩＥＬＡＢプロット、図５３のＣＩＥ  １９７６  ｕ’ｖ’色度図、さらに表１９−１及び１９−２から、以下のことが分かる。
駆動点Ａ、駆動点Ｂ、駆動点Ｄ、駆動点ＥにおいてはＤuvSSL、Ａcg、φSSL-BG-min／
φSSL-BM-max、λSSL-RM-max、の少なくともいずれかが本発明の適切な範囲に入らないが
、駆動点Ｃ及びその近傍においては、屋外で見たような、自然で、生き生きとした、視認性の高い、快適な、色の見え、物体の見えと高い光源効率の両立が可能と考えられる。なお、駆動点Ｄ、駆動点Ｅとその間、並びに近傍においては良好な色の見えは実現するものの、放射効率の相対的な低さから相対的に高い光源効率は実現できないと考えられる。
【０１８８】
実施例５
図５４に記載のように、１個の発光領域が存在する縦５ｍｍ、横５ｍｍのセラミックパッケージを２個近接させて、一対のセラミックパッケージＬＥＤ４０を準備する。ここで一方を発光領域４１、もう一方を発光領域４２とすべく、以下のようにする。発光領域４１には、青色半導体発光素子（ドミナント波長４５３ｎｍ）、緑色蛍光体（ＬｕＡＧ、ピーク波長５３０ｎｍ、半値全幅１０４ｎｍ）、赤色蛍光体（ＣＡＳＯＮ、ピーク波長６４５ｎｍ、半値全幅９９ｎｍ）を搭載、封止する。また、発光領域４１は１つの独立した電源に結合する。一方、発光領域４２には、紫色半導体発光素子（ドミナント波長４０８ｎｍ）、青色蛍光体（ＳＢＣＡ、ピーク波長４５５ｎｍ、半値全幅５４ｎｍ）、緑色蛍光体（β−ＳｉＡｌＯＮ、ピーク波長５４５ｎｍ、半値全幅５５ｎｍ）、赤色蛍光体（ＣＡＳＯＮ、ピーク波長６４５ｎｍ、半値全幅９９ｎｍ）を搭載、封止する。また、発光領域４２は別の独立した電源に結合する。このようにして、発光領域４１と発光領域４２は、それぞれ独立に電流注入できるようにする。
次に、発光領域４１と発光領域４２である当該１対のパッケージＬＥＤ４０の各発光領域に注入する電流値を適宜調整すると、例えば、当該１対のパッケージＬＥＤ４０の軸上に放射される図５５〜図５９に示す５種類の分光分布が実現される。図５５は発光領域４１のみに電流を注入し、発光領域４１と発光領域４２の放射束比を９：０にする場合であって、図５９は、逆に、発光領域４２のみに電流を注入し、発光領域４１と発光領域４２の放射束比を０：９にする場合である。さらに、発光領域４１と発光領域４２の放射束比を、７：２にする場合を図５６に、４．５：４．５にする場合を図５７に、２：７にする場合を図５８に示す。このように、１対のパッケージＬＥＤ４０の各領域に注入する電流を変化させることで、１対のパッケージＬＥＤ本体から中心軸上に放射される放射束を変化させることができる。
また各図に示したＣＩＥＬＡＢプロットは、＃０１から＃１５の１５種類の修正マンセル色票を照明対象物とした場合を数学的に仮定し、当該１対のパッケージＬＥＤで照明した場合と、当該１対のパッケージＬＥＤの相関色温度から導出される基準の光で照明した場合のａ*値、ｂ*値をそれぞれプロットしたものである。なお、ここでは、発光装置としての放射束に対して、発光領域４１の放射束寄与が大きい順に駆動点Ａから駆動点Ｅまでの駆動点名を与えてある。図６０はこれら駆動点ＡからＥまでの色度点をＣＩＥ  １９７６  ｕ’ｖ’色度図上に示したものである。一方、それぞれの駆動点において、予想される測光学的特性、測色学的特性は、表２０にまとめる。
【０１８９】
【表２０−１】
0006666064.tif 000059
【０１９０】
【表２０−２】
0006666064.tif 000060
【０１９１】
これら図５５から図５９の分光分布、図５５から図５９のＣＩＥＬＡＢプロット、図６０のＣＩＥ  １９７６  ｕ’ｖ’色度図、さらに表２０−１及び表２０−２から、以下のことが分かる。
駆動点Ｃ、駆動点Ｄ，駆動点ＥにおいてはいずれもＡcgが本発明の適切な範囲に入らないが、駆動点Ａ、駆動点Ｂ、さらにはその間、並びに近傍においては、放射効率の相対的な高さから他駆動点よりも光源効率が改善され、かつ、屋外で見たような、自然で、生き生きとした、視認性の高い、快適な、色の見え、物体の見えを実現可能と考えられる。よって、たとえば、駆動点Ａと駆動点Ｂの間では、このような色の見えを実現しつつ、パッケージＬＥＤとしての相関色温度を３１６８Ｋから３３６５Ｋまで可変でき、ＤuvSSLも
−０．０１２３から−０．０１２２まで可変できる。さらに当該１５種類の修正マンセル色票の平均飽和度も１．９５から１．９９まで可変となる。このようにすると、良好な色の見えと高い光源効率の両立が可能な領域において、発光装置の利用者の年齢、性別などによって、また、照明する空間、目的等に合わせて、より最適と考えられる照明条件を、可変範囲から容易に選択することができる。なお、なお、駆動点Ｃ、駆動点Ｄ、駆動点Ｅとその間、並びに近傍においては良好な色の見えは実現するものの、放射効率の相対的な低さから相対的に高い光源効率は実現できないと考えられる。
この際には、さらに、次のような駆動制御をすることも可能である。
第一に、指標Ａcg、相関色温度ＴSSL（Ｋ）、及び黒体放射軌跡からの距離ＤuvSSLの少なくとも１つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
第二に、指標Ａcgを適切な範囲で減少させる際に、発光装置としての光束かつ／または放射束を下げて、照明対象物の照度を低下させる制御を行うこともできる。また、第三に、ＤuvSSLを適切な範囲で下げる場合にも、発光装置としての光束かつ／または放射束を
下げて、照明対象物の照度を下げる制御もできる。これら第二、第三の場合は、一般に明るさ感が増す場合が多いので、照度を下げてエネルギー消費を抑制することも可能であって、好ましい。
第四に、当該相関色温度を上げる際には、発光装置としての光束かつ／または放射束を上げて、照明対象物の照度を上げるような制御もできる。一般の照明環境下では、低色温度領域では相対的に低照度環境において心地良いと判断されることが多く、また、高色温度領域では、相対的に高照度環境において心地良いと判断されることが多い。このような心理的効果は、クルーゾフ効果として知られているが、この様な効果を取り込んだ制御を行うことも可能であって、相関色温度を上げる際には、発光装置としての光束かつ／または放射束を上げて、照明対象物の照度を上げるような制御が好ましい。
【０１９２】
実施例６
図６１に記載のように、計１６個の発光部が存在する縦６ｍｍ、横９ｍｍのセラミックパッケージ５０を準備する。ここで発光領域５１中には、青色半導体発光素子（ドミナント波長４４８ｎｍ）、緑色蛍光体（ＬＳＮ、ピーク波長５３５ｎｍ、半値全幅１０７ｎｍ）、赤色蛍光体（ＣＡＳＮ、ピーク波長６６０ｎｍ、半値全幅８８ｎｍ）を搭載、封止し、等価な発光領域を形成する。また、複数の発光領域５１の半導体発光素子は直列に接続され１つの独立した電源に結合する。一方、発光領域５２中には、青色半導体発光素子（ドミナント波長４４７ｎｍ）、緑色蛍光体（ＣＳＯ、ピーク波長５２０ｎｍ、半値全幅９６ｎｍ）、赤色蛍光体（ＳＣＡＳＮ、ピーク波長６２５ｎｍ、半値全幅８７ｎｍ）を搭載、封止し、等価な発光領域を形成する。また、複数の発光領域５２の半導体発光素子は直列に接続され別の独立した電源に結合する。発光領域５１と発光領域５２は、それぞれ独立に電流注入できるようにする。
次に、発光領域５１と発光領域５２を有する当該パッケージＬＥＤの各発光領域に注入する電流値を適宜調整すると、例えば、当該パッケージＬＥＤの軸上に放射される図６２〜図６６に示す５種類の分光分布が実現される。図６２は発光領域５１のみに電流を注入し、発光領域５１と発光領域５２の放射束比を１６：０にする場合であって、図６６は、逆に、発光領域５２のみに電流を注入し、発光領域５１と発光領域５２の放射束比を０：１６にする場合である。さらに、発光領域５１と発光領域５２の放射束比を、４：１２にする場合を図６３に、３：１３にする場合を図６４に、１：１５にする場合を図６５に示す。このように、パッケージＬＥＤ５０の各領域に注入する電流を変化させることで、パッケージＬＥＤ本体から軸上に放射される放射束を変化させることができる。
また各図に示したＣＩＥＬＡＢプロットは、＃０１から＃１５の１５種類の修正マンセル色票を照明対象物とした場合を数学的に仮定し、当該パッケージＬＥＤで照明した場合
と、当該パッケージＬＥＤの相関色温度から導出される基準の光で照明した場合のａ*値
、ｂ*値をそれぞれプロットしたものである。なお、ここでは、発光装置としての放射束
に対して、発光領域５１の放射束寄与が大きい順に駆動点Ａから駆動点Ｅまでの駆動点名を与えてある。図６７はこれら駆動点ＡからＥまでの色度点をＣＩＥ  １９７６  ｕ’ｖ’色度図上に示したものである。一方、それぞれの駆動点において、予想される測光学的特性、測色学的特性は、表２１にまとめる。
【０１９３】
【表２１−１】
0006666064.tif 000061
【０１９４】
【表２１−２】
0006666064.tif 000062
【０１９５】
これら図６２から図６６の分光分布、図６２から図６６のＣＩＥＬＡＢプロット、図６７のＣＩＥ  １９７６  ｕ’ｖ’色度図、さらに表２１−１及び２１−２から、以下のことが分かる。
駆動点Ａ、駆動点Ｄ，駆動点ＥにおいてはＤuvSSL、Ａcg、φSSL-BG-min／φSSL-BM-max、λSSL-RM-max、のうち少なくともいずれかが本発明の適切な範囲に入らないが、駆動
点Ｂ、駆動点Ｃ、さらにはその間、並びに近傍においては、屋外で見たような、自然で、生き生きとした、視認性の高い、快適な、色の見え、物体の見えと高い光源効率の両立が可能と考えられる。よって、たとえば、駆動点Ｂと駆動点Ｃの間、並びに近傍においては、良好な色の見えを実現しつつ、パッケージＬＥＤとしての相関色温度を３９６８Ｋから４１６４Ｋまで可変でき、ＤuvSSLも−０．０１１２から−０．０１１６まで可変できる
。さらに当該１５種類の修正マンセル色票の平均飽和度も０．８９から１．１１まで可変となる。このようにすると、良好な色の見えと高い光源効率の両立が実現可能な領域において、発光装置の利用者の年齢、性別などによって、また、照明する空間、目的等に合わせて、より最適と考えられる照明条件を、可変範囲から容易に選択することができる。
この際には、さらに、次のような駆動制御をすることも可能である。
第一に、指標Ａcg、相関色温度ＴSSL（Ｋ）、及び黒体放射軌跡からの距離ＤuvSSLの少なくとも１つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
第二に、指標Ａcgを適切な範囲で減少させる際に、発光装置としての光束かつ／または放射束を下げて、照明対象物の照度を低下させる制御を行うこともできる。また、第三に、ＤuvSSLを適切な範囲で下げる場合にも、発光装置としての光束かつ／または放射束を
下げて、照明対象物の照度を下げる制御もできる。これら第二、第三の場合は、一般に明るさ感が増す場合が多いので、照度を下げてエネルギー消費を抑制することも可能であって、好ましい。
第四に、当該相関色温度を上げる際には、発光装置としての光束かつ／または放射束を上げて、照明対象物の照度を上げるような制御もできる。一般の照明環境下では、低色温度領域では相対的に低照度環境において心地良いと判断されることが多く、また、高色温度領域では、相対的に高照度環境において心地良いと判断されることが多い。このような心理的効果は、クルーゾフ効果として知られているが、この様な効果を取り込んだ制御を行うことも可能であって、相関色温度を上げる際には、発光装置としての光束かつ／または放射束を上げて、照明対象物の照度を上げるような制御が好ましい。
【０１９６】
比較例
以下を除いて、実施例１と同様の樹脂パッケージＬＥＤを準備する。
発光領域１１中には、青色半導体発光素子（ドミナント波長４３８ｎｍ）、緑色蛍光体（β−ＳｉＡｌＯＮ、ピーク波長５４５ｎｍ、半値全幅５５ｎｍ）、赤色蛍光体（ＣＡＳＯＮ、ピーク波長６４５ｎｍ、半値全幅９９ｎｍ）を搭載、封止する。
また、発光領域１２中には、青色半導体発光素子（ドミナント波長４４８ｎｍ）、緑色蛍光体（ＬＳＮ、ピーク波長５３５ｎｍ、半値全幅１０７ｎｍ）、赤色蛍光体（ＣＡＳＮ、ピーク波長６６０ｎｍ、半値全幅８８ｎｍ）を搭載、封止する。
次に、発光領域１１と発光領域１２を有する当該パッケージＬＥＤの各発光領域に注入する電流値を適宜調整すると、例えば、当該パッケージＬＥＤの軸上に放射される図６８〜図７２に示す５種類の分光分布が実現される。図６８は発光領域１１のみに電流を注入し、発光領域１１と発光領域１２の放射束比を３：０にする場合であって、図７２は、逆に、発光領域１２のみに電流を注入し、発光領域１１と発光領域１２の放射束比を０：３にする場合である。さらに、発光領域１１と発光領域１２の放射束比を、２：１にする場合を図６９に、１．５：１．５にする場合を図７０に、１：２にする場合を図７１に示す。このように、パッケージＬＥＤの各領域に注入する電流を変化させることで、パッケージＬＥＤ本体から軸上に放射される放射束を変化させることができる。また各図に示したＣＩＥＬＡＢプロットは、＃０１から＃１５の１５種類の修正マンセル色票を照明対象物とした場合を数学的に仮定し、当該パッケージＬＥＤで照明した場合と、当該パッケージ
ＬＥＤの相関色温度から導出される基準の光で照明した場合のａ*値、ｂ*値をそれぞれプロットしたものである。なお、ここでは、発光装置としての放射束に対して、発光領域１１の放射束寄与が大きい順に駆動点Ａから駆動点Ｅまでの駆動点名を与えてある。図７３はこれら駆動点ＡからＥまでの色度点をＣＩＥ  １９７６  ｕ’ｖ’色度図上に示したものである。一方、それぞれの駆動点において、予想される測光学的特性、測色学的特性は、表２２にまとめる。
【０１９７】
【表２２−１】
0006666064.tif 000063
【０１９８】
【表２２−２】
0006666064.tif 000064
【０１９９】
これら図６８から図７２の分光分布、図６８から図７２のＣＩＥＬＡＢプロット、図７３のＣＩＥ  １９７６  ｕ’ｖ’色度図、さらに表２２−１及び２２−２から、以下のことが分かる。
駆動点Ａから駆動点Ｅのいずれにおいても、ＤuvSSL、Ａcg、φSSL-BG-min／φSSL-BM-max、λSSL-RM-max、のうち少なくともいずれかが本発明の適切な範囲に入らない。この
ため、パッケージＬＥＤとしての可変範囲に、屋外で見たような、自然で、生き生きとした、視認性の高い、快適な、色の見え、物体の見えと高い光源効率の両立が可能と考えられる駆動点は存在しない。
【０２００】
［考察］
以上の実施例から、以下に示す発明事項を導き出すことができる。
すなわち、発光装置の主たる放射方向に各発光領域から出射される光の分光分布をφSSLＮ（λ）（Ｎは１からＭ）とし、前記発光装置から当該放射方向に出射されるすべての
光の分光分布φSSL（λ）が、
【数２１】
0006666064.tif 000065
のときに、前記発光領域から出射される光束量かつ／または放射束量を変化させることでφSSL（λ）を、以下の条件を満たすように出来る発光領域である場合に、本発明の効果
が得られる。なお、以下の条件は、本発明の第二の実施態様に係る発光装置の設計方法、及び本発明の第三の実施態様に係る発光装置の駆動方法に対しても、同様に適応できる。条件１：
前記発光装置から出射される光は、ＡＮＳＩ  Ｃ７８．３７７で定義される黒体放射軌跡からの距離ＤuvSSLが、−０．０２２０  ≦  ＤuvSSL  ≦  −０．００７０となる光を主たる放射方向に含む。
条件２：
前記発光装置から当該放射方向に出射される光の分光分布をφSSL（λ）、前記発光装
置から当該放射方向に出射される光の相関色温度ＴSSL（Ｋ）に応じて選択される基準の
光の分光分布をφref（λ）、前記発光装置から当該放射方向に出射される光の三刺激値
を（ＸSSL、ＹSSL、ＺSSL）、前記発光装置から当該放射方向に出射される光の相関色温
度ＴSSL（Ｋ）に応じて選択される基準の光の三刺激値を（Ｘref、Ｙref、Ｚref）とし、
前記発光装置から当該放射方向に出射される光の規格化分光分布ＳSSL（λ）と、前記
発光装置から当該放射方向に出射される光の相関色温度ＴSSL（Ｋ）に応じて選択される
基準の光の規格化分光分布Ｓref（λ）と、これら規格化分光分布の差ΔＳ（λ）をそれ
ぞれ、
ＳSSL（λ）＝φSSL（λ）／ＹSSL
Ｓref（λ）＝φref（λ）／Ｙref
ΔＳ（λ）＝Ｓref（λ）−ＳSSL（λ）
と定義し、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在する場合において、
下記数式（１）で表される指標Ａcgが、−１０  ＜  Ａcg ≦  １２０を満たし、
波長３８０ｎｍ以上７８０ｎｍ以内の範囲で、ＳSSL（λ）の最長波長極大値を与える
波長をλR（ｎｍ）とした際に、λRよりも長波長側にＳSSL（λR）／２となる波長Λ４が存在しない場合において、
下記数式（２）で表される指標Ａcgが、−１０  ＜  Ａcg ≦  １２０を満たす。
【数２２】
0006666064.tif 000066
【数２３】
0006666064.tif 000067
条件３：
前記光の分光分布φSSL（λ）は、４３０ｎｍ以上４９５ｎｍ以下の範囲における分光
強度の最大値をφSSL-BM-max、４６５ｎｍ以上５２５ｎｍ以下の範囲における分光強度の最小値をφSSL-BG-minと定義した際に、
０．２２５０  ≦  φSSL-BG-min／φSSL-BM-max  ≦  ０．７０００
である。
条件４：
前記光の分光分布φSSL（λ）は、５９０ｎｍ以上７８０ｎｍ以下の範囲における分光
強度の最大値をφSSL-RM-maxと定義した際に、前記φSSL-RM-maxを与える波長λSSL-RM-maxが、
６０５（ｎｍ）  ≦  λSSL-RM-max  ≦  ６５３（ｎｍ）
である。
【０２０１】
なお、実施例では２種類、あるいは３種類の発光領域が内在する発光装置としたが、発光領域は２種類、３種類に限られるものではない。
発光領域が２種類の場合には、発光装置としての制御が容易であるため好ましい態様である。
発光領域が３種類の場合には、制御領域が色度座標上で、線状ではなく面状となるため、広い範囲で色の見えを調整することが可能となり好ましい。
発光領域が４種類以上の場合には、上記のとおり、色度座標上で面状の制御となることに加え、相関色温度、ＤuvSSL、色の見えを独立に制御できるため好ましい。また、色度
を変更することなく色の見えを調整することも可能となるため好ましい。
一方、発光領域は過剰に存在すると現実の発光装置においては制御が煩雑となるため、１０以下であることが好ましく、８以下であることがより好ましい。
また、複数種類の発光領域を有する本発明の発光装置においては、各種の発光領域の光束量、あるいは放射束量を変化させるには、以下のような方法を採用することが可能である。第一に各発光領域に供給する電力を変化させる方法がある。また、この際には、電流を変化させる方法が簡便であって好ましい。さらに、各発光領域に光学的なＮＤフィルターを設置可能としておき、フィルターを物理的に交換することで、また、電気的に偏光フィルター等の透過率を変化させることで発光領域から出射される光束量かつ／または放射束量を変化させてもよい。
【０２０２】
また、以下に示す条件５及び／又は条件６を満たすことが好ましい。
条件５：
前記光の分光分布φSSL（λ）において、前記φSSL-BM-maxを与える波長λSSL-BM-max
が、
４３０（ｎｍ）  ≦  λSSL-BM-max  ≦  ４８０（ｎｍ）
である。
条件６：
０．１８００  ≦  φSSL-BG-min／φSSL-RM-max  ≦  ０．８５００
【０２０３】
また、色の見えが良好になる観点から、以下の条件Ｉ〜ＩＶを満たすことが好ましい。条件Ｉ：
当該放射方向に出射される光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１から
１５の自然数）とした場合に、飽和度差ΔＣnが
−４．００  ≦  ΔＣn ≦  ８．００          （ｎは１から１５の自然数）
を満たす。
条件ＩＩ：
下記式（３）で表される飽和度差の平均ＳＡＴaveが０．５０≦ＳＡＴave≦４．００を満たす。
【数２４】
0006666064.tif 000068
条件ＩＩＩ：
かつ飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
当該放射方向に出射される光による照明を数学的に仮定した場合の上記１５種類の修正マンセル色票のＣＩＥ  １９７６  Ｌ*ａ*ｂ*色空間における色相角をθnSSL（度）（た
だしｎは１から１５の自然数）とし、
当該放射方向に出射される光の相関色温度ＴSSL（Ｋ）に応じて選択される基準の光で
の照明を数学的に仮定した場合の当該１５種類の修正マンセル色票のＣＩＥ  １９７６  Ｌ*ａ*ｂ*色空間における色相角をθnref（度）（ただしｎは１から１５の自然数）とし
た場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
【０２０４】
また、実施例１、実施例２で示したような、すべてのφSSLＮ（λ）（Ｎは１からＭ）
が、前記条件１乃至条件４を満たす発光装置であることも好ましい態様である。このような態様である場合には、発光領域から出射される光をどのような割合で供給する場合にも、屋外で見たような、自然で、生き生きとした、視認性の高い、快適な、色の見え、物体の見えと高い光源効率の両立が可能となる。なお、φSSLＮ（λ）が前記条件１乃至４を
満たすか否かの判断をする際には、当該φSSLＮ（λ）のみが発光装置から出射されると
仮定する。
一方、実施例４、実施例６で示したように、単独の発光領域から出射される光のみでは、屋外で見たような、自然で、生き生きとした、視認性の高い、快適な、色の見え、物体の見えと高い光源効率の両立が実現できない場合もある。そのような場合であっても、それぞれの発光領域から出射される光の割合を適切に調整する事で、良好な色の見えと高い光源効率の両立が実現できる場合がある。このような発光装置についても、本発明の範囲に属することは言うまでもない。
【０２０５】
本発明の一つの特徴は、例えば実施例４、実施例６で示したように、「良好な色の見えと高い光源効率の両立が実現できない光源同士」を組み合わせたとしても、「良好な色の見えと高い光源効率の両立を実現しうる」点にある。また、実施例３、実施例５で示したように、単体としてみた場合に、「良好な色の見えと高い光源効率の両立が実現できない発光領域」と、「良好な色の見えと高い光源効率の両立が実現できる発光領域」との組み合わせであっても、「良好な色の見えと高い光源効率の両立が実現できる」点にある。
このように、「屋外で見たような、自然で、生き生きとした、視認性の高い、快適な、色の見え、物体の見えと高い光源効率を両立できる」発光装置を実現するうえで、「良好な色の見えと高い光源効率の両立が実現できない発光領域を含む組み合わせの場合」、特に、「良好な色の見えと高い光源効率の両立が実現できない発光領域のみ」の組み合わせの場合に、本発明の発光装置を実施するための指針を以下に示す。
【０２０６】
「良好な色の見えと高い光源効率の両立が実現できない発光領域のみの組み合わせ」で本発明の「良好な色の見えと高い光源効率の両立を実現した発光装置」を実現するためには、条件１に示したＤuvSSL、条件２に示したＡcg、条件３に示したφSSL-BG-min／φSSL-BM-max、条件４に示したλSSL-RM-maxの全てを、組み合わせの結果として適切な数値範
囲としなければならない。また、条件５に示したλSSL-BM-max、条件６に示したφSSL-BG-min／φSSL-RM-maxも組み合わせの結果として適切な数値範囲とする事が好ましい。このためには、以下の様な方法が考えられる。
第一にＤuvに関しては以下の通りである。
各発光領域から出射される光の黒体放射軌跡からの距離Ｄuvがいずれも適正範囲でない場合は、例えば、以下（あ）（い）（う）は効果的である。
（あ）：各種色度図上の色度座標が大きく離れた発光領域を組み合わせた発光装置とする。
（い）：相関色温度が定義できる場合には、これが大きく離れた複数の発光領域を組み合わせた発光装置とする。
（う）：黒体放射軌跡からの距離Ｄuvが定義できる場合には、これが大きく離れた複数の発光領域を組み合わせた発光装置とする。
これは以下の理由による。
例えば、２つの発光領域を有し、一方から出射される光のＤuvが適正範囲（−０．０２２０以上かつ−０．００７０以下）よりも大きく、もう一方から出射される光のＤuvが適正範囲（−０．０２２０以上かつ−０．００７０以下）よりも小さい値を有する場合には、特定割合で両光源からの光を組み合わせた駆動点は、良好な色の見えと高い光源効率を両立する数値になり得る事は容易に理解される。
しかし、例えば２つの発光領域を有し、いずれの領域から出射される光もＤuvが適正範囲（−０．０２２０以上かつ−０．００７０以下）よりも大きな値を有する場合であっても、ＣＩＥ１９７６ｕ’ｖ’色度図上で黒体放射軌跡は湾曲しているので、特定割合で両光源からの光を組み合わせた駆動点は、良好な色の見えと高い光源効率を両立する数値になり得る。例えば、実施例６の図６７あるいは表２１において、発光領域５１のＤuv（換言すると駆動点ＡにおけるＤuvSSL）が−０．００６４、発光領域５２のＤuv（換言する
と駆動点ＥにおけるＤuvSSL）が−０．００９３でありながら、この組み合わせである駆
動点ＣのＤuvSSLが−０．０１１２といずれの数値よりも小さくなるのはこのような理由
による。このような傾向を効果的に利用するには、前記（あ）（い）（う）の要件を満たす事が好ましい。
【０２０７】
第二にＡcgに関しては以下の通りである。
各発光領域から出射される光のＡcgが全て適正な範囲でない場合は、Ｄuvと同様に、下の（あ）（い）（う）は効果的である。
（あ）：各種色度図上の色度座標が大きく離れた発光領域を組み合わせた発光装置とする。
（い）：相関色温度が定義できる場合には、これが大きく離れた複数の発光領域を組み合わせた発光装置とする。
（う）：黒体放射軌跡からの距離Ｄuvが定義できる場合には、これが大きく離れた複数の発光領域を組み合わせた発光装置とする。
これは以下の理由による。
例えば、２つの発光領域を有し、一方から出射される光のＡcgが適正範囲（−１０より大かつ１２０以下）よりも大きく、もう一方から出射される光のＡcgが適正範囲（−１０より大かつ１２０以下）よりも小さい値を有する場合には、特定割合で両光源からの光を組み合わせた駆動点は、良好な色の見えと高い光源効率を両立する数値になり得る事は容易に理解される。
しかし、例えば２つの発光領域を有し、いずれの領域から出射される光もＡcgvが適正
範囲（−１０より大かつ１２０以下）よりも大きな値を有する場合であっても、基準光分光分布の色温度に対する変化が非線形なので、特定割合で両光源からの光を組み合わせた駆動点は、良好な色の見えと高い光源効率を両立する数値になり得る。例えば、実施例６の図６２から図６６あるいは表２１において、発光領域５１のＡcg（換言すると駆動点ＡにおけるＡcg）が１３０．４、発光領域５２のＡcg（換言すると駆動点ＥにおけるＡcg）１２３．４でありながら、この組み合わせである駆動点ＣのＡcgが８５．８といずれの値よりも小さな値となるのはこのような理由による。このような傾向を効果的に利用するには、前記（あ）（い）（う）の要件を満たす事が好ましい。
【０２０８】
第三にφSSL-BG-min／φSSL-BM-maxとφSSL-BG-min／φSSL-RM-maxに関しては以下の通りである。
これらのパラメータは、発光装置を構成する発光領域から出射される光の特徴をその放射束割合で重みづけ平均した値となるので、例えば、２つの発光領域を有し、一方から出射される光の該当パラメータが適正範囲よりも大きい場合は、もう一方から出射される光の該当パラメータが適正範囲よりも小さい値を有する場合に、特定割合で両光源からの光を組み合わせた駆動点は、良好な色の見えと高い光源効率を両立する数値になり得る。このため、以下のような光源の組み合わせが有効である。
（あ´）：分光分布の凹凸位置が異なる光を出射する発光領域を組み合わせた発光装置とする。
例えば、実施例４の図４８から図５２あるいは表１９がこの場合に相当する。
【０２０９】
第四にλSSL-RM-max、λSSL-BM-maxに関しては以下の通りである。これらの指標は、発光装置を構成する発光領域から出射される光の特徴をその放射束割合で重みづけ平均した分光放射束分布形状から与えられる指標ではあるものの、値としては連続的に変化する場合も、またその形状によっては不連続に変化する場合もある。前者は、全ての発光領域から出射される分光放射束分布が比較的なだらかな場合で、後者は少なくとも１つの分光放射束分布が急峻なピークを有する場合である。よって、発光装置を構成する各発光領域が出射する分光放射束分布によって、その組み合わせを適宜選択し、各指標を適正範囲とする事が好ましい。
さらに、条件（い）に関しては、発光装置を構成する複数の発光領域中で、最も異なる相関色温度を有する２発光領域間の相関色温度差が２０００Ｋ以上である事が好ましく、２５００Ｋ以上である事がより好ましく、３０００Ｋ以上である事が非常に好ましく、３５００Ｋ以上である事が格段に好ましく、４０００Ｋ以上である事が最も好ましい。また、条件（う）に関しては、発光装置を構成する複数の発光領域中で、最も異なる相関色温度を有する２発光領域間のＤｕｖ差の絶対値が、０．００５以上である事が好ましく、０．０１０以上である事がより好ましく、０．０１５以上である事が非常に好ましく、０．０２０以上である事が格段に好ましい。
【０２１０】
さらに、「屋外で見たような、自然で、生き生きとした、視認性の高い、快適な、色の見え、物体の見えと高い光源効率の両立した」発光装置を実現するうえで、「屋外で見たような、自然で、生き生きとした、視認性の高い、快適な、色の見え、物体の見えと高い光源効率を両立できない発光領域を含む組み合わせの場合」、特に、「屋外で見たような、自然で、生き生きとした、視認性の高い、快適な、色の見え、物体の見えと高い光源効率を両立ができない発光領域のみ」の組み合わせの場合に、本発明の発光装置を実施するための指針は、以下も列挙可能である。
（え）：Ａcgが大きく離れた色の見えとなる複数の発光領域を組み合わせた発光装置とする。
（お）：飽和度差ΔＣnが大きく離れた色の見えとなる複数の発光領域を組み合わせた発
光装置とする。
（か）：飽和度差の平均ＳＡＴaveが大きく離れた色の見えとなる複数の発光領域を組み
合わせた発光装置とする。
これら（え）、（お）、（か）においても、特に、本発明の開示するそれぞれの範囲と、発光領域の組み合わせによって実現できる各パラメータの範囲が、少なくとも一部で重なるようにすることが好ましく、３つ以上の発光領域を用いて色度図上で、面上に重なるようにすることがさらに好ましい。
【０２１１】
さらには、４つ以上の発光領域を用いると、たとえすべての発光領域が「屋外で見たような、自然で、生き生きとした、視認性の高い、快適な、色の見え、物体の見えと高い光源効率を両立ができない発光領域のみ」であっても、比較的容易に（あ）（又は（あ´））から（か）のすべての項目を本発明の開示する範囲に調整することが可能であって、好ましい。
【０２１２】
また、本発明においては、発光領域中の少なくとも１つの発光領域が、他の発光領域に対して電気的に独立に駆動しうる配線となっている発光装置であることも好ましい態様であり、すべての発光領域が、他の発光領域に対して電気的に独立に駆動しうる配線となっている発光装置であることがより好ましい態様である。また、このように発光装置を駆動することが好ましい態様である。このような態様である場合には、それぞれの発光領域に
供給する電力の制御が容易となり、使用者の嗜好に合わせた色の見えが実現可能となる。
なお、本発明においては、ある発光領域が、他の発光領域に対して電気的に従属するように駆動しても構わない。例えば、２つの発光領域に電流を注入する際に、１つの発光領域に注入する電流を増やす際に、もう一方の発光領域に注入する電流を減らすように、一方に対して他方を電気的に従属されることも可能である。このような回路は、たとえば可変抵抗等を用いた構成で容易に実現でき、かつ、電源を複数必要としないので、好ましい。
【０２１３】
また、指標Ａcg、相関色温度ＴSSL（Ｋ）、及び黒体放射軌跡からの距離ＤuvSSLからなる群から選択される少なくとも１つが変化し得る発光装置であることも好ましい態様であり、指標Ａcg、相関色温度ＴSSL（Ｋ）、及び黒体放射軌跡からの距離ＤuvSSLからなる群から選択される少なくとも１つが変化した際に、発光装置から主たる放射方向に出射される光束かつ／または放射束を独立に制御しうる発光装置であることも好ましい態様である。また、このように発光装置を駆動することが好ましい態様である。このような態様では、色の見えを実現し得るパラメータが可変となり、使用者の嗜好に合わせた色の見えの実現が容易に可能となる。
【０２１４】
また、最近接している異なる発光領域全体を包絡する仮想外周上にある任意の２点がつくる最大距離Ｌが、０．４ｍｍ以上２００ｍｍ以下である発光装置であることが好ましい態様である。このような態様では、複数の発光領域から出射される光の色分離が視認されにくくなり、発光装置そのものを見た際の違和感が低減可能である。また、照明光としてみた際にも、空間的加法混色が十分に機能し、照明対象物に照射した際に、照明された領域の色ムラも低減可能であって、好ましい。
発光領域全体を包絡する仮想外周上にある任意の２点がつくる最大距離Ｌについて、図を用いて説明する。
図６１は実施例６で用いたパッケージＬＥＤ５０を示すが、発光領域５１に最近接する発光領域は発光領域５２である。このうち両発光領域５１、５２を包絡する仮想外周５３が最も大きい仮想外周となり、当該外周上にある任意の二点５４間が最大距離Ｌとなる。すなわち最大距離Ｌは２点間の距離５５で表され、０．４ｍｍ以上２００ｍｍ以下である場合が好ましい態様である。
図４１に示す実施例２及び３で用いた照明システム３０（但し、詳細は図示していない）、及び図５４に示す実施例５で用いた１対のパッケージＬＥＤ４０も同様である。
【０２１５】
最近接している異なる発光領域全体を包絡する仮想外周上にある任意の２点がつくる最大距離Ｌは、０．４ｍｍ以上が好ましく、２ｍｍ以上がより好ましく、５ｍｍ以上が非常に好ましく、１０ｍｍ以上が格段に好ましい。これらは１つの発光領域を包絡する仮想外周が大きいほど、基本的に高放射束（かつ／または高光束）を出射できる構造にしやすいからである。また、最近接している異なる発光領域全体を包絡する仮想外周上にある任意の２点がつくる最大距離Ｌは、２００ｍｍ以下であることが好ましく、１５０ｍｍ以下であることがより好ましく、１００ｍｍ以下であることが非常に好ましく、５０ｍｍ以下であることが格段に好ましい。これらは、照明された領域の空間的な色ムラの発生を抑制する観点で重要で、好ましい。
【０２１６】
一方、本発明の駆動方法であって、条件３のφSSL-BG-min／φSSL-BM-max、条件４のλSSL-RM-maxが適正範囲にある場合に、適正範囲内にある条件２のＡcg、相関色温度ＴSSL
（Ｋ）、及び適正範囲内にある条件１の黒体放射軌跡からの距離ＤuvSSLの少なくとも１
つを変化させた際に、発光装置から主たる放射方向に出射される光束かつ／または放射束を不変とすることもできる。このような制御を行うと照明対象物の照度に依存せずに、分光分布の形状変化に由来する色の見えの差を容易に調べることができるため、好ましい。
【０２１７】
また、当該発光装置の駆動方法であって、条件３のφSSL-BG-min／φSSL-BM-max、条件４のλSSL-RM-maxが適正範囲にある場合に、適正範囲内にある条件２の指標Ａcgを適切な範囲で低減させた際に、発光装置から主たる放射方向に出射される光束かつ／または放射束を低減させる駆動方法、相関色温度ＴSSL（Ｋ）を増加させた際に、発光装置から主た
る放射方向に出射される光束かつ／または放射束を増加させる駆動方法、適正範囲内にある条件１のＤuvSSLを適切な範囲で低減させた際に、発光装置から主たる放射方向に出射
される光束かつ／または放射束を低減させる駆動方法が好ましい。また、これらは同時に、適正範囲内にある条件２の指標Ａcgを増加させた際に、発光装置から主たる放射方向に出射される光束かつ／または放射束を増加させる駆動方法、相関色温度ＴSSL（Ｋ）を低
減させた際に、発光装置から主たる放射方向に出射される光束かつ／または放射束を低減させる駆動方法、適正範囲内にある条件１のＤuvSSLを適切な範囲で増加させた際に、発
光装置から主たる放射方向に出射される光束かつ／または放射束を増加させる駆動方法が好ましいことを意味している。
【０２１８】
条件１のＤuvSSL、条件３のφSSL-BG-min／φSSL-BM-max、条件４のλSSL-RM-maxが適
正範囲にある場合に、適正範囲内にある条件２の指標Ａcgを適切な範囲で低減させる場合は、屋外で見たような、自然で、生き生きとした、視認性の高い、快適な、色の見え、物体の見えと高い光源効率の両立した発光装置において、より色の見えを重視した発光装置が実現可能となる。各種視覚実験によれば、このように指標Ａcgを低減させると、明るさ感が向上するので、たとえ計測される光束かつ／または放射束、あるいは照度を低減させても、照明対象物は良好な色の見えを維持可能であって、このようにすると発光装置のエネルギー消費をより抑制可能なため好ましい。同様に、指標Ａcgを適切な範囲で増加させる場合には、より効率を重視した発光装置となるので、計測される光束かつ／または放射束、あるいは照度の増加が容易に実現される。
また、条件１のＤuvSSL、条件２の指標Ａcg、条件３のφSSL-BG-min／φSSL-BM-max、
条件４のλSSL-RM-maxが適正範囲にある場合であって、相関色温度ＴSSL（Ｋ）を増加さ
せる場合は、光束かつ／または放射束を増加させるように駆動することで、クルーゾフ効果により、快適な照明が実現できる。また、逆に、当該色温度を下げる際には、発光装置としての光束かつ／または放射束を下げて、照明対象物の照度を下げる制御もできる。これらは前述のクルーゾフ効果を取り込んだ制御であって、好ましい。
また、条件２の指標Ａcg、条件３のφSSL-BG-min／φSSL-BM-max、条件４のλSSL-RM-maxが適正範囲にある場合であって、適正範囲内にある条件１のＤuvSSLを適切な範囲で低
減させる場合には、屋外で見たような、自然で、生き生きとした、視認性の高い、快適な、色の見え、物体の見えと高い光源効率の両立した発光装置において、より色の見えを重視した発光装置が実現可能となる。各種視覚実験によれば、このように黒体放射軌跡からの距離ＤuvSSLを適切な範囲で低減させると、明るさ感が向上するので、たとえ計測され
る光束かつ／または放射束、あるいは照度を低減させても、照明対象物は良好な色の見えを維持可能であって、このようにすると発光装置のエネルギー消費を抑制可能なため好ましい。同様に、黒体放射軌跡からの距離ＤuvSSLを適切な範囲で増加させる場合には、よ
り効率を重視した発光装置となるので、計測される光束かつ／または放射束、あるいは照度の増加が容易に実現される。
【０２１９】
なお、本発明においては、前述と逆の制御を行うことも可能であって、照明対象物、照明環境、目的等によって、制御方法は適宜選択可能であることは言うまでもない。
【０２２０】
一方で、実験結果から、以下に示す発明事項をも導き出すことができる。
すなわち、対象物を準備する照明対象物準備工程、および、Ｍ個（Ｍは２以上の自然数）の発光領域が内在し、少なくとも一つの発光領域内に青色半導体発光素子、緑色蛍光体及び赤色蛍光体を発光要素として備える発光装置から出射される光により対象物を照明する照明工程、を含む照明方法であって、
前記照明工程において、前記発光装置から出射される光が対象物を照明した際に、前記対象物の位置で測定した光が以下の条件１及び条件Ｉ〜ＩＶを満たすように照明する照明方法である場合に、本発明の効果が得られる。
条件１：
前記対象物の位置で測定した光のＡＮＳＩ  Ｃ７８．３７７で定義される黒体放射軌跡からの距離ＤuvSSLが、−０．０２２０  ≦  ＤuvSSL  ≦  −０．００７０である。
条件Ｉ：
前記対象物の位置で測定した光による照明を数学的に仮定した場合の＃０１から＃１５の下記１５種類の修正マンセル色票のＣＩＥ  １９７６  Ｌ*ａ*ｂ*色空間におけるａ*値、ｂ*値をそれぞれａ*nSSL、ｂ*nSSL（ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ*ａ*ｂ*色空間におけるａ*値、ｂ*値をそれぞれａ*nref、ｂ*nref（ただしｎは１
から１５の自然数）とした場合に、飽和度差ΔＣnが
−４．００  ≦  ΔＣn ≦  ８．００          （ｎは１から１５の自然数）
を満たす。
条件ＩＩ：
上記式（３）で表される飽和度差の平均ＳＡＴaveが、０．５０  ≦  ＳＡＴave  ≦  ４．００を満たす。
条件ＩＩＩ：
飽和度差の最大値をΔＣmax、飽和度差の最小値をΔＣminとした場合に、飽和度差の最大値と、飽和度差の最小値との間の差｜ΔＣmax−ΔＣmin｜が
２．００  ≦  ｜ΔＣmax−ΔＣmin｜  ≦  １０．００
を満たす。
ただし、ΔＣn＝√｛（ａ*nSSL）2＋（ｂ*nSSL）2｝−√｛（ａ*nref）2＋（ｂ*nref）2｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
条件ＩＶ：
前記対象物の位置で測定した光による照明を数学的に仮定した場合の上記１５種類の修正マンセル色票のＣＩＥ  １９７６  Ｌ*ａ*ｂ*色空間における色相角をθnSSL（度）（
ただしｎは１から１５の自然数）とし、
前記対象物の位置で測定した光の相関色温度ＴSSL（Ｋ）に応じて選択される基準の光
による照明を数学的に仮定した場合の当該１５種類の修正マンセル色票のＣＩＥ  １９７６  Ｌ*ａ*ｂ*色空間における色相角をθnref（度）（ただしｎは１から１５の自然数）
とした場合に、色相角差の絶対値｜Δｈn｜が
０．００度  ≦  ｜Δｈn｜  ≦  １２．５０度（ｎは１から１５の自然数）
を満たす。
ただし、Δｈn＝θnSSL−θnrefとする。
【０２２１】
また、対象物の位置に到達している各発光要素から出射された光の分光分布をφSSLＮ
（λ）（Ｎは１からＭ）、前記対象物の位置で測定した光の分光分布φSSL（λ）が、  
【数２５】
0006666064.tif 000069
のときに、すべてのφSSLＮ（λ）が、前記条件１及び条件Ｉ〜ＩＶを満たすようにでき
る照明方法であることが好ましい。
【０２２２】
また、Ｍ個の発光領域中の、少なくとも１つの発光領域を、他の発光領域に対して電気的に独立駆動し照明する照明方法であることが好ましく、Ｍ個の発光領域すべてを、他の発光領域に対して電気的に独立駆動し照明する照明方法であることがより好ましい。
【０２２３】
また、指標ＳＡＴave、相関色温度ＴSSL（Ｋ）、黒体放射軌跡からの距離ＤuvSSLの少
なくとも１つを変化させる照明方法であることが好ましく、上記指標の少なくとも１つを変化させた際に、当該対象物における照度を独立に制御する照明方法が好ましく、上記指標の少なくとも１つを変化させた際に、当該対象物における照度を不変とする照明方法であることが好ましい。
照度を不変とするとは、実質的に照度が変更しないことを意味するものであり、照度の変化が±２０％以下であることが好ましく、±１５％以下であることがより好ましく、±１０％以下であることが更に好ましく、±５％以下であることが特に好ましく、±３％以下であることが最も好ましい。このようにすると、照明対象物の照度に依存せずに、分光分布の形状変化に由来する色の見えの差を容易に調べることができ、照明環境、対象物、目的等によって最適な分光分布を比較的容易に見いだせるため、好ましい。
【０２２４】
また、指標ＳＡＴaveを増加させた際に、当該対象物における照度を低減する照明方法
であることが好ましい。上記指標を増加させると、より生き生きとした見えが実現できることとなり、このような状況下では一般的に明るさ感が増すので、照度を低減させることでエネルギー消費を抑制することができる。これは同時に、指標ＳＡＴaveを減少させた
際に、当該対象物における照度を増加する照明方法が好ましいことを意味している。
また、相関色温度ＴSSL（Ｋ）を増加させた際には、当該対象物における照度を増加す
る照明方法が好ましい。相関色温度ＴSSL（Ｋ）を増加させる場合に照度を増加させるよ
うに駆動することで、クルーゾフ効果により、快適な照明が実現できる。また、逆に、当該色温度を下げる際には、照明対象物の照度を下げる制御もできる。これらは前述のクルーゾフ効果を取り込んだ制御であって、好ましい。
また、黒体放射軌跡からの距離ＤuvSSLを低減させる際に、当該対象物における照度を
低減する照明方法が好ましい。各種視覚実験によれば、このように黒体放射軌跡からの距離ＤuvSSLを適切な範囲で低減させると、明るさ感が向上するので、照度を低減させても
、照明対象物は良好な色の見えを維持可能であって、このようにすると発光装置のエネルギー消費を抑制可能なため好ましい。同様に、黒体放射軌跡からの距離ＤuvSSLを適切な
範囲で増加させる場合には、照度を増加させて照明対象物の良好な色の見えを維持することも好ましい。
【０２２５】
また、最近接している異なる発光領域全体を包絡する仮想外周上にある任意の２点がつくる最大距離をＬ、発光装置と照明対象物の距離をＨとした際に、５×Ｌ≦Ｈ≦５００×
Ｌとなるように距離Ｈを設定する照明方法であることが好ましい。
この際、距離を測定する発光装置の基点は、発光装置の照射口である。
このような照明方法により、発光装置を照明対象物の位置から観測した際に、光源としての色分離が視認し難く、照明対象物に対して空間的に色ムラが発生しにくくなるため好ましい。
【０２２６】
最近接している異なる発光領域全体を包絡する仮想外周上にある任意の２点がつくる最大距離Ｌ、発光装置と照明対象物の距離Ｈにおいて、Ｈは、５×Ｌ以上が好ましく、１０×Ｌ以上がより好ましく、１５×Ｌ以上が非常に好ましく、２０×Ｌ以上が格段に好ましい。これらはＨが適切な範囲で大きい方が、すなわち、異なる発光領域を包絡する仮想外周上にある任意の２点の最大距離Ｌよりも十分に離れていれば、異なる発光領域から出射される光が空間的に十分に混色するために好ましい。一方、Ｈは、５００×Ｌ以下であることが好ましく、２５０×Ｌ以下であることがより好ましく、１００×Ｌ以下であることが非常に好ましく、５０×Ｌ以下であることが格段に好ましい。これらは、Ｈが必要以上に離れると照明対象物に対して十分な照度が確保されなくなるためであって、適切な範囲の駆動電力で好ましい照度環境を実現するために重要である。
【０２２７】
本実施態様に係る発光装置を実施するための好ましい実施形態を以下に説明するが、本実施態様に係る発光装置を実施するための態様は、以下の説明で用いたものに限定されない。
【０２２８】
本実施態様に係る発光装置は、発光装置から主たる放射方向に出射され、照明対象物に対して照射された色刺激となる試験光の放射計測学的特性、測光学的特性が適切な範囲にあれば、発光装置の構成、材料等に制約はない。
【０２２９】
本実施態様に係る発光装置を実施するための照明光源、当該照明光源を含む照明器具、当該照明光源や照明器具を含む照明システム等の発光装置は、青色半導体発光素子を含んでいる。
なお、上述した諸条件を満たし、本実施態様の効果が得られる場合には、半導体発光素子を含む照明光源は、青色半導体発光素子のほかに、たとえば緑色、赤色の種類の異なる複数の半導体発光素子を１つの照明光源中に内包していてもよく、また、１つの照明光源の中には青色半導体発光素子を含み、異なる１つの照明光源中に緑色半導体発光素子を含み、さらに異なる１つの照明光源中に赤色半導体発光素子を含み、これらが照明器具の中でレンズ、反射鏡、駆動回路等とともに一体とされて照明システムに提供されてもよい。さらに、１つの照明器具中に１つの照明光源があり、この中に単体の半導体発光素子が内包されているような場合であって、単体の照明光源、照明器具としては本実施態様に係る発光装置を実施できないものの、照明システム中に存在する異なる照明器具からの光との加法混色によって、照明システムとして放射される光が、照明対象物の位置で所望の特性を満足するようにしてもかまわないし、照明システムとして放射される光のうち主たる放射方向の光が、所望の特性を満足するようにしてもかまわない。いずれのような形態であっても、照明対象物に最終的に照射される色刺激としての光が、又は、発光装置から出射される光のうち主たる放射方向の光が、本実施態様の適切な条件を満たせばよい。
【０２３０】
以下は、前記の適切な条件を満たしたうえで、本実施態様に係る発光装置に関して記載する。
【０２３１】
本実施態様に係る発光装置は、Λ１（３８０ｎｍ）からΛ２（４９５ｎｍ）の短波長領域内にピークを有する発光要素（発光材料）を有し、かつ、Λ２（４９５ｎｍ）からΛ３（５９０ｎｍ）の中間波長領域内にピークを有する別の発光要素（発光材料）を有し、さらに、Λ３（５９０ｎｍ）から７８０ｎｍまでの長波長領域内にピークを有するさらに別
な発光要素（発光材料）を有することが好ましい。これはそれぞれの発光要素を独立して強度設定あるいは強度制御することが、好ましい色の見えを容易に実現し得るからである。
【０２３２】
よって、本実施態様に係る発光装置は、上記それぞれの３波長領域中に発光ピークを有する発光要素（発光材料）を少なくとも１種類ずつ有する。
なお、上述した諸条件を満たし、本実施態様の効果が得られる場合には、当該３波長領域の中の２領域には１種類ずつ、他の１領域は複数の発光要素（発光材料）を有していてもよく、さらに、当該３波長領域中の１領域には１種類の、他の２領域は複数の発光要素（発光材料）を有していてもよく、当該３波長領域のすべてにおいて、複数の発光要素を有していてもよい。
【０２３３】
本実施態様では、半導体発光素子と蛍光体を自在に混合搭載することも可能であるが、少なくとも、青色発光素子と２種類（緑色、赤色）の蛍光体を１光源内に搭載する。また、上述した諸条件を満たし、本実施態様の効果が得られる場合には、青色発光素子と３種類（緑色、赤色１、赤色２）の蛍光体を１光源内に搭載してもよく、１つの光源の中に、青色発光素子と２種類（緑色、赤色）の蛍光体搭載している部分と、紫色発光素子と３種類の蛍光体（青色、緑色、赤色）を搭載している部分を内包させてもよい。
【０２３４】
本実施態様に係る発光装置においては、各３波長領域内の発光要素（発光材料）は、ピーク部分の強度やピーク間の谷の強度を制御する観点から、すなわち適切な凹凸を分光分布に形成する観点から、以下の発光材料、蛍光体材料、半導体発光素子が発光要素として発光装置に内包することが好ましい。
【０２３５】
まず、当該３波長領域の中のΛ１（３８０ｎｍ）からΛ２（４９５ｎｍ）の短波長領域においては、熱フィラメント等からの熱放射光、蛍光管、高圧ナトリウムランプ等からの放電放射光、レーザ等からの誘導放出光、半導体発光素子からの自然放出光、蛍光体からの自然放出光等あらゆる光源から出る光を含むことが可能である。この中でも半導体発光素子からの発光は、小型でエネルギー効率が高いことから、好ましい。
【０２３６】
具体的には、以下を用いることができる。
半導体発光素子としては、サファイア基板上やＧａＮ基板上に形成されたＩｎ（Ａｌ）ＧａＮ系材料を活性層構造中に含む青色発光素子が好ましい。また、ＧａＡｓ基板上に形成されたＺｎ（Ｃｄ）（Ｓ）Ｓｅ系材料を活性層構造中に含む青色発光素子も好ましい（好ましいピーク波長は、既に説明したとおりである。）。
【０２３７】
なお、半導体発光素子や蛍光体等の発光要素（発光材料）の呈する放射束の分光分布や、そのピーク波長は、周辺温度、パッケージや灯具等の発光装置の放熱環境、注入電流、回路構成、あるいは場合によっては劣化等によって、若干変動するのが常である。
以下に述べる半導体発光素子や蛍光体等の発光要素（発光材料）の呈する放射束の分光分布やそのピーク波長についても、同様のことが言える。
【０２３８】
活性層構造は、量子井戸層とバリア層を積層した多重量子井戸構造でも、あるいは比較的厚い活性層とバリア層（あるいはクラッド層）を含む一重あるいは二重ヘテロ構造でも、１つのｐｎ接合からなるホモ接合であってもよい。
【０２３９】
また、上述した諸条件を満たし、本実施態様の効果が得られる場合には、発光要素として、青色半導体レーザなどの半導体レーザを用いてもよい。
【０２４０】
本実施態様に係る発光装置で用いる短波長領域の半導体発光素子は、その発光スペクト
ルの半値全幅が比較的広いことが好ましい。この観点で、短波長領域で用いる青色半導体発光素子の半値全幅は、５ｎｍ以上が好ましく、１０ｎｍ以上がより好ましく、１５ｎｍ以上が非常に好ましく、２０ｎｍ以上が格段に好ましい。ただし、格段に広い発光スペクトルを有する場合もφSSL-BG-min／φSSL-BM-max、φSSL-BG-min／φSSL-RM-max等を制御しにくくなってしまい、分光分布φSSL（λ）の適切な位置に適切な大きさの凹凸を形成
できなくなってしまう。このため、半値全幅は４５ｎｍ以下が好ましく、４０ｎｍ以下がより好ましく、３５ｎｍ以下が非常に好ましく、３０ｎｍ以下が格段に好ましい。
【０２４１】
本実施態様に係る発光装置で用いる短波長領域の青色半導体発光素子は、Ｉｎ（Ａｌ）ＧａＮ系材料を活性層構造中に含むことが好ましいことから、サファイア基板上またはＧａＮ基板上に形成された発光素子であることが好ましい。
【０２４２】
また、基板の厚みは厚い場合か、青色半導体発光素子から完全に剥離されている場合のいずれかが好ましい。特にＧａＮ基板上に短波長領域の青色半導体発光素子を作成した場合においては、ＧａＮ基板側壁からの光取り出しを助長するように、基板は厚いことが好ましく、１００μｍ以上が好ましく、２００μｍ以上がより好ましく、４００μｍ以上が非常に好ましく、６００μｍ以上が格段に好ましい。一方で素子作成上の便から基板厚みは２ｍｍ以下が好ましく、１．８ｍｍ以下がより好ましく、１．６ｍｍ以下が非常に好ましく、１．４ｍｍ以下が格段に好ましい。
【０２４３】
一方サファイア基板上等に発光素子を作成した場合においては、レーザリフトオフ等の方法で基板を剥離しておくことが好ましい。このようにするとＩｎ（Ａｌ）ＧａＮ系エピタキシャル層とサファイア基板の光学界面によって発生する内部反射がなくなり、光取り出し効率を向上させ得る。このため、このような発光素子を用いて本実施態様の発光装置を作製する事は、光源効率の向上につながるため、好ましい。
【０２４４】
なお、上述した諸条件を満たし、本実施態様の効果が得られる場合には、本実施態様に係る発光装置は、短波長領域の蛍光体材料を含んでいてもよい。
【０２４５】
なお、本実施態様においては、上述したφSSL（λ）は３８０ｎｍ以上４０５ｎｍ以下
の範囲において発光要素由来の実効強度を有さないことが好ましい。ここで、「発光要素由来の実効強度を有さない」とは、φSSL（λ）が、当該範囲の波長λfにおいて発光要素由来の強度を有する場合であっても、上述した諸条件を満たし本実施態様が奏効する場合をいう。さらに具体的には、φSSL（λ）の最大分光強度で規格化した当該波長範囲にお
ける発光要素由来の強度φSSL（λf）が、３８０ｎｍ以上４０５ｎｍ以下の任意の波長λfにおいて、相対強度として、好ましくは１０％以下、より好ましくは５％以下、非常に
好ましくは３％以下、格段に好ましくは１％以下の場合をいう。
したがって、青色発光素子（例えば、発振波長が４４５ｎｍから４８５ｎｍ程度の青色半導体レーザ等）等の青色発光要素を用いる本実施態様では、３８０ｎｍ以上４０５ｎｍ以下の範囲における発光要素由来の強度が上記相対強度の範囲内であれば、発光要素由来のノイズとして強度を有してもよい。
【０２４６】
次いで、当該３波長領域の中のΛ２（４９５ｎｍ）からΛ３（５９０ｎｍ）の中間波長領域においては、熱フィラメント等からの熱放射光、蛍光管、高圧ナトリウムランプ等からの放電放射光、非線形光学効果を用いた二次高調波発生（ＳＨＧ）等を含むレーザ等からの誘導放出光、半導体発光素子からの自然放出光、蛍光体からの自然放出光等あらゆる光源から出る光を含むことが可能である。この中でも特に光励起された蛍光体からの発光が好ましい。
【０２４７】
なお、上述した諸条件を満たし、本実施態様の効果が得られる場合には、半導体発光素
子からの発光、半導体レーザ、ＳＨＧレーザからの発光を含んでいてもよく、これらは小型で、エネルギー効率が高いことから、好ましい。
半導体発光素子としては、サファイア基板上あるいはＧａＮ基板上のＩｎ（Ａｌ）ＧａＮ系材料を活性層構造中に含む青緑発光素子（ピーク波長が４９５ｎｍから５００ｎｍ程度）、緑色発光素子（ピーク波長が５００ｎｍから５３０ｎｍ程度）、黄緑色発光素子（ピーク波長が５３０ｎｍから５７０ｎｍ程度）、黄色発光素子（ピーク波長が５７０ｎｍから５８０ｎｍ程度）などを挙げることができる。また、ＧａＰ基板上のＧａＰによる黄緑色発光素子（ピーク波長が５３０ｎｍから５７０ｎｍ程度）、ＧａＰ基板上のＧａＡｓＰによる黄色発光素子（ピーク波長が５７０ｎｍから５８０ｎｍ程度）などを挙げることができる。さらに、ＧａＡｓ基板上のＡｌＩｎＧａＰによる黄色発光素子（ピーク波長が５７０ｎｍから５８０ｎｍ程度）などを挙げることができる。
【０２４８】
本実施態様に係る発光装置に用いる中間波長領域の緑色蛍光体材料の具体例としては、Ｃｅ3+を付活剤としたアルミン酸塩、Ｃｅ3+を付活剤としたイットリウムアルミニウム酸化物、Ｅｕ2+付活アルカリ土類ケイ酸塩結晶、Ｅｕ2+付活アルカリ土類ケイ酸窒化物を母体とする緑色蛍光体がある。これらの緑色蛍光体は、通常、紫外〜青色半導体発光素子を用いて励起可能である。
【０２４９】
Ｃｅ3+付活アルミン酸塩蛍光体の具体例には、下記一般式（４）で表される緑色蛍光体が挙げられる。
Ｙa（Ｃｅ，Ｔｂ，Ｌｕ）b（Ｇａ，Ｓｃ）cＡｌdＯe    （４）
（一般式（４）において、ａ、ｂ、ｃ、ｄ、ｅが、ａ＋ｂ＝３、０≦ｂ≦０．２、４．５≦ｃ＋ｄ≦５．５、０．１≦ｃ≦２．６、および１０．８≦ｅ≦１３．４を満たす。）（一般式（４）で表されるＣｅ3+付活アルミン酸塩蛍光体をＧ−ＹＡＧ蛍光体と呼ぶ。）
特にＧ−ＹＡＧ蛍光体においては、一般式（４）を満たす前記組成範囲を適宜選択可能である。さらに、蛍光体単体の光励起時の発光強度最大値を与える波長λPHOS-GM-maxと
半値全幅ＷPHOS-GM-fwhmが、本実施態様の発光装置において好ましくなるのは以下の範囲である。
０１≦ｂ≦０．０５かつ０．１≦ｃ≦２．６である事が好ましく、
０．０１≦ｂ≦０．０５かつ０．３≦ｃ≦２．６である事がより好ましく、
０．０１≦ｂ≦０．０５かつ１．０≦ｃ≦２．６である事が非常に好ましい。
また、
０．０１≦ｂ≦０．０３かつ０．１≦ｃ≦２．６である事も好ましく、
０．０１≦ｂ≦０．０３かつ０．３≦ｃ≦２．６である事がより好ましく、
０．０１≦ｂ≦０．０３かつ１．０≦ｃ≦２．６である事が非常に好ましい。
【０２５０】
Ｃｅ3+付活イットリウムアルミニウム酸化物系蛍光体の具体例には、下記一般式（５）で表される緑色蛍光体が挙げられる。
Ｌｕa（Ｃｅ，Ｔｂ，Ｙ）b（Ｇａ，Ｓｃ）cＡｌdＯe    （５）
（一般式（５）において、ａ、ｂ、ｃ、ｄ、ｅが、ａ＋ｂ＝３、０≦ｂ≦０．２、４．５≦ｃ＋ｄ≦５．５、０≦ｃ≦２．６、および１０．８≦ｅ≦１３．４を満たす。）（一般式（５）で表されるＣｅ3+付活イットリウムアルミニウム酸化物系蛍光体をＬｕＡＧ蛍光体と呼ぶ。）
特にＬｕＡＧ蛍光体においては、一般式（５）を満たす前記組成範囲を適宜選択可能である。さらには、蛍光体単体の光励起時の発光強度最大値を与える波長λPHOS-GM-maxと
半値全幅ＷPHOS-GM-fwhmが、本実施態様の発光装置において好ましくなるのは以下の範囲である。
０．００≦ｂ≦０．１３である事が好ましく、
０．０２≦ｂ≦０．１３である事がより好ましく、
０．０２≦ｂ≦０．１０である事が非常に好ましい。
【０２５１】
その他、下記一般式（６）および下記一般式（７）で表される緑色蛍光体が挙げられる。
Ｍ1aＭ2bＭ3cＯd    （６）
（一般式（６）において、Ｍ1は２価の金属元素、Ｍ2は３価の金属元素、Ｍ3は４価の
金属元素をそれぞれ示し、ａ、ｂ、ｃおよびｄが、２．７≦ａ≦３．３、１．８≦ｂ≦２．２、２．７≦ｃ≦３．３、１１．０≦ｄ≦１３．０を満たす。）（一般式（６）で表される蛍光体をＣＳＭＳ蛍光体と呼ぶ。）
【０２５２】
なお、上記式（６）において、Ｍ1は２価の金属元素であるが、Ｍｇ、Ｃａ、Ｚｎ、Ｓ
ｒ、Ｃｄ、及びＢａからなる群から選択された少なくとも１種であるのが好ましく、Ｍｇ、Ｃａ、又はＺｎであるのが更に好ましく、Ｃａが特に好ましい。この場合、Ｃａは単独系でもよく、Ｍｇとの複合系でもよい。また、Ｍ1は他の２価の金属元素を含んでいても
よい。
Ｍ2は３価の金属元素であるが、Ａｌ、Ｓｃ、Ｇａ、Ｙ、Ｉｎ、Ｌａ、Ｇｄ、及びＬｕ
からなる群から選択された少なくとも１種であるのが好ましく、Ａｌ、Ｓｃ、Ｙ、又はＬｕであるのが更に好ましく、Ｓｃが特に好ましい。この場合、Ｓｃは単独系でもよく、ＹまたはＬｕとの複合系でもよい。また、Ｍ2はＣｅを含むことを必須とし、Ｍ2は他の３
価の金属元素を含んでいてもよい。
Ｍ3は４価の金属元素であるが、少なくともＳｉを含むことが好ましい。Ｓｉ以外の４
価の金属元素Ｍ3の具体例としては、Ｔｉ、Ｇｅ、Ｚｒ、Ｓｎ、及びＨｆからなる群から
選択された少なくとも１種であるのが好ましく、Ｔｉ、Ｚｒ、Ｓｎ、及びＨｆからなる群から選択された少なくとも１種であるのがより好ましく、Ｓｎであることが特に好ましい。特に、Ｍ3がＳｉであることが好ましい。また、Ｍ3は他の４価の金属元素を含んでいてもよい。
【０２５３】
特にＣＳＭＳ蛍光体においては、一般式（６）を満たす前記組成範囲を適宜選択可能である。さらには、蛍光体単体の光励起時の発光強度最大値を与える波長λPHOS-GM-maxと
半値全幅ＷPHOS-GM-fwhmが、本実施態様の発光装置において好ましい範囲となるためには、Ｍ2に含まれるＣｅのＭ2全体に占める割合の下限は０．０１以上であることが好ましく、０．０２以上であることがより好ましい。また、Ｍ2に含まれるＣｅのＭ2全体に占める割合の上限は、０．１０以下であることが好ましく、０．０６以下であることがより好ましい。更に、Ｍ1元素に含まれるＭｇのＭ1全体に占める割合の下限は０．０１以上であることが好ましく、０．０３以上であることがより好ましい。一方、上限は０．３０以下であることが好ましく、０．１０以下であることがより好ましい。
【０２５４】
さらに、下記一般式（７）で表される蛍光体が挙げられる。
Ｍ1aＭ2bＭ3cＯd    （７）
（一般式（７）において、Ｍ1は少なくともＣｅを含む付活剤元素、Ｍ2は２価の金属元素、Ｍ3は３価の金属元素をそれぞれ示し、ａ、ｂ、ｃおよびｄが、０．０００１≦ａ≦
０．２、０．８≦ｂ≦１．２、１．６≦ｃ≦２．４、および３．２≦ｄ≦４．８を満たす。）（一般式（７）で表される蛍光体をＣＳＯ蛍光体と呼ぶ。）
【０２５５】
なお、上記式（７）において、Ｍ1は、結晶母体中に含有される付活剤元素であり、少
なくともＣｅを含む。また、Ｃｒ、Ｍｎ、Ｆｅ、Ｃｏ、Ｎｉ、Ｃｕ、Ｃｅ、Ｐｒ、Ｎｄ、Ｓｍ、Ｅｕ、Ｔｂ、Ｄｙ、Ｈｏ、Ｅｒ、Ｔｍ、及びＹｂからなる群から選択された少なくとも１種の２〜４価の元素を含有させることができる。
Ｍ2は２価の金属元素であるが、Ｍｇ、Ｃａ、Ｚｎ、Ｓｒ、Ｃｄ、及びＢａからなる群
から選択された少なくとも１種であるのが好ましく、Ｍｇ、Ｃａ、又は、Ｓｒであるのが更に好ましく、Ｍ2の元素の５０モル％以上がＣａであることが特に好ましい。
Ｍ3は３価の金属元素であるが、Ａｌ、Ｓｃ、Ｇａ、Ｙ、Ｉｎ、Ｌａ、Ｇｄ、Ｙｂ、及
びＬｕからなる群から選択された少なくとも１種であるのが好ましく、Ａｌ、Ｓｃ、Ｙｂ、又はＬｕであるのが更に好ましく、Ｓｃ、又はＳｃとＡｌ、又はＳｃとＬｕであるのがより一層好ましく、Ｍ3の元素の５０モル％以上がＳｃであることが特に好ましい。
Ｍ2及びＭ3は、それぞれ２価及び３価の金属元素を表すが、Ｍ２及び／又はＭ３のごく一部を１価、４価、５価のいずれかの価数の金属元素としてもよく、さらに、微量の陰イオン、たとえば、ハロゲン元素（Ｆ、Ｃｌ、Ｂｒ、Ｉ）、窒素、硫黄、セレンなどが、化合物の中に含まれていてもよい。
【０２５６】
特にＣＳＯ蛍光体においては、一般式（７）を満たす前記組成範囲を適宜選択可能である。さらには、蛍光体単体の光励起時の発光強度最大値を与える波長λPHOS-GM-maxと半
値全幅ＷPHOS-GM-fwhmが、本実施態様の発光装置において好ましくなるのは以下の範囲である。
０．００５≦ａ≦０．２００である事が好ましく、
０．００５≦ａ≦０．０１２である事がより好ましく、
０．００７≦ａ≦０．０１２である事が非常に好ましい。
【０２５７】
さらに、Ｅｕ2+付活アルカリ土類ケイ酸塩結晶を母体とする蛍光体の具体例には、下記一般式（８）で表される緑色蛍光体が挙げられる。
（ＢａaＣａbＳｒcＭｇdＥｕx）ＳｉＯ4    （８）
（一般式（８）においてａ、ｂ、ｃ、ｄおよびｘが、ａ＋ｂ＋ｃ＋ｄ＋ｘ＝２、１．０
≦ ａ ≦ ２．０、０ ≦ ｂ ＜ ０．２、０．２ ≦ ｃ ≦１，０、０ ≦ ｄ ＜ ０．２および０ ＜ ｘ ≦ ０．５を満たす。）（一般式（８）で表されるアルカリ土類ケイ酸塩蛍光体をＢＳＳ蛍光体と呼ぶ。）
ＢＳＳ蛍光体においては、一般式（８）を満たす前記組成範囲を適宜選択可能である。さらには、蛍光体単体の光励起時の発光強度最大値を与える波長λPHOS-GM-maxと半値全幅
ＷPHOS-GM-fwhmが、本実施態様の発光装置において好ましくなるのは以下の範囲である。０．２０≦ ｃ ≦１．００かつ０．２５＜ ｘ ≦ ０．５０である事がより好ましく、
０．２０≦ ｃ ≦ １．００かつ０．２５＜ｘ ≦ ０．３０である事が非常に好ましい。
さらに、
０．５０≦ ｃ ≦ １．００かつ０．００＜ｘ ≦ ０．５０である事が好ましく、
０．５０≦ ｃ ≦ １．００かつ０．２５＜ｘ ≦ ０．５０である事がより好ましく、
０．５０≦ ｃ ≦ １．００かつ０．２５＜ｘ ≦ ０．３０である事が非常に好ましい。
【０２５８】
さらに、Ｅｕ2+付活アルカリ土類ケイ酸窒化物を母体とする蛍光体の具体例には、下記一般式（９）で表される緑色蛍光体が挙げられる。
（Ｂａ，Ｃａ，Ｓｒ，Ｍｇ，Ｚｎ，Ｅｕ）3Ｓｉ6Ｏ12Ｎ2    （９）
（これをＢＳＯＮ蛍光体と呼ぶ）。
ＢＳＯＮ蛍光体においては、一般式（９）を満たす前記組成範囲を適宜選択可能である。さらには、蛍光体単体の光励起時の発光強度最大値を与える波長λPHOS-GM-maxと半値
全幅ＷPHOS-GM-fwhmが、本実施態様の発光装置において好ましくなるのは以下の範囲である。
一般式（９）において選択できる2価金属元素（Ｂａ，Ｃａ，Ｓｒ，Ｍｇ，Ｚｎ，Ｅｕ
）のうち、ＢａとＳｒとＥｕの組合せとすることが好ましく、さらには、Ｂａに対するＳｒの比率は１０〜３０％とすることがより好ましい。
【０２５９】
また、上述した諸条件を満たし、本実施態様の効果が得られる場合には、その他、（Ｙ1-uＧｄu）3（Ａｌ1-vＧａv）5Ｏ12：Ｃｅ，Ｅｕ（但し、ｕ及びｖはそれぞれ０≦ｕ≦０．３、及び０≦ｖ≦０．５を満たす。）で表されるイットリウム・アルミニウム・ガーネット系蛍光体（これをＹＡＧ蛍光体と呼ぶ。）や、Ｃａ1.5xＬａ3-XＳｉ6Ｎ11：Ｃｅ（但
し、ｘは、０≦ｘ≦１）で表されるランタン窒化ケイ素蛍光体（これをＬＳＮ蛍光体と呼ぶ。）などの黄色蛍光体を含んでもよい。また、Ｅｕ2+付活サイアロン結晶を母体とするＳｉ6-zＡｌzＯzＮ8-z：Ｅｕ（ただし０＜ｚ＜４．２）で表される狭帯域緑色蛍光体や（これをβ−ＳｉＡｌＯＮ蛍光体と呼ぶ）を含んでもよい。ただし、前述のとおり、これら狭帯域緑色蛍光体、黄色蛍光体のみを中間波長領域の発光要素として発光装置を構成すると、照明対象物の所望の色の見えは実現困難となる。よって、本実施態様の発光装置においては、黄色蛍光体あるいは狭帯域緑色蛍光体等を、他の半導体発光素子、広帯域蛍光体等と組み合わせて使用する事は可能ではあるが、必ずしも好ましくない。中間波長領域の発光要素としては、広帯域緑色蛍光体を用いる事が好ましい。
【０２６０】
したがって、本実施態様に係る発光装置では、実質的に黄色蛍光体を含まないことが好ましい。ここで、「実質的に黄色蛍光体を含まない」とは、黄色蛍光体を含む場合であっても、上述した諸条件を満たし、本実施態様が奏する効果が得られる場合をいい、蛍光体全重量に対する黄色蛍光体重量が、好ましくは７％以下、より好ましくは５％以下、非常に好ましくは３％以下、格段に好ましくは１％以下の場合をいう。
【０２６１】
次いで、当該３波長領域の中のΛ３（５９０ｎｍ）から７８０ｎｍの長波長領域においては、熱フィラメント等からの熱放射光、蛍光管、高圧ナトリウムランプ等からの放電放射光、レーザ等からの誘導放出光、半導体発光素子からの自然放出光、蛍光体からの自然放出光等あらゆる光源から出る光を含むことが可能である。この中でも特に光励起された蛍光体からの発光が好ましい。
【０２６２】
なお、上述した諸条件を満たし、本実施態様の効果が得られる場合には、半導体発光素子からの発光、半導体レーザ、ＳＨＧレーザからの発光を含んでいてもよく、これらは小型で、エネルギー効率が高いことから、好ましい。
半導体発光素子としては、ＧａＡｓ基板上に形成されたＡｌＧａＡｓ系材料、ＧａＡｓ基板上に形成された（Ａｌ）ＩｎＧａＰ系材料を活性層構造中に含む橙発光素子（ピーク波長が５９０ｎｍから６００ｎｍ程度）、赤色発光素子（６００ｎｍから７８０ｎｍ）などを挙げることができる。また、ＧａＰ基板上に形成されたＧａＡｓＰ系材料を活性層構造中に含む赤色発光素子（６００ｎｍから７８０ｎｍ）などを挙げることができる。
【０２６３】
本実施態様に係る発光装置に用いる長波長領域の蛍光体材料の具体例としては、Ｅｕ2+を付活剤とし、アルカリ土類ケイ窒化物、αサイアロンまたはアルカリ土類ケイ酸塩からなる結晶を母体とする蛍光体が挙げられる。この種の赤色蛍光体は、通常、紫外〜青色半導体発光素子を用いて励起可能である。
【０２６４】
アルカリ土類ケイ窒化物結晶を母体とするものの具体例には、ＣａＡｌＳｉＮ3：Ｅｕ
で表される蛍光体（これをＣＡＳＮ蛍光体と呼ぶ）、（Ｃａ，Ｓｒ，Ｂａ，Ｍｇ）ＡｌＳｉＮ3：Ｅｕおよび／または（Ｃａ，Ｓｒ，Ｂａ）ＡｌＳｉＮ3：Ｅｕで表される蛍光体（これをＳＣＡＳＮ蛍光体と呼ぶ）、（ＣａＡｌＳｉＮ3）1-x（Ｓｉ2Ｎ2Ｏ）x：Ｅｕ（た
だし、ｘは０＜ｘ＜０．５）で表される蛍光体（これをＣＡＳＯＮ蛍光体と呼ぶ）、（Ｓｒ，Ｃａ，Ｂａ）2ＡｌxＳｉ5-xＯxＮ8-x：Ｅｕ（ただし０≦ｘ≦２）で表される蛍光体
、Ｅｕy（Ｓｒ，Ｃａ，Ｂａ）1-y：Ａｌ1+xＳｉ4-xＯxＮ7-x（ただし０≦ｘ＜４、０≦ｙ＜０．２）で表される蛍光体が挙げられる。
【０２６５】
その他、Ｍｎ4+付活フッ化物錯体蛍光体も挙げられる。Ｍｎ4+付活フッ化物錯体蛍光体は、Ｍｎ4+を付活剤とし、アルカリ金属、アミンまたはアルカリ土類金属のフッ化物錯体塩を母体結晶とする蛍光体である。母体結晶を形成するフッ化物錯体には、配位中心が３価金属（Ｂ、Ａｌ、Ｇａ、Ｉｎ、Ｙ、Ｓｃ、ランタノイド）のもの、４価金属（Ｓｉ、Ｇｅ、Ｓｎ、Ｔｉ、Ｚｒ、Ｒｅ、Ｈｆ）のもの、５価金属（Ｖ、Ｐ、Ｎｂ、Ｔａ）のものが
あり、その周りに配位するフッ素原子の数は５〜７である。
【０２６６】
具体的には、Ｍｎ4+付活フッ化物錯体蛍光体は、アルカリ金属のヘキサフルオロ錯体塩を母体結晶とするＡ2+xＭyＭｎzＦn（ＡはＮａおよび／またはＫ；ＭはＳｉおよびＡｌ；−１≦ｘ≦１かつ０．９≦ｙ＋ｚ≦１．１かつ０．００１≦ｚ≦０．４かつ５≦ｎ≦７）などが挙げられる。この中でも、ＡがＫ（カリウム）またはＮａ（ナトリウム）から選ばれる１種以上で、ＭがＳｉ（ケイ素）またはＴｉ（チタン）であるもの、例えば、Ｋ2Ｓ
ｉＦ6：Ｍｎ（これをＫＳＦ蛍光体と呼ぶ）、この構成元素の一部（好ましくは１０モル
％以下）をＡｌとＮａで置換したＫ2Ｓｉ1-xＮａxＡｌxＦ6：Ｍｎ、Ｋ2ＴｉＦ6：Ｍｎ（
これをＫＳＮＡＦ蛍光体と呼ぶ）などが挙げられる。
【０２６７】
その他、下記一般式（１０）で表される蛍光体、および下記一般式（１１）で表される蛍光体も挙げられる。
（Ｌａ1-x-y，Ｅｕx，Ｌｎy）2Ｏ2Ｓ    （１０）
（一般式（１０）において、ｘ及びｙはそれぞれ０．０２≦ｘ≦０．５０及び０≦ｙ≦０．５０を満たす数を表し、ＬｎはＹ、Ｇｄ、Ｌｕ、Ｓｃ、Ｓｍ及びＥｒの少なくとも１種の３価希土類元素を表す。）（一般式（１０）で表される酸硫化ランタン蛍光体をＬＯＳ蛍光体と呼ぶ。）
（ｋ−ｘ）ＭｇＯ・ｘＡＦ2・ＧｅＯ2：ｙＭｎ4+    （１１）
（一般式（１１）において、ｋ、ｘ、ｙは、各々、２．８≦ｋ≦５、０．１≦ｘ≦０．７、０．００５≦ｙ≦０．０１５を満たす数を表し、Ａはカルシウム（Ｃａ）、ストロンチウム（Ｓｒ）、バリウム（Ｂａ）、亜鉛（Ｚｎ）、またはこれらの混合物である。）（一般式（１１）で表されるジャーマネート蛍光体をＭＧＯＦ蛍光体と呼ぶ。）
【０２６８】
本実施態様においては、ＣＡＳＮ蛍光体、ＣＡＳＯＮ蛍光体、ＳＣＡＳＮ蛍光体のうち１種のみを発光装置に含む構成は、光源効率を向上させるうえで好ましい。
一方で、ＫＳＦ蛍光体、ＫＳＮＡＦ蛍光体、ＬＯＳ蛍光体、ＭＧＯＦ蛍光体は、その半値幅がそれぞれ、６ｎｍ程度、６ｎｍ程度、４ｎｍ程度、１６ｎｍ程度と極端に狭いが、これら蛍光体を、ＣＡＳＮ蛍光体、ＣＡＳＯＮ蛍光体、ＳＣＡＳＮ蛍光体等と組み合わせて使用する事は、発光装置の分光分布φSSL（λ）に適切な範囲で凹凸を形成し得る場合
があり、好ましい。
【０２６９】
これらの発光要素の組み合わせは、それぞれの発光要素の有するピーク波長位置、半値全幅等が、視覚実験で被験者が好ましいとした色の見え、物体の見えを実現するうえで、非常に好都合である。
【０２７０】
本実施態様に係る発光装置においては、これまで記載した発光要素（発光材料）を用いると、指標Ａcg、距離ＤuvSSL、値φSSL-BG-min／φSSL-BM-max、波長λSSL-RM-max等を
所望の値に設定しやすくなるため、好ましい。また、当該光を色刺激としてとらえ、当該発光装置での照明を仮定した場合の当該１５色票の色の見えと、計算用基準光での照明を仮定した場合の色の見えとの差に関するΔＣn、ＳＡＴave、｜ΔＣmax−ΔＣmin｜、｜Δｈn｜も、上記記載の発光要素を用いると所望の値に設定しやすくなるため、好ましい。
【産業上の利用可能性】
【０２７１】
本発明の発光装置は、応用分野が非常に広く、特定の用途には限定されずに使用することが可能である。しかし、本発明の発光装置の特長に照らして、以下の分野への応用は好ましい。
【０２７２】
例えば、本発明の発光装置により照明した場合には、旧来広く知られている発光装置と比較して、ほぼ同様のＣＣＴ、ほぼ同様の照度であっても、白色はより白く、自然に、心
地よく見える。さらに、白、灰色、黒等の無彩色間の明度差も視認しやすくなる。
このために、例えば、一般の白色紙上の黒文字等が読みやすくなる。このような特長を生かし、読書灯、学習机用照明、事務用照明等の作業用照明に応用することは好ましい。さらに、作業内容によっては、工場等において、細かな部品の外観検査を行う、布地などにおいて近接した色の識別を行う、生肉の鮮度確認のための色確認を行う、限度見本に照らした製品検査を行う等も考えられる。加えて、本発明の発光装置を用いて照明した場合には、近接した色相における色識別が容易になり、あたかも高照度環境下の様な快適な作業環境を実現しうる。よってこのような観点でも作業用照明に適応することは好ましい。
さらに、特許第５２５２１０７号と特許第５２５７５３８号開示の発光装置と比較すると、本発明の発光装置により照明した場合には、発光装置の光源効率が高く、同等の電力を投入したとしても出射される光束は大きくなる。このために、通常の高さよりも高い天井面から照明対象物を照明する発光装置とする事は好適であり、発光装置の適応範囲はさらに広くなる。
【０２７３】
さらには、色の識別能が上がるために、たとえば外科手術用光源、胃カメラ等に利用される光源等の医療用照明に応用することも好ましい。なぜなら、動脈血は酸素を多く含むため鮮紅色であるが、静脈血は二酸化炭素を多く含むため暗赤色である。両者は同じ赤色であるが、その彩度が異なるため、良好な色の見え（彩度）を実現する本発明の発光装置により、動脈血と静脈血を用意に判別することが期待される。また、内視鏡のようなカラー画像情報では良好な色の表示が診断に大きな影響を持つことは明白であり、正常な部位と病変した部位を容易に見分けることなどが期待される。同様の理由から、製品の画像判定器などの工業用機器内の照明方法としても、好適に利用可能である。
【０２７４】
本発明の発光装置により照明した場合には、照度が数千Ｌｘから数百Ｌｘ程度であったとしても、紫色、青紫色、青色、青緑色、緑色、黄緑色、黄色、黄赤色、赤色、赤紫色などの大半の色、場合によってはすべての色について、たとえば晴れた日の屋外照度下のような数万ｌｘ程度の下で見たような真に自然な色の見えが実現される。また、中間的な彩度を有する、被験者（日本人）の肌色、各種食品、衣料品、木材色等も、多くの被験者がより好ましいと感じる、自然な色の見えとなる。
【０２７５】
よって、本発明の発光装置を家庭用等の一般照明に応用したとすれば、食品は新鮮に、かつ、食欲をそそるように見え、新聞や雑誌等も見やすく、段差等の視認性も上がり家庭内の安全性向上にもつながると考えられる。よって、本発明の発光装置を家庭用照明に応用することは好ましい。また、衣料品、食品、車、かばん、靴、装飾品、家具等の展示物用照明としても好ましく、周辺から際立って視認させうる照明が可能である。前記の通り、特に特許第５２５２１０７号と特許第５２５７５３８号開示の発光装置と比較しても、本発明の発光装置により照明した場合には、発光装置の光源効率が高く、同等の電力を投入したとしても出射される光束は大きくなる。このため、通常の高さよりも高い天井面から照明対象物を照明する発光装置とする事は好適である。このような特性から本発明の発光装置を展示物用照明に適応する事は特に好ましい。
さらに、化粧品等の、色の微妙な差が購入の決め手となる物品の照明としても好ましい。白色のドレス等の展示物用照明として使用すると、同じ白色でも、青みがかった白、クリーム色に近い白などの、微妙な色の差が視認しやすくなるため、本人の希望通りの色を選択することが可能となる。さらには、結婚式場、劇場等での演出用照明としても好適で、純粋な白色のドレス等は純白に見え、歌舞伎等の着物、隈取等もはっきりと見えるようになる。さらに肌色も際立ち好ましい。このような照明とする際にも、光源効率の高い本発明の発光装置は、遠距離からの照明が可能であるため、本発明の発光装置を演出用照明に適応する事は特に好ましい。
また、美容室の照明として使用すると、毛髪をカラー処理する場合、屋外で見たときと齟齬がないような色にすることが可能となり、染めすぎや染め不足を防ぐことができる。
【０２７６】
さらに、白色がより白色に見え、無彩色の識別が容易になり、かつ、有彩色も自然な鮮やかさになることから、限られた一定の空間において、多くの種類の活動がなされる場所における光源としても好適である。例えば、航空機内の客席では、読書もなされ、仕事もなされ、食事も行われる。さらに電車、長距離バス等においても事情は類似している。このような交通機関の内装用照明として、本発明の発光装置は好適に利用可能である。
【０２７７】
さらに、白色がより白色に見え、無彩色の識別が容易になり、かつ、有彩色も自然な鮮やかさになることから、美術館等における絵画等を屋外で視認したような自然な色調に照明することが可能であって、美術品用照明としても、本発明の発光装置は好適に利用可能である。
【０２７８】
一方で、本発明の発光装置は高齢者用照明としても好適に利用可能である。すなわち、細かな文字が通常の照度下で見えにくい、段差等が見えにくい等の場合であっても、本発明の発光装置を適用することで、無彩色間、あるいは有彩色間の識別が容易になるため、これらの問題を解決可能である。よって、老人ホームや病院の待合室、書店や図書館等の不特定多数の方が利用する公共施設等における照明にも好適に利用可能である。このような照明とする際には、照度そのものを適切な範囲で高くする事も必要であるが、高光源効率な本発明の発光装置は、同等の投入電力であっても照明面の照度を高くする事が可能である。よって、本発明の発光装置を高齢者用照明に適応する事は特に好ましい。
【０２７９】
さらに、各種の事情で比較的低照度になりがちな照明環境に適応して、視認性を確保する応用においても、本発明の発光装置は好適に利用可能である。
例えば、街灯、車のヘッドライト、足元灯に応用し、従来光源を用いた場合よりも各種の視認性を向上させることも好ましい。
【符号の説明】
【０２８０】
１００  発光装置
１、１１、２１、３１、４１、５１  発光領域１
２、１２、２２、３２、４２、５２  発光領域２
３、２３  発光領域３
４  発光領域４
５  発光領域５
６  パッケージ化ＬＥＤ
４３、５３  仮想外周
４４、５４  仮想外周上の２点
４５、５５  仮想外周上の２点間の距離
１０  パッケージＬＥＤ
２０  パッケージＬＥＤ
３０  照明システム
４０  １対のパッケージＬＥＤ
【図１】
0006666064.tif 000078
【図２】
0006666064.tif 000079
【図３】
0006666064.tif 000080
【図４】
0006666064.tif 000081
【図５】
0006666064.tif 000082
【図６】
0006666064.tif 000083
【図７】
0006666064.tif 000084
【図８】
0006666064.tif 000085
【図９】
0006666064.tif 000086
【図１０】
0006666064.tif 000087
【図１１】
0006666064.tif 000088
【図１２】
0006666064.tif 000089
【図１３】
0006666064.tif 000090
【図１４】
0006666064.tif 000091
【図１５】
0006666064.tif 000092
【図１６】
0006666064.tif 000093
【図１７】
0006666064.tif 000094
【図１８】
0006666064.tif 000095
【図１９】
0006666064.tif 000096
【図２０】
0006666064.tif 000097
【図２１】
0006666064.tif 000098
【図２２】
0006666064.tif 000099
【図２３】
0006666064.tif 000100
【図２４】
0006666064.tif 000101
【図２５】
0006666064.tif 000102
【図２６】
0006666064.tif 000103
【図２７】
0006666064.tif 000104
【図２８】
0006666064.tif 000105
【図２９】
0006666064.tif 000106
【図３０】
0006666064.tif 000107
【図３１】
0006666064.tif 000108
【図３２】
0006666064.tif 000109
【図３３】
0006666064.tif 000110
【図３４】
0006666064.tif 000111
【図３５】
0006666064.tif 000112
【図３６】
0006666064.tif 000113
【図３７】
0006666064.tif 000114
【図３８】
0006666064.tif 000115
【図３９】
0006666064.tif 000116
【図４０】
0006666064.tif 000117
【図４１】
0006666064.tif 000118
【図４２】
0006666064.tif 000119
【図４３】
0006666064.tif 000120
【図４４】
0006666064.tif 000121
【図４５】
0006666064.tif 000122
【図４６】
0006666064.tif 000123
【図４７】
0006666064.tif 000124
【図４８】
0006666064.tif 000125
【図４９】
0006666064.tif 000126
【図５０】
0006666064.tif 000127
【図５１】
0006666064.tif 000128
【図５２】
0006666064.tif 000129
【図５３】
0006666064.tif 000130
【図５４】
0006666064.tif 000131
【図５５】
0006666064.tif 000132
【図５６】
0006666064.tif 000133
【図５７】
0006666064.tif 000134
【図５８】
0006666064.tif 000135
【図５９】
0006666064.tif 000136
【図６０】
0006666064.tif 000137
【図６１】
0006666064.tif 000138
【図６２】
0006666064.tif 000139
【図６３】
0006666064.tif 000140
【図６４】
0006666064.tif 000141
【図６５】
0006666064.tif 000142
【図６６】
0006666064.tif 000143
【図６７】
0006666064.tif 000144
【図６８】
0006666064.tif 000145
【図６９】
0006666064.tif 000146
【図７０】
0006666064.tif 000147
【図７１】
0006666064.tif 000148
【図７２】
0006666064.tif 000149
【図７３】
0006666064.tif 000150
【図７４】
0006666064.tif 000151